(57)【要約】【課題】本発明は、どのような材質の紙葉類を扱う場合でも最後の１枚まで的確に繰り出す。【解決手段】本発明は、複数の紙葉類を重ねて収納する紙幣類収納部と、複数の紙葉類を一方の端に位置する紙葉類から順に１枚ずつ繰出側へ送り出すための送出ローラと、複数の紙葉類の他方の端側から一方の端側へ移動可能に設けられ、一面に１枚の他端紙葉類を接触させて一方の端側へ移動して当該一方の端の１枚の紙葉類を送出ローラに押し付けるようにして複数の紙葉類を付勢する付勢部と、付勢部の一面の材質を部分的に変更する材質変更部とを設けることにより、紙葉類収納部により、どのような材質の紙葉類を扱う場合でも、材質変更部による付勢部の一面の材質の部分的な変更によって他端紙葉類に繰出用に最適な摩擦力を作用させることができ、どのような材質の紙葉類を扱う場合でも最後の１枚まで的確に繰り出することができる。【選択図】図７
2013189261.tif 000002
【特許請求の範囲】
【請求項１】
複数の紙葉類を積層するように重ねて収納する紙幣類収納部と、
紙葉類繰出時、上記紙葉類収納部に重ねて収納された複数の上記紙葉類を一方の端に位置する上記紙葉類から順に１枚ずつ繰出側へ送り出すための送出ローラと、
重ねられた複数の上記紙葉類の他方の端側から上記一方の端側へ移動可能に設けられ、上記紙葉類繰出時、一面に複数の上記紙葉類のうち上記他方の端の１枚の他端紙葉類を接触させて上記一方の端側へ移動することにより当該一方の端の１枚の上記紙葉類を上記送出ローラに押し付けるようにして複数の上記紙葉類を付勢する付勢部と、
上記付勢部の上記一面の材質を部分的に変更する材質変更部と
を具える紙葉類収納繰出装置。
【請求項２】
上記付勢部は、
上記一面の上記送出ローラと対向する部分に開口部が形成され、
上記材質変更部は、
上記付勢部の上記開口部を介して上記一面の材質を変更する
請求項１に記載の紙葉類収納繰出装置。
【請求項３】
上記材質変更部は、
それぞれ材質の異なる複数の材質変更板を有し、上記紙葉類収納部に収納される上記紙葉類の材質に応じて、上記付勢部の上記開口部に通して上記一面から表面を突出させる上記材質変更板を切り換える
請求項２に記載の紙葉類収納繰出装置。
【請求項４】
上記材質変更部は、
部分的に幅の異なるゴム製の摩擦力変更ローラを有し、当該摩擦力変更ローラの周側面の一部を上記付勢部の上記開口部に通して上記一面から突出させ、上記紙葉類収納部に収納される上記紙葉類の材質に応じて上記摩擦力変更ローラを回転させて、当該摩擦力変更ローラの上記周側面の上記他端紙葉類との接触部分の面積を変更する
請求項２に記載の紙葉類収納繰出装置。
【請求項５】
上記材質変更部は、
所定の材質の材質変更板を有し、上記紙葉類収納部に収納される上記紙葉類の材質に応じて、上記付勢部の上記開口部に通して上記一面から上記材質変更板の表面を突出させる突出量を変更する
請求項２に記載の紙葉類収納繰出装置。
【請求項６】
上記材質変更部は、
所定の材質の摩擦力変更ローラを有し、当該摩擦力変更ローラの周側面の一部を上記付勢部の上記開口部に通して上記一面から突出させて上記他端紙葉類に接触させ、上記送出ローラを介して上記他端紙葉類以外が上記繰出側へ送り出されている間に上記他端紙葉類が上記繰出側へ移動して上記摩擦力変更ローラが回転すると、当該摩擦力変更ローラに上記回転を停止させるようにトルクをかける
請求項２に記載の紙葉類収納繰出装置。
【請求項７】
上記材質変更部は、
所定の材質の材質変更板を有し、上記送出ローラを介して上記他端紙葉類以外が上記繰出側へ送り出されている間は、上記材質変更板を上記付勢部の上記開口部に通して上記他端紙葉類に押し付け、上記送出ローラを介して上記他端紙葉類が上記繰出側へ送り出されるときには、当該他端紙葉類から上記材質変更板を離隔させる
請求項２に記載の紙葉類収納繰出装置。
【請求項８】
上記材質変更部は、
所定の材質の材質変更板を有し、上記送出ローラを介して上記他端紙葉類以外が上記繰出側へ送り出されている間は、上記材質変更板を上記付勢部の上記開口部に通して上記一面から所定の突出量だけ突出させて上記他端紙葉類に押し付け、上記送出ローラを介して上記他端紙葉類が上記繰出側へ送り出されるときには、上記材質変更板に対する上記付勢部の上記一面からの突出量を小さくし、又は上記他端紙葉類から上記材質変更板を離隔させる
請求項２に記載の紙葉類収納繰出装置。
【請求項９】
上記材質変更部は、
上記送出ローラを介して上記他端紙葉類を上記繰出側へ送り出す際に送出エラーが発生すると、上記材質変更板に対する上記付勢部の上記一面からの突出量を小さくし、又は上記他端紙葉類から上記材質変更板を離隔させて、上記送出ローラを介して上記他端紙葉類の上記繰出側への送り出しをリトライさせる
請求項８に記載の紙葉類収納繰出装置。
【請求項１０】
上記材質変更部は、
それぞれ材質の異なる複数の材質変更板を有し、何れかの上記材質変更板を上記付勢部の上記開口部に通して上記一面から突出させて上記他端紙葉類に押し付け、上記送出ローラを介して上記他端紙葉類を上記繰出側へ送り出す際に送出エラーが発生すると、上記付勢部の上記開口部に通して上記一面から突出させる上記材質変更板を切り換えて、上記送出ローラを介して上記他端紙葉類の上記繰出側への送り出しをリトライさせる
請求項２に記載の紙葉類収納繰出装置。
【請求項１１】
上記材質変更部は、
部分的に幅の異なるゴム製の摩擦力変更ローラを有し、上記送出ローラを介して上記他端紙葉類以外が上記繰出側へ送り出されている間は、当該摩擦力変更ローラの周側面の一部を上記付勢部の上記開口部に通して上記一面から突出させて上記他端紙葉類に所定の接触面積で接触させ、上記送出ローラを介して上記他端紙葉類が上記繰出側へ送り出されるときには、上記摩擦力変更ローラを回転させて上記周側面の上記他端紙葉類に対する上記接触面積を小さくし、又は上記他端紙葉類から上記摩擦力変更ローラを離隔させる
請求項２に記載の紙葉類収納繰出装置。
【請求項１２】
上記材質変更部は、
上記送出ローラを介して上記他端紙葉類を上記繰出側へ送り出す際に送出エラーが発生すると、上記摩擦力変更ローラを回転させて上記周側面の上記他端紙葉類に対する上記接触面積を小さくし、又は上記他端紙葉類から上記摩擦力変更ローラを離隔させて、上記送出ローラを介して上記他端紙葉類の上記繰出側への送り出しをリトライさせる
請求項１１に記載の紙葉類収納繰出装置。
【請求項１３】
上記付勢部は、
上記一面の上記送出ローラと対向する部分に凹部が形成され、
上記材質変更部は、
それぞれ材質が異なり、上記付勢部の上記一面から表面を突出させるようにして上記凹部に嵌合可能な複数の材質変更板である
請求項１に記載の紙葉類収納繰出装置。
【請求項１４】
取扱対象の複数の紙葉類を積層するように重ねて収納する紙幣類収納部と、
紙葉類繰出時、上記紙葉類収納部に重ねて収納された複数の上記紙葉類を一方の端に位置する上記紙葉類から順に１枚ずつ繰出側へ送り出すための送出ローラと、
重ねられた複数の上記紙葉類の他方の端側から上記一方の端側へ移動可能に設けられ、上記紙葉類繰出時、一面に複数の上記紙葉類のうち上記他方の端の１枚の他端紙葉類を接触させて上記一方の端側へ移動することにより当該一方の端の１枚の上記紙葉類を上記送出ローラに押し付けるようにして複数の上記紙葉類を付勢する付勢部と、
上記付勢部の上記一面の材質を部分的に変更する材質変更部と
を具える紙葉類取扱装置。
【発明の詳細な説明】
【技術分野】
【０００１】
本発明は紙葉類収納繰出装置及び紙葉類取扱装置に関し、例えば、紙幣の入金及び出金の取引を行う現金自動預払機（ATM：Automatic  Teller  Machine）、及び当該現金自動預払機に設けられた紙幣収納繰出庫に適用して好適なものである。
【背景技術】
【０００２】
従来の現金自動預払機には、それぞれ金類別の紙幣を収納し、当該紙幣を１枚ずつ分離して繰り出す同様構成の複数の紙幣収納繰出庫が設けられていた。
【０００３】
そして、このような現金自動預払機に設けられる複数の紙幣収納繰出庫としては、例えば、図３１に示すように構成されたものがある。
【０００４】
図３１に示すように、紙幣収納繰出庫２００は、略箱型の紙幣収納部２０１を有している。因みに、以下の説明では、図中に矢印ａ１０で示す方向（すなわち、紙面左側）を左方向とも呼び、これとは逆の方向を、右方向とも呼ぶ。
【０００５】
また、以下の説明では、図中に矢印ｂ１０で示す方向（すなわち、紙面上側）を上方向とも呼び、これとは逆の方向を、下方向とも呼び、さらに矢印ｃ１０で示す方向（すなわち、紙面手前側）を前方向とも呼び、これとは逆の方向を、後方向とも呼ぶ。
【０００６】
そして紙幣収納繰出庫２００は、図示しない昇降機構を介して紙幣収納部２０１内にビルプレス２０２が昇降可能に設けられ、当該紙幣収納部２０１内においてビルプレス２０２と収納部底板２０１Ａとの間に複数の紙幣２０３を積層するように収納している。
【０００７】
また紙幣収納繰出庫２００は、紙幣収納部２０１の下側に、前方向と平行な図示しない回転軸に取り付けられた複数の送出ローラ（以下、これをピックアップローラとも呼ぶ）２０４が、それぞれ周側面の一部を収納部底板２０１Ａに穿設された孔部を介して当該紙幣収納部２０１内に入り込ませるようにして配置されている。
【０００８】
さらに紙幣収納繰出庫２００は、紙幣収納部２０１の下左縁の近傍に、前方向と平行な図示しない回転軸に取り付けられた円筒状のフィードローラ２０５が配置されている。そしてフィードローラ２０５は、例えば、中央部に周側面の一周に亘る凹部が形成されている。
【０００９】
さらに紙幣収納繰出庫２００は、フィードローラ２０５のほぼ真上に、前方向と平行な図示しない回転軸に取り付けられた円筒状の分離ローラ２０６が配置されている。
【００１０】
そして分離ローラ２０６は、例えば、一端部及び他端部にそれぞれ周側面の一周に亘る凹部が形成され、当該分離ローラ２０６の周側面の凹部及び凸部を、フィードローラ２０５の周側面の対向する凸部及び凹部と僅かにかみ合わせている。
【００１１】
さらにまた紙幣収納繰出庫２００は、フィードローラ２０５の左斜上に、前方向と平行な図示しない回転軸に取り付けられた２つの従動ローラ２０７が、その周側面の一部をフィードローラ２０５の周側面の凸部の一部（すなわち、一端側部び他端部）に押し付けるようにして配置されている。
【００１２】
これにより紙幣収納繰出庫２００は、紙幣２０３の繰出時、昇降機構を介してビルプレス２０２を下降させて複数の紙幣２０３全体を下方向に付勢した状態で、当該複数の紙幣２０３のうち最も下の紙幣２０３を複数のピックアップローラ２０４の周側面に押し付ける。
【００１３】
この状態で紙幣収納繰出庫２００は、分離ローラ２０６を回転させないようにしたまま、図示しないモータの駆動に応じてフィードローラ２０５を、その回転軸を中心にして矢印ｄ１０に示す反時計回方向へ回転させると共に、これに連動させて複数の従動ローラ２０７を、その回転軸を中心にして時計回方向へ回転させる。
【００１４】
また紙幣収納繰出庫２００は、係るモータの駆動に応じて複数のピックアップローラ２０４も、その回転軸を中心にして反時計回方向へ回転させる。
【００１５】
これにより紙幣収納繰出庫２００は、複数のピックアップローラ２０４により、紙幣収納部２０１の収納部底板２０１とビルプレス２０２との間の複数の紙幣２０３を下から順に取り出すようにしてフィードローラ２０５及び分離ローラ２０６の間に送り出す。
【００１６】
そして紙幣収納繰出庫２００は、複数のピックアップローラ２０４によって取り出された紙幣２０３をフィードローラ２０５及び分離ローラ２０６の間に挟み込みながら送り出し、引き続き当該フィードローラ２０５及び複数の従動ローラ２０７の間に挟み込みながら送り出す。
【００１７】
ただし、紙幣収納繰出庫２００は、この際、何ら回転させない分離ローラ２０６により、その周側面に接触する紙幣２０３に対し、フィードローラ２０５が当該紙幣２０３に従動ローラ２０７側へ送り出すように加える所定の外力よりも小さい所定の摩擦力（すなわち、紙幣２０３を分離ローラ２０６の周側面に接触したままにしようとする摩擦力）を作用させている。
【００１８】
よって紙幣収納繰出庫２００は、複数のピックアップローラ２０４により、収納部底板２０１Ａ上から一度に例えば２枚の紙幣２０３をフィードローラ２０５及び分離ローラ２０６側に送り出したとしても、当該分離ローラ２０６によって分離するようにして、フィードローラ２０５及び複数の従動ローラ２０７の間に１枚ずつ通している。
【００１９】
このようにして紙幣収納繰出庫２００は、紙幣収納部２０１内の複数の紙幣２０３を下から順に１枚ずつ分離して外部に繰り出していた（例えば、特許文献１参照）。
【先行技術文献】
【特許文献】
【００２０】
【特許文献１】特開２００８−４４７０８公報（第３頁、第４頁、図１、図２）
【発明の概要】
【発明が解決しようとする課題】
【００２１】
ところで、係る構成の現金自動預払機では、例えば、上述の紙幣２０３として日本の円紙幣を扱うようになされており、その円紙幣の材質（すなわち、和紙）に応じて、ビルプレス２０２の材質がプラスチックのように適宜選定されている。
【００２２】
これにより現金自動預払機では、紙幣収納繰出庫２００から紙幣収納部２０１内の複数の円紙幣を下から順に繰り出す際、ビルプレス２０２の一面に接触している１枚の円紙幣に、当該ビルプレス２０２の一面との接触に応じた繰出用に最適な摩擦力を作用させている。
【００２３】
因みに、ビルプレス２０２の一面に直に接触している１枚の円紙幣は、紙幣収納繰出庫２００から最終的（すなわち、最後）に繰り出される１枚の円紙幣であり、以下、これを最終円紙幣とも呼ぶ。
【００２４】
また、最終円紙幣にビルプレス２０２の一面との接触に応じて作用する摩擦力は、当該最終円紙幣をビルプレス２０２の一面に接触させたままにしようとする摩擦力であり、以下、これを円紙幣摩擦力とも呼ぶ。
【００２５】
よって現金自動預払機は、紙幣収納繰出庫２００からの円紙幣の繰出時、最終円紙幣よりも下側の円紙幣に複数のピックアップローラ２０４の回転によって送出用の所定の外力を加えても、当該最終円紙幣をビルプレス２０２の一面に対して何ら滑らせることなく、その下側の複数の円紙幣を順に１枚ずつフィードローラ２０５側へ送り出している。
【００２６】
また現金自動預払機は、最終円紙幣については、ビルプレス２０２を介して複数のピックアップローラ２０４に押し付けながら、当該複数のピックアップローラ２０４の回転によって送出用の外力を直接加えることで、ビルプレス２０２の一面上で滑らせるようにしてフィードローラ２０５側へ送り出している。
【００２７】
ところが、現金自動預払機では、例えば、複数の紙幣収納繰出庫２００の構成を変えずに各国の紙幣（因みに、以下の説明では、各国の紙幣のうち、円紙幣を除く紙幣を、海外紙幣とも呼ぶ）を扱うような場合、複数の紙幣収納繰出庫２００により円紙幣とは材質の異なる海外紙幣を収納し、また繰り出すことになる。
【００２８】
すなわち、紙幣の材質は、例えば、上述のように円紙幣であれば和紙であるものの、米国のドル紙幣であれば綿及び麻であり、また豪州のドル紙幣であればプラスチックであるように、その紙幣を発行している国によって異なっている。
【００２９】
そして現金自動預払機では、紙幣収納繰出庫２００から紙幣収納部２０１内の複数の海外紙幣を下から順に繰り出すような場合、プラスチックのビルプレス２０２の一面に接触している１枚の海外紙幣に、当該ビルプレス２０２の一面との接触に応じて、上述の円紙幣摩擦力とは大きさの異なる摩擦力が作用する。
【００３０】
因みに、ビルプレス２０２の一面に接触している１枚の海外紙幣は、紙幣収納繰出庫２００から最終的（すなわち、最後）に繰り出される１枚の海外紙幣であり、以下、これを最終海外紙幣とも呼ぶ。
【００３１】
また、最終海外紙幣とビルプレス２０２の一面との接触に応じて作用する摩擦力は、当該最終海外紙幣をビルプレス２０２の一面に接触させたままにしようとする摩擦力であり、以下、これを海外紙幣摩擦力とも呼ぶ。
【００３２】
そして現金自動預払機では、例えば、複数のピックアップローラ２０４の回転によって海外紙幣に加える送出用の外力よりも海外紙幣摩擦力が比較的大きいと、複数のピックアップローラ２０４により最終海外紙幣を複数のフィードローラ２０５側へ送り出そうとしても、当該最終海外紙幣がビルプレス２０２の一面に貼り付いたようになりフィードローラ２０５側へは送り出せなくなる。
【００３３】
また現金自動預払機では、例えば、複数のピックアップローラ２０４の回転によって海外紙幣に加える送出用の外力よりも海外紙幣摩擦力が比較的小さいと、複数のピックアップローラ２０４により最終海外紙幣よりも数枚下の海外紙幣を送り出す際、当該数枚下の海外紙幣から最終海外紙幣までを束にして複数のフィードローラ２０５側へ送り出し、当該複数のフィードローラ２０５及び分離ローラ２０７の間に詰まらせることになる。
【００３４】
このように現金自動預払機では、材質の異なる各国の紙幣を扱う場合、その紙幣の材質によっては、紙幣収納繰出庫２００から最後の１枚又は数枚を的確には繰り出し難いという問題があった。
【００３５】
本発明は以上の点を考慮してなされたもので、どのような材質の紙葉類を扱う場合でも最後の１枚まで的確に繰り出し得る紙葉類収納繰出装置及び紙葉類取扱装置を提案しようとするものである。
【課題を解決するための手段】
【００３６】
かかる課題を解決するため本発明においては、複数の紙葉類を積層するように重ねて収納する紙幣類収納部と、紙葉類繰出時、紙葉類収納部に重ねて収納された複数の紙葉類を一方の端に位置する紙葉類から順に１枚ずつ繰出側へ送り出すための送出ローラと、重ねられた複数の紙葉類の他方の端側から一方の端側へ移動可能に設けられ、紙葉類繰出時、一面に複数の紙葉類のうち他方の端の１枚の他端紙葉類を接触させて一方の端側へ移動することにより当該一方の端の１枚の紙葉類を送出ローラに押し付けるようにして複数の紙葉類を付勢する付勢部と、付勢部の一面の材質を部分的に変更する材質変更部とを設けるようにした。
【００３７】
従って本発明では、紙葉類収納部により、どのような材質の紙葉類を扱う場合でも、紙葉類繰出時、材質変更部による付勢部の一面の材質の部分的な変更によって他端紙葉類に繰出用に最適な摩擦力を作用させることができる。
【発明の効果】
【００３８】
本発明によれば、複数の紙葉類を積層するように重ねて収納する紙幣類収納部と、紙葉類繰出時、紙葉類収納部に重ねて収納された複数の紙葉類を一方の端に位置する紙葉類から順に１枚ずつ繰出側へ送り出すための送出ローラと、重ねられた複数の紙葉類の他方の端側から一方の端側へ移動可能に設けられ、紙葉類繰出時、一面に複数の紙葉類のうち他方の端の１枚の他端紙葉類を接触させて一方の端側へ移動することにより当該一方の端の１枚の紙葉類を送出ローラに押し付けるようにして複数の紙葉類を付勢する付勢部と、付勢部の一面の材質を部分的に変更する材質変更部とを設けるようにしたことにより、紙葉類収納部により、どのような材質の紙葉類を扱う場合でも、紙葉類繰出時、材質変更部による付勢部の一面の材質の部分的な変更によって他端紙葉類に繰出用に最適な摩擦力を作用させることができ、かくして、どのような材質の紙葉類を扱う場合でも最後の１枚まで的確に繰り出し得る紙葉類収納繰出装置及び紙葉類取扱装置を実現することができる。
【図面の簡単な説明】
【００３９】
【図１】本発明による現金自動預払機の外観構成の第１の実施の形態を示す略線的斜視図である。
【図２】第１の実施の形態による現金自動預払機の内部構成を示す略線的側面図である。
【図３】第１の実施の形態による紙幣収納繰出庫の外観構成を示す略線的斜視図である。
【図４】紙幣収納繰出庫内のステージ及び昇降駆動部の構成を示す略線的斜視図である。
【図５】第１の実施の形態による材質変更部の構成を示す略線的側面図である。
【図６】材質変更部による材質変更板の切り換えの説明に供する略線的上面図である。
【図７】第１摩擦力変更処理手順を示すフローチャートである。
【図８】紙幣収納繰出庫への紙幣の収納の説明に供する略線的側面図である。
【図９】紙幣収納繰出庫からの紙幣の繰り出しの説明に供する略線的側面図である。
【図１０】第２の実施の形態による現金自動預払機の内部構成を示す略線的側面図である。
【図１１】第２の実施の形態による材質変更部の構成を示す略線的側面図である。
【図１２】材質変更部による材質変更板の切り換えの説明に供する略線的上面図である。
【図１３】第３の実施の形態による現金自動預払機の内部構成を示す略線的側面図である。
【図１４】第３の実施の形態による材質変更部の構成（１）を示す略線的側面図である。
【図１５】第３の実施の形態による材質変更部の構成（２）を示す略線的上面図である。
【図１６】物体同士の接触によって作用する摩擦力の特性を示す略線図である。
【図１７】左摩擦力変更ローラ及び右摩擦力変更ローラの紙幣接触部分の面積の変更（１）の説明に供する略線的上面図である。
【図１８】左摩擦力変更ローラ及び右摩擦力変更ローラの紙幣接触部分の面積の変更（２）の説明に供する略線的上面図である。
【図１９】第２摩擦力変更処理手順を示すフローチャートである。
【図２０】第４の実施の形態による現金自動預払機の内部構成を示す略線的側面図である。
【図２１】第４の実施の形態による材質変更部の構成（１）を示す略線的側面図である。
【図２２】第４の実施の形態による材質変更部の構成（２）を示す略線的上面図である。
【図２３】第３摩擦力変更処理手順を示すフローチャートである。
【図２４】第５の実施の形態による現金自動預払機の内部構成を示す略線的側面図である。
【図２５】第５の実施の形態による材質変更部の構成（１）を示す略線的側面図である。
【図２６】第５の実施の形態による材質変更部の構成（２）を示す略線的上面図である。
【図２７】第４摩擦力変更処理手順を示すフローチャートである。
【図２８】他の実施の形態による第５摩擦力変更処理手順を示すフローチャートである。
【図２９】他の実施の形態による材質変更部の構成を示す略線的斜視図である。
【図３０】他の実施の形態による材質変更板の変更の説明に供する略線的斜視図である。
【図３１】従来の紙幣収納繰出庫の構成を示す略線的側面図である。
【発明を実施するための形態】
【００４０】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）第３の実施の形態
（４）第４の実施の形態
（５）第５の実施の形態
（６）他の実施の形態
【００４１】
（１）第１の実施の形態
（１−１）現金自動預払機の外観構成
図１において、１は全体として本発明を適用した、各国の紙幣（すなわち、材質の異なる種々の紙幣）を扱うことのできる現金自動預払機の外観構成を示す。かかる現金自動預払機１は、略箱型の筐体（以下、これを預払機筐体とも呼ぶ）２を有している。
【００４２】
因みに、以下の説明では、現金自動預払機１を、預払機筐体２の前面２Ａと対峙して見た場合の図中に矢印ａ１で示す左の方向を、左方向とも呼び、当該左方向とは逆の方向を、右方向とも呼ぶ。
【００４３】
また、以下の説明では、現金自動預払機１を、預払機筐体２の前面２Ａと対峙して見た場合の図中に矢印ｂ１で示す上の方向を、上方向とも呼び、当該上方向とは逆の方向を、下方向とも呼ぶ。
【００４４】
さらに、以下の説明では、現金自動預払機１を、預払機筐体２の前面２Ａと対峙して見た場合の図中に矢印ｃ１で示す手前の方向を、前方向とも呼び、当該前方向とは逆の方向を、後方向とも呼ぶ。
【００４５】
預払機筐体２の前側上端部には、前面２Ａよりも後面２Ｂ側に凹むように略Ｌ字状に形成されたフロントパネル３が設けられている。
【００４６】
フロントパネル３において上方向に向くほぼ水平な上向パネル３Ａには、例えば、左寄りに、種々の操作画像の表示及び表面へのタッチ操作が可能なタッチスクリーン４が設けられている。
【００４７】
またフロントパネル３の上向パネル３Ａには、例えば、右寄りに、長方形の紙幣を投入し、また取り出すための紙幣投入取出部５が設けられている。
【００４８】
一方、フロントパネル３において前方向に向くほぼ垂直な前向パネル３Ｂには、例えば、左寄りに、取引の際に通帳を挿入し、また当該通帳や取引明細書を排出するための通帳挿入排出口７が設けられている。
【００４９】
またフロントパネル３において前向パネル３Ｂには、例えば、右寄りに、取引の際にキャッシュカードやクレジットカード等の種々のカードを挿入及び排出するためのカード挿入排出口８も設けられている。
【００５０】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００５１】
これにより現金自動預払機１は、顧客に操作画像を介して、現金の預け入れのような入金や払い出しのような出金等の所望の取引の手順を案内する。
【００５２】
そして現金自動預払機１は、顧客に、その案内に従って通帳挿入排出口７やカード挿入排出口８に通帳やカードを挿入させ、また紙幣投入取出部５に入金用の紙幣を投入させる。
【００５３】
また現金自動預払機１は、顧客に、その案内に従って通帳挿入排出口７やカード挿入排出口８から排出した通帳や取引明細書、カードを受け取らせ、紙幣投入取出部５から出金用の紙幣を取り出させる。このようにして現金自動預払機１は、顧客が所望する紙幣の入金や出金等の取引を行うことができる。
【００５４】
（１−２）現金自動預払機の内部構成
次いで、現金自動預払機１の内部構成について説明する。図２に示すように、現金自動預払機１の預払機筐体２内には、上述の紙幣投入取出部５が上向パネル３Ａに対応させて配置されている。
【００５５】
また預払機筐体２内には、紙幣投入取出部５の後斜下に、紙幣鑑別用の各種センサを有する鑑別部１０が配置されると共に、当該紙幣投入取出部５及び鑑別部１０の後側に紙幣を一時的に保持する一時保留部１１が配置されている。
【００５６】
さらに預払機筐体２内には、鑑別部１０の下側に、それぞれ紙幣を種類別（すなわち、日本の１万円紙幣や米国の１ドル紙幣等のように発行国及び金類別）に収納する（すなわち、それぞれ特定の１種類の紙幣のみを収納する）複数の紙幣収納繰出庫１２乃至１５が、前から後へ順に並べて配置されている。
【００５７】
さらに預払機筐体２内には、一時保留部１１の下に、複数の紙幣収納繰出庫１２乃至１５に紙幣を補充し、また複数の紙幣収納繰出庫１２乃至１５から紙幣を回収するための補充回収庫１６が着脱可能に装着されている。
【００５８】
さらに預払機筐体２内には、補充回収庫１６の下に、破損している紙幣や折れ曲がっている紙幣等のような異常な紙幣（以下、これを特にリジェクト紙幣とも呼ぶ）を収納するためのリジェクト庫１７が着脱可能に装着されている。
【００５９】
さらにまた預払機筐体２内には、これら紙幣投入取出部５、鑑別部１０、一時保留部１１、複数の紙幣収納繰出庫１２乃至１５、補充回収庫１６及びリジェクト庫１７の間に図示しない複数の搬送部が順に接続されて配置されている。
【００６０】
これにより預払機筐体２内には、これら複数の搬送部により、紙幣投入取出部５、鑑別部１０、一時保留部１１、複数の紙幣収納繰出庫１２乃至１５、補充回収庫１６及びリジェクト庫１７の間で紙幣を搬送する搬送路１８が形成されている。
【００６１】
因みに、預払機筐体２では、例えば、搬送路１８を介して長方形の紙幣を、一方の短辺を左側に位置させ、かつ他方の短辺を右側に位置させて（すなわち、紙幣の長手方向を左方向とほぼ平行にして）一方の長辺を搬送方向に向けた搬送姿勢で搬送する。
【００６２】
なお、以下の説明では、紙幣の長手方向を、紙幣長手方向とも呼び、当該紙幣の短手方向を、紙幣短手方向とも呼ぶ。
【００６３】
よって預払機筐体２では、紙幣投入取出部５、鑑別部１０、一時保留部１１、複数の紙幣収納繰出庫１２乃至１５、補充回収庫１６及びリジェクト庫１７において紙幣を、その搬送姿勢に応じて一方の短辺を左側に位置させ、かつ他方の短辺を右側に位置させた（すなわち、紙幣長手方向を左方向とほぼ平行にした）姿勢で取り扱っている。
【００６４】
実際、預払機筐体２内には、現金自動預払機１全体を統括制御して紙幣の入金処理及び出金処理等を実行するマイクロプロセッサ構成の制御部１９が設けられている。
【００６５】
因みに、制御部１９は、例えば、ＣＰＵ（Central  Processing  Unit）と、入金処理や出金処理等の種々の処理を実行するための各種プログラムと共に、これら種々の処理に用いる各種情報を記憶するメモリとを有している。
【００６６】
これにより制御部１９は、紙幣の入金時、顧客により紙幣投入取出部５に入金用の１又は複数の紙幣が投入されると、当該紙幣投入取出部５から１又は複数の紙幣を１枚ずつ繰り出し搬送路１８を介して鑑別部１０へ搬送する。
【００６７】
ここで、制御部１９のメモリには、例えば、現金自動預払機１で扱うことが想定される、各国の紙幣に関する発行国や金種等の各種情報がデータベース（以下、これを紙幣データベースとも呼ぶ）化されて予め記憶されている。
【００６８】
そして鑑別部１０は、搬送路１８を介して搬送された紙幣を１枚ずつ内部に通しながら、紙幣鑑別用の各種センサを介して種々の情報を得る。
【００６９】
このようにして鑑別部１０は、内部に紙幣を１枚ずつ通す毎に各種センサから得られる情報を、制御部１９のメモリ内の紙幣データベースと照合して当該紙幣の種類（すなわち、日本の１万円紙幣や米国の１ドル紙幣等のような紙幣の発行国及び金種）を鑑別する。
【００７０】
また鑑別部１０は、このとき各種センサから得られる情報に基づき、紙幣の状態（すなわち、破損の有無や折れの有無等）も鑑別して、これら紙幣の種類及び状態の鑑別結果を制御部１９に通知する。
【００７１】
よって制御部１９は、この際、鑑別部１０から与えられる紙幣の鑑別結果に応じて、当該鑑別部１０によって鑑別された紙幣の種類及び状態を認識する。
【００７２】
その結果、制御部１９は、鑑別部１０から正常であると鑑別されて繰り出された紙幣については、搬送路１８を介して一時保留部１１へ搬送して一時的に保持させることにより、当該紙幣の入金を保留する。
【００７３】
また制御部１９は、鑑別部１０から破損や折れ等により異常であると鑑別されて繰り出された紙幣については、リジェクト紙幣として搬送路１８を介して紙幣投入取出部５へ搬送することにより、顧客に当該紙幣投入取出部５から取り出させるようにして返却する。
【００７４】
このようにして制御部１９は、鑑別部１０において、紙幣投入取出部５内に投入された入金用の紙幣が全て鑑別されると、正常であると鑑別された紙幣の総額（すなわち、入金の金額）を、タッチスクリーン４を介して顧客に提示する。
【００７５】
その結果、制御部１９は、入金の金額を確認した顧客によりタッチスクリーン４を介して紙幣の入金が指示されると、一時保留部１１から一時的に保持していた紙幣を１枚ずつ繰り出し搬送路１８を介して鑑別部１０へ搬送して、当該鑑別部１０において再び上述と同様に紙幣の種類及び状態を鑑別させる。
【００７６】
そして制御部１９は、鑑別部１０から種類が鑑別され、かつ正常であると鑑別されて繰り出された紙幣については、搬送路１８を介して、その鑑別された種類に応じた紙幣収納繰出庫１２乃至１５へ搬送して収納する。
【００７７】
ただし、制御部１９は、この際、鑑別部１０から種類が鑑別され、かつ異常であると鑑別されて繰り出された紙幣については、リジェクト紙幣として搬送路１８を介してリジェクト庫１７へ搬送して収納することにより、その後、出金には用いないようにする。制御部１９は、このようにして入金処理を実行して、顧客の所望する取引としての紙幣の入金を行うことができる。
【００７８】
一方、制御部１９は、紙幣の出金時、例えば、顧客によりタッチスクリーン４を介して出金の金額が指定されると、紙幣収納繰出庫１２乃至１５から、当該顧客により指定された金額分の紙幣を１枚ずつ繰り出し搬送路１８を介して鑑別部１０へ搬送して、当該鑑別部１０において上述と同様に紙幣の種類及び状態を鑑別させる。
【００７９】
その結果、制御部１９は、鑑別部１０から正常であると鑑別されて繰り出された紙幣については、搬送路１８を介して紙幣投入取出部５へ搬送する。
【００８０】
ただし、制御部１９は、この際、鑑別部１０から異常であると鑑別されて繰り出された紙幣については、リジェクト紙幣として搬送路１８を介して一時保留部１１へ搬送して一時的に保持させる。
【００８１】
そして制御部１９は、紙幣投入取出部５に、出金用に指定された金額分の紙幣を搬送し終えると、顧客に当該紙幣投入取出部５から、その出金用に指定された金額分の紙幣を取り出させるようにして引き渡す。
【００８２】
因みに、制御部１９は、この際、一時保留部１１にリジェクト紙幣を保持していると、出金の終了後（すなわち、紙幣を顧客に引き渡した後）、一時保留部１１から一時的に保持していたリジェクト紙幣を１枚ずつ繰り出し搬送路１８を介してリジェクト庫１７へ搬送して収納することにより、その後、出金には用いないようにする。制御部１９は、このようにして出金処理を実行して、顧客の所望する取引としての紙幣の出金を行うことができる。
【００８３】
また制御部１９は、紙幣の補充時、補充回収庫１６から紙幣を１枚ずつ繰り出し搬送路１８を介して鑑別部１０へ搬送して、当該鑑別部１０において上述と同様に紙幣の種類及び状態を鑑別させる。
【００８４】
その結果、制御部１９は、鑑別部１０から種類が鑑別され、かつ正常であると鑑別されて繰り出された紙幣については、搬送路１８を介して、その鑑別された種類に応じた紙幣収納繰出庫１２乃至１５へ搬送して収納する。
【００８５】
ただし、制御部１９は、この際、鑑別部１０から種類が鑑別され、かつ異常であると鑑別されて繰り出された紙幣については、リジェクト紙幣として搬送路１８を介してリジェクト庫１７へ搬送して収納する。制御部１９は、このようにして補充処理を実行して、複数の紙幣収納繰出庫１２乃至１５に出金処理に用いる紙幣を補充することができる。
【００８６】
さらに制御部１９は、紙幣の回収時、紙幣収納繰出庫１２乃至１５から紙幣を１枚ずつ繰り出し搬送路１８を介して鑑別部１０へ搬送して、当該鑑別部１０において上述と同様に紙幣の種類及び状態を鑑別させる。
【００８７】
その結果、制御部１９は、鑑別部１０から正常であると鑑別されて繰り出された紙幣については、搬送路１８を介して補充回収庫１６へ搬送して収納する。
【００８８】
ただし、制御部１９は、この際、鑑別部１０から種類が鑑別され、かつ異常であると鑑別されて繰り出された紙幣については、リジェクト紙幣として搬送路１８を介してリジェクト庫１７へ搬送して収納する。制御部１９は、このようにして回収処理を実行して、複数の紙幣収納繰出庫１２乃至１５から入金処理によって収納していた紙幣を回収することができる。
【００８９】
（１−３）紙幣収納繰出庫の構成
次いで、複数の紙幣収納繰出庫１２乃至１５の構成について説明する。ただし、これら複数の紙幣収納繰出庫１２乃至１５は、同様に構成されているため、１つの紙幣収納繰出庫１２の構成についてのみ説明し、他の紙幣収納繰出庫１３乃至１５の構成については説明を省略する。
【００９０】
図３に示すように、紙幣収納繰出庫１２は、例えば、６枚の金属板を組み合わせるようにして上下に長い箱型に形成された外装ケース２０を有し、当該外装ケース２０の天板２０Ａ前寄りに、左方向と平行なスリット状の紙幣取込繰出口２０ＡＸが形成されている。
【００９１】
また図４に示すように、紙幣収納繰出庫１２の外装ケース２０には、上下に長い略箱型の紙幣収納部２２が収納されると共に、当該紙幣収納部２２の左側壁２２Ａ及び右側壁２２Ｂに設けられた昇降駆動部２３が収納されている。
【００９２】
さらに紙幣収納部２２内には、一面２５Ａを上に向けて当該一面２５Ａに複数の紙幣を積層するように載上するための長方形の平板状のステージ２５が設けられている。因みに、以下の説明では、ステージ２５の一面２５Ａを、紙幣載上面２５Ａとも呼ぶ。
【００９３】
ステージ２５は、その長手方向（以下、これをステージ長手方向とも呼ぶ）の一端の中央部に短冊状の支持アーム（以下、これを一端支持アームとも呼ぶ）２５Ｂが紙幣載上面２５Ａに垂直に設けられ、当該一端支持アーム２５Ｂの先端部を紙幣載上面２５Ａの上側に突出させている。
【００９４】
またステージ２５は、一端支持アーム２５Ｂに対向させてステージ長手方向の他端の中央部にも短冊状の支持アーム（以下、これを他端支持アームとも呼ぶ）２５Ｃが紙幣載上面２５Ａに垂直に設けられ、当該他端支持アーム２５Ｃの先端部を紙幣載上面２５Ａの上側に突出させている。
【００９５】
さらに一端支持アーム２５Ｂ及び他端支持アーム２５Ｃの外面には、それぞれ直径の等しい２本のガイド軸が、紙幣載上面２５Ａと垂直な方向に沿って所定の間隔で植設されている。
【００９６】
そして、これら複数のガイド軸には、それぞれ直径の等しいガイドローラ２６乃至２８（右側は１つのみ図示し、他の１つは図示せず）が、当該ガイド軸を中心にして回動可能に取り付けられている。
【００９７】
一方、紙幣収納部２２の左側壁２２Ａには、外面中央部に上端近傍から下端近傍に亘る上方向と平行な細長い昇降ガイド孔部（以下、これを左昇降ガイド孔部とも呼ぶ）２２ＡＸが穿設されている。
【００９８】
また紙幣収納部２２の右側壁２２Ｂには、左昇降ガイド孔部２２ＡＸと対向させて、外面中央部に上端近傍から下端近傍に亘る上方向と平行な細長い昇降ガイド孔部（以下、これを右昇降ガイド孔部とも呼ぶ）２２ＢＸが穿設されている。
【００９９】
因みに、左昇降ガイド孔部２２ＡＸ及び右昇降ガイド孔部２２ＢＸの幅は、共にガイドローラ２６乃至２８の直径とほぼ等しく選定されている。
【０１００】
そしてステージ２５は、紙幣載上面２５Ａを上方向に向け、かつステージ長手方向を左方向と平行にした姿勢で、一端支持アーム２５Ｂ側の２つのガイドローラ２６、２７が、紙幣収納部２２の左昇降ガイド孔部２２ＡＸに係合されている。
【０１０１】
またステージ２５は、係る姿勢で、他端支持アーム２５Ｃ側の２つのガイドローラ２８が、紙幣収納部２２の右昇降ガイド孔部２２ＢＸに係合されている。
【０１０２】
これにより紙幣収納部２２は、左側壁２２Ａ及び右側壁２２Ｂの左昇降ガイド孔部２２ＡＸ及び右昇降ガイド孔部２２ＢＸを介して内部にステージ２５を、紙幣載上面２５Ａを上に向けたまま、上方向及び下方向に移動可能（すなわち、昇降可能）に支持している。
【０１０３】
また昇降駆動部２３は、等しい直径及び幅を有する４つのプーリ３０乃至３３と、当該プーリ３０乃至３３の幅よりも僅かに長い２本のプーリ支持軸３４、３５と、紙幣収納部２２の左右の幅よりも長い１本のプーリ駆動軸３６とを有している。
【０１０４】
この場合、昇降駆動部２３の一方のプーリ支持軸３４は、左方向と平行な姿勢で、紙幣収納部２２の左側壁２２Ａの外面において例えば、左昇降ガイド孔部２２ＡＸの上端部の前側に植設されている。
【０１０５】
そして一方のプーリ支持軸３４は、紙幣収納部２２の左側壁２２Ａの外面から左側に突出している先端部をプーリ３０の中心に穿設された孔部に挿入するようにして、当該プーリ３０を矢印ｄ１で示す一回転方向及びこれとは逆の他回転方向へ回動可能に支持している。
【０１０６】
また昇降駆動部２３の他方のプーリ支持軸３５は、左方向と平行な姿勢で、紙幣収納部２２の右側壁２２Ｂの外面において例えば、一方のプーリ支持軸３４の植設位置と対向する右昇降ガイド孔部２２ＢＸの上端部の前側に植設されている。
【０１０７】
そして他方のプーリ支持軸３５は、紙幣収納部２２の右側壁２２Ｂの外面から右側に突出している先端部をプーリ３１の中心に穿設された孔部に挿入するようにして、当該プーリ３１を一回転方向及び他回転方向へ回動可能に支持している。
【０１０８】
因みに、以下の説明では、紙幣収納部２２の左昇降ガイド孔部２２ＡＸの上端部の前側に位置するプーリ３０を、左上プーリ３０とも呼び、当該紙幣収納部２２の右昇降ガイド孔部２２ＢＸの上端部の前側に位置するプーリ３１を、右上プーリ３１とも呼ぶ。
【０１０９】
さらに紙幣収納部２２の左側壁２２Ａ及び右側壁２２Ｂは、一対のプーリ支持軸３４、３５の真下となる左昇降ガイド孔部２２ＡＸの下端部の前側及び右昇降ガイド孔部２２ＢＸの下端部の前側に軸支持孔部が対向させて穿設されている。
【０１１０】
そして昇降駆動部２３のプーリ駆動軸３６は、左方向と平行にして紙幣収納部２２の左側壁２２Ａの軸支持孔部及び右側壁２２Ｂの軸支持孔部に順に通されて、当該紙幣収納部２２に一回転方向及び他回転方向へ回動可能に支持されている。
【０１１１】
またプーリ駆動軸３６は、紙幣収納部２２の左側壁２２Ａの外面から左側に突出している一端部にプーリ３２が、当該プーリ３２の中心に穿設された孔部を介して取り付けられている。
【０１１２】
因みに、以下の説明では、プーリ駆動軸３６の一端部に取り付けられ、紙幣収納部２２の左昇降ガイド孔部２２ＡＸの下端部の前側に位置するプーリ３２を、左下プーリ３２とも呼ぶ。
【０１１３】
さらにプーリ駆動軸３６は、紙幣収納部２２の右側壁２２Ｂの外面から右側に突出している他端部にプーリ３３が、当該プーリ３３の中心に穿設された孔部を介して取り付けられている。
【０１１４】
因みに、以下の説明では、プーリ駆動軸３６の他端部に取り付けられ、紙幣収納部２２の右昇降ガイド孔部２２ＢＸの下端部の前側に位置するプーリ３３を、右下プーリ３３とも呼ぶ。
【０１１５】
そして昇降駆動部２３は、左上プーリ３０から左下プーリ３２に亘り無端状のベルト（以下、これを左ベルトとも呼ぶ）３７が、当該左上プーリ３０及び左下プーリ３２間の一対の直線状の部分を上方向と平行にしてかけられている。
【０１１６】
また昇降駆動部２３は、右上プーリ３１から右下プーリ３３に亘っても同様に無端状のベルト（以下、これを右ベルトとも呼ぶ）３８が、当該右上プーリ３１及び右下プーリ３３間の一対の直線状の部分を上方向と平行にしてかけられている。
【０１１７】
さらにステージ２５は、一端支持アーム２５Ｂに左ベルト係止部２５ＢＸが植設され、当該左ベルト係止部２５ＢＸを紙幣収納部２２の左昇降ガイド孔部２２ＡＸに通して左側壁２２Ａの外面から左側に突出させている。
【０１１８】
さらにまたステージ２５は、他端支持アーム２５Ｃに右ベルト係止部２５ＣＸが植設され、当該右ベルト係止部２５ＣＸを紙幣収納部２２の右昇降ガイド孔部２２ＢＸに通して右側壁２２Ｂの外面から右側に突出させている。
【０１１９】
そして昇降駆動部２３は、左ベルト３７において上方向と平行な前後２箇所の直線状の部分うち後側の直線状の部分の所定位置に、ステージ２５の左ベルト係止部２５ＢＸが係止されている。
【０１２０】
また昇降駆動部２３は、右ベルト３８において上方向と平行な前後２箇所の直線状の部分うち後側の直線状の部分の所定位置に、ステージ２５の右ベルト係止部２５ＣＸが係止されている。
【０１２１】
さらに昇降駆動部２３は、プーリ駆動軸３６の他端（すなわち、他端部に取り付けられた右下プーリ３３よりも右側）に駆動ギア３９が取り付けられている。
【０１２２】
さらにまた昇降駆動部２３は、例えば、紙幣収納部２２の右側壁２２Ｂの右側に配置されたプーリ駆動モータ４０を有し、当該プーリ駆動モータ４０の出力軸に取り付けられたモータギア４１を駆動ギア３９に歯合させている。
【０１２３】
よって昇降駆動部２３は、制御部１９によるプーリ駆動モータ４０の駆動に応じてプーリ駆動軸３６を一回転方向及び他回転方向へ回転させることができる。
【０１２４】
そして昇降駆動部２３は、制御部１９によるプーリ駆動モータ４０の駆動に応じてプーリ駆動軸３６を一回転方向へ回転させると、これに連動させて左下プーリ３２及び左上プーリ３０と共に左ベルト３７を一回転方向に回転させる。
【０１２５】
また昇降駆動部２３は、この際、プーリ駆動軸３６の一回転方向への回転に連動させて右下プーリ３３及び右上プーリ３１と共に右ベルト３８も一回転方向に回転させる。
【０１２６】
これにより昇降駆動部２３は、左ベルト３７及び右ベルト３８を介してステージ２５を、紙幣載上面２５Ａを上方向に向けて水平にしたまま上昇させる（すなわち、上方向へ移動させる）ことができる。
【０１２７】
これに対し昇降駆動部２３は、制御部１９によるプーリ駆動モータ４０の駆動に応じてプーリ駆動軸３６を他回転方向へ回転させると、これに連動させて左下プーリ３２及び左上プーリ３０と共に左ベルト３７を他回転方向に回転させる。
【０１２８】
また昇降駆動部２３は、この際、プーリ駆動軸３６の他回転方向への回転に連動させて右下プーリ３３及び右上プーリ３１と共に右ベルト３８も他回転方向に回転させる。
【０１２９】
これにより昇降駆動部２３は、左ベルト３７及び右ベルト３８を介してステージ２５を、紙幣載上面２５Ａを上方向に向けて水平にしたまま下降させる（すなわち、下方向へ移動させる）ことができる。
【０１３０】
ところで、図５に示すように、紙幣収納部２２の左側壁２２Ａ及び右側壁２２Ｂは、共に前端部全体をステージ２５の前縁よりも前に突出させている。
【０１３１】
また紙幣収納部２２の前壁２２Ｃは、例えば、下端部は平坦に形成されているものの、上端部が緩やかなＳ字を描くように屈曲されて当該下端部よりも前側にせりだすように形成されている。
【０１３２】
そして紙幣収納部２２の前壁２２Ｃは、左側壁２２Ａ及び右側壁２２Ｂの間に例えば、下端部を上方向と平行にして当該左側壁２２Ａ及び右側壁２２Ｂの前縁よりも後側に位置させ、上端を左側壁２２Ａ及び右側壁２２Ｂの前上隅に一致させるようにして設けられている。
【０１３３】
さらに紙幣収納部２２の上壁２２Ｄは、例えば、後端部は平坦に形成されるものの、前端部が前壁２２Ｃの上端部の屈曲形状に沿って上側へ屈曲するような弓形状に形成されている。
【０１３４】
そして紙幣収納部２２の上壁２２Ｄは、左側壁２２Ａ及び右側壁２２Ｂの間に例えば、後端部を前方向と平行にして当該左側壁２２Ａ及び右側壁２２Ｂの上縁よりも下側に位置させ、前端部を前壁２２Ｃの上端部と所定の隙間を空けて近接させるようにして設けられている。
【０１３５】
これにより紙幣収納部２２は、前壁２２Ｃの下端部、左側壁２２Ａ、右側壁２２Ｂ、後壁（図示せず）及び上壁２２Ｄの後端部により、ステージ２５の昇降させ、また当該ステージ２５の紙幣載上面２５Ａに積層するように載上される複数の紙幣４５を収納する紙幣収納空間を形成している。
【０１３６】
また紙幣収納部２２は、前壁２２Ｃの上端部、左側壁２２Ａの上前端部、右側壁２２Ｂの上前端部及び上壁２２Ｄの前端部により、紙幣収納空間と外装ケース２０の紙幣取込繰出口２０ＡＸとを繋いで紙幣４５を取込及び繰出用に通すための紙幣取込繰出路を形成している。
【０１３７】
さらに紙幣収納部２２は、左側壁２２Ａ及び右側壁２２Ｂにおいて上壁２２Ｄの平坦な後端部と屈曲された前端部との境界部分の後斜め上に、ローラ回動軸４６を左方向と平行にして一回転方向及び他回転方向へ回動可能に支持している。
【０１３８】
そしてローラ回動軸４６には、略円筒状のフィードローラ４７が、その中心に穿設された孔部を介して取り付けられている。
【０１３９】
この場合、フィードローラ４７は、例えば、その長手方向の中央部に周側面の一周に亘る凹部が形成されており、当該周側面において下側の所定部分を紙幣収納部２２の上壁２２Ｄに穿設された対向する孔部を介して紙幣取込繰出路内に入り込ませている。
【０１４０】
また紙幣収納部２２は、左側壁２２Ａ及び右側壁２２Ｂにおいてフィードローラ４７のほぼ真上となる、前壁２２Ｃの平坦な下端部と屈曲された上端部との境界部分の下側に、ローラ回動軸４８を左方向と平行にして一回転方向及び他回転方向へ回動可能に支持している。
【０１４１】
そしてローラ回動軸４８には、略円筒状の分離ローラ４９が、その中心に穿設された孔部を介して取り付けられている。
【０１４２】
この場合、分離ローラ４９は、例えば、その長手方向の一端部及び他端部にそれぞれ周側面の一周に亘る凹部が形成されており、当該周側面において後斜上側の所定部分を紙幣収納部２２の前壁２２Ｃに穿設された対向する孔部を介して紙幣取込繰出路内に入り込ませている。
【０１４３】
これにより紙幣収納部２２は、紙幣取込繰出路内で、フィードローラ４７の周側面の凹部及び凸部を、分離ローラ４９の周側面の対向する凸部及び凹部と僅かにかみ合わせている。
【０１４４】
さらに紙幣収納部２２は、左側壁２２Ａ及び右側壁２２Ｂにおいてフィードローラ４７の前斜下となる、前壁２２Ｃの上端部の下側に、ローラ回動軸５０を左方向と平行にして一回転方向及び他回転方向へ回動可能に支持している。
【０１４５】
そしてローラ回動軸５０には、例えば、２つのプレッシャローラ５１（１つのみ図示して他は図示せず）が、これらの中心に穿設された孔部を介して所定の間隔で取り付けられている。
【０１４６】
この場合、２つのプレッシャローラ５１は、それぞれ周側面において後斜上側の所定部分を、紙幣収納部２２の前壁２２Ｃに穿設された対向する孔部を介して紙幣取込繰出路内に入り込ませている。
【０１４７】
これにより紙幣収納部２２は、紙幣取込繰出路内で、２つのプレッシャローラ５１の周側面の一部を、フィードローラ４７の周側面の対向する凸部の一部（すなわち、一端部及び他端部）に押し付けている。
【０１４８】
そして紙幣収納部２２には、図示しない取込繰出用モータが設けられており、当該取込繰出用モータの出力軸が図示しない複数のギアを介してフィードローラ４７のローラ回動軸４６に連結されている。
【０１４９】
これにより紙幣収納部２２は、制御部１９による取込繰出用モータの駆動に応じてフィードローラ４７を、ローラ回動軸４６を中心にして一回転方向及び他回転方向へ回転させると共に、これに連動させて２つのプレッシャローラ５１を、ローラ回動軸５０を中心にして逆の他回転方向及び一回転方向へ回転させることができる。
【０１５０】
また紙幣収納部２２には、図示しない取込分離用モータが設けられており、当該取込分離用モータの出力軸が図示しない複数のギアを介して分離ローラ４９のローラ回動軸４８に連結されている。
【０１５１】
これにより紙幣収納部２２は、制御部１９による取込分離用モータの駆動に応じて分離ローラ４９を、ローラ回動軸４８を中心にして他回転方向へ回転させることができる。
【０１５２】
さらに紙幣収納部２２は、左側壁２２Ａ及び右側壁２２Ｂにおいてステージ２５の紙幣載上面２５Ａの前端部のほぼ真上となる上壁２２Ｄのさらに上側に、ローラ回動軸５２を左方向と平行にして一回転方向及び他回転方向へ回動可能に支持している。
【０１５３】
そしてローラ回動軸５２には、複数（例えば、４つ）の送出ローラ（以下、これをピックアップローラとも呼び、１つのみ図示して他は図示せず）５３が、それぞれ中心に穿設された孔部を介して、所定の間隔で取り付けられている。
【０１５４】
この場合、複数のピックアップローラ５３は、所定個数（例えば、２つ）毎に、フィードローラ４７の周側面の一方又は他方の凸部（すなわち、一端部及び他端部）の後側に所定の間隔を空けて位置し、それぞれ周側面において下側の所定部分を、紙幣収納部２２の上壁２２Ｄに穿設された対向する孔部を介して紙幣収納空間に入り込ませている。
【０１５５】
すなわち、ピックアップローラ５３は、例えば、４つの場合、そのうちの２つが共に紙幣収納部２２の左側壁２２Ａ側に位置してフィードローラ４７の周側面の一方の凸部（すなわち、一端部）と対向し、残りの２つが共に紙幣収納部２２の右側壁２２Ｂ側に位置して当該フィードローラ４７の他方の凸部（すなわち、他端部）と対向している。
【０１５６】
そして紙幣収納部２２は、図示しない送出用モータが設けられており、当該送出用モータの出力軸が図示しない複数のギアを介して複数のピックアップローラ５３のローラ回動軸５２に連結されている。
【０１５７】
これにより紙幣収納部２２は、制御部１９による送出用モータの駆動に応じて複数のピックアップローラ５３を、ローラ回動軸５２を中心にして一回転方向及び他回転方向へ回転させることができる。
【０１５８】
ここで、複数のピックアップローラ５３は、後述するように紙幣繰出時、送出用モータの駆動に応じて他回転方向へ回転することで、ステージ２５の紙幣載上面２５Ａに載っている紙幣４５をフィードローラ４７及び分離ローラ４９側（すなわち、紙幣４５の繰出側）へ送り出すためのものである。
【０１５９】
そして複数のピックアップローラ５３は、フィードローラ４７及び分離ローラ４９から比較的離れていると、ステージ２５の紙幣載上面２５Ａに載っている紙幣４５の状態によっては、当該紙幣４５を送り出し途中に大きくそらせる等してフィードローラ４７及び分離ローラ４９の間へ的確には送り出し難い場合がある。
【０１６０】
このため複数のピックアップローラ５３は、フィードローラ４７及び分離ローラ４９に極力近づけられて、ステージ２５の紙幣載上面２５Ａの前側の端部と対向させて配置されている。
【０１６１】
これにより複数のピックアップローラ５３は、ステージ２５の紙幣載上面２５Ａに載っている紙幣４５をフィードローラ４７及び分離ローラ４９の間へ的確に送り出すことができる。
【０１６２】
ところで、紙幣収納部２２では、複数のピックアップローラ５３から、例えば、紙幣４５を数十枚程度重ねた場合の全体の厚みに相当する所定距離だけ下側の位置が、紙幣４５の取込用にステージ２５の紙幣載上面２５Ａや当該紙幣載上面２５Ａに載っている１又は複数の紙幣４５のうち最も上の紙幣４５を位置させる紙幣取込位置に選定されている。
【０１６３】
因みに、以下の説明では、ステージ２５の紙幣載上面２５Ａに載っている１又は複数の紙幣４５のうち最も上に位置する紙幣４５を、最上位紙幣４５とも呼ぶ。
【０１６４】
そして図４に示すように、紙幣収納部２２の左側壁２２Ａ及び右側壁２２Ｂには、複数のピックアップローラ５３よりも下の紙幣取込位置に光ビーム通過孔部が対向させて穿設されている。
【０１６５】
そのうえで紙幣収納部２２の左側壁２２Ａの外面には、例えば、紙幣４５の取込用にステージ２５の位置を制御するために用いられる取込位置センサの発光素子５５が発光面を当該左側壁２２Ａの光ビーム通過孔部と対向させて配置されている。
【０１６６】
また紙幣収納部２２の右側壁２２Ｂの外面には、係る取込位置センサの受光素子５６が受光面を当該右側壁２２Ｂの光ビーム通過孔部と対向させて（すなわち、光ビーム通過孔部を介して発光素子５５の発光面と対向させて）配置されている。
【０１６７】
そして取込位置センサは、例えば、紙幣収納繰出庫１２の紙幣収納時、制御部１９の制御のもと、発光素子５５の発光面から光ビームを連続的に発射しており、当該光ビームがステージ２５や紙幣載上面２５Ａ上の紙幣４５によって遮られない場合、受光素子５６の受光面で光ビームを受光することができる。
【０１６８】
また取込位置センサは、発光素子５５の発光面から発射する光ビームがステージ２５や紙幣載上面２５Ａに載っている紙幣４５によって遮られた場合、受光素子５６の受光面で光ビームを受光することはできない。
【０１６９】
よって取込位置センサの受光素子５６は、光ビームの受光の有無を信号レベルの変化で示す受光有無信号を、紙幣載上面２５Ａに紙幣４５が１枚も載っていない場合はステージ２５の当該紙幣載上面２５Ａが、また紙幣載上面２５Ａに１又は複数の紙幣４５が載っている場合は最上位紙幣４５が紙幣取込位置に到達したか否かを示す取込位置到達有無信号として制御部１９に送出する。
【０１７０】
これにより制御部１９は、例えば、紙幣載上面２５Ａに紙幣４５が全く載っていない状態でプーリ駆動モータ４０を駆動してステージ２５を上昇又は下降させた場合は、取込位置到達有無信号に基づき、紙幣載上面２５Ａが紙幣取込位置に到達したか否かを検出することができる。
【０１７１】
また制御部１９は、例えば、紙幣載上面２５Ａに１又は複数の紙幣４５が載っている状態でプーリ駆動モータ４０を駆動してステージ２５を上昇又は下降させた場合は、取込位置到達有無信号に基づき、紙幣載上面２５Ａ上の最上位紙幣４５が紙幣取込位置に到達したか否かを検出することができる。
【０１７２】
このようにして制御部１９は、紙幣収納繰出庫１２の紙幣収納時、取込位置到達有無信号に基づいてプーリ駆動モータ４０を駆動制御して、紙幣載上面２５Ａや最上位紙幣４５を紙幣取込位置に位置させるようにステージ２５を上昇又は下降させている。
【０１７３】
また図４に示すように、ステージ２５の左ベルト係止部２５ＢＸ（図４）は、先端部に短冊状の下降位置検出アーム２５ＢＹが後方向へ突設されられている。
【０１７４】
また昇降駆動部２３は、ステージ２５が紙幣取込位置よりも下で、かつプーリ駆動軸３６よりもある程度上の（すなわち、ステージ２５をプーリ駆動軸３６からある程度離すような）所定のステージ下限位置まで下降したか否かを検出するための下限位置センサ５８を有している。
【０１７５】
下限位置センサ５８は、例えば、平板状の台座の一面に、一対のセンサアームが、下降位置検出アーム２５ＢＹの厚みよりも広い所定の隙間を空けて対向配置されている。
【０１７６】
また下限位置センサ５８は、一方のセンサアームに発光素子が、その発光面を他方のセンサアームに向けて取り付けられると共に、他方のセンサアームに受光素子が、その受光面を発光素子の発光面と対向させて取り付けられている。
【０１７７】
そして下限位置センサ５８は、紙幣収納部２２の左側壁２２Ａの外面のステージ下限位置に、一対のセンサアームの隙間を、下降位置検出アーム２５ＢＹと対向させて配置されている。
【０１７８】
よって下限位置センサ５８は、ステージ２５がステージ下限位置まで下降した場合、一対のセンサアームの隙間に下降位置検出アーム２５ＢＹを入り込ませ、また当該ステージ２５がステージ下限位置よりも上昇した場合は、一対のセンサアームの隙間から下降位置検出アーム２５ＢＹを引き抜かせるようにしている。
【０１７９】
そして下限位置センサ５８は、紙幣収納繰出庫１２の紙幣収納時及び紙幣繰出時、発光素子の発光面から光ビームを連続的に発射しており、一対のセンサアームの隙間に下降位置検出アーム２５ＢＹが入り込んでいない場合、その光ビームを受光素子の受光面で受光することができる。
【０１８０】
また下限位置センサ５８は、一対のセンサアームの隙間に下降位置検出アーム２５ＢＹが入り込んだ場合、発光素子の発光面から発射された光ビームが当該下降位置検出アーム２５ＢＹによって遮られて受光素子の受光面で受光することはできない。
【０１８１】
よって下限位置センサ５８の受光素子は、光ビームの受光の有無を信号レベルの変化で示す受光有無信号を、ステージ２５がステージ下限位置まで下降したか否かを示す下限位置到達有無信号として制御部１９に送出する。
【０１８２】
これにより制御部１９は、上述のようにプーリ駆動モータ４０を駆動してステージ２５を上昇及び下降させるものの、当該ステージ２５を下降させた場合は、下限位置到達有無信号に基づき、ステージ２５がステージ下限位置まで下降したか否かを検出することができる。
【０１８３】
また制御部１９は、下限位置到達有無信号に基づき、ステージ２５がステージ下限位置まで下降したことを検出したときには、プーリ駆動モータ４０の駆動を適宜停止して、ステージ２５をステージ下限位置に停止させておくことができる。
【０１８４】
このようにして紙幣収納繰出庫１２では、紙幣収納部２２内でステージ２５を上昇させると、これに応じてプーリ駆動軸３６との間の距離を大きくするものの、当該ステージ２５を下降させたときには、その下降をステージ下限位置で制限することでプーリ駆動軸３６から、ある程度離すようにしている。
【０１８５】
ところで、ステージ２５の材質は、例えば、現金自動預払機１で扱うことが想定される、種々の材質の紙幣（すなわち、各国の紙幣）のうち、任意に選定された紙幣（以下、これを選定紙幣とも呼ぶ）の材質に応じて選定されている。
【０１８６】
よってステージ２５は、例えば、紙幣収納繰出庫１２に選定紙幣を収納している場合、紙幣繰出時、紙幣載上面２５Ａに直に接触する１枚の選定紙幣に、繰出用に最適な（すなわち、紙幣載上面２５Ａに張り付くことなく、また他の選定紙幣と重なったまま繰り出されることがないような）摩擦力を作用させることができる。
【０１８７】
ただし，ステージ２５は、その材質が選定紙幣の材質に応じて選定されているため、紙幣収納繰出庫１２に選定紙幣とは材質の異なる他の紙幣（以下、これを他紙幣とも呼ぶ）を収納している場合、紙幣繰出時、紙幣載上面２５Ａに直に接触する１枚の他紙幣に、その接触に応じて、選定紙幣の場合とは異なる摩擦力を作用させることになる。
【０１８８】
このため、図５及び図６に示すように、ステージ２５は、下降してもプーリ駆動軸３６との間にある程度の距離が確保されることを利用して、他面２５Ｄに、紙幣載上面２５Ａの材質を部分的に適宜変更する材質変更部６０が配置されている。
【０１８９】
すなわち、ステージ２５の他面２５Ｄには、紙幣載上面２５Ａの材質を部分的に適宜変更することにより、当該紙幣載上面２５Ａに直に接触する１枚の紙幣４５に、その材質の変更部分の接触に応じて繰出用に最適な摩擦力を作用させる材質変更部６０が配置されている。
【０１９０】
因みに、ステージ２５の紙幣載上面２５Ａに直に接触する１枚の紙幣４５は、当該紙幣載上面２５Ａに載上された１又は複数の紙幣４５のうち最も下に位置することで、後述するように紙幣繰出時、紙幣収納繰出庫１２から最終的（すなわち、最後）に繰り出される１枚の紙幣４５でもある。
【０１９１】
よって、以下の説明では、ステージ２５の紙幣載上面２５Ａに直に接触する１枚の紙幣４５を、最終紙幣４５とも呼ぶ。また、以下の説明では、ステージ２５において材質変更部６０が配置される他面２５Ｄを、変更部配置面２５Ｄとも呼ぶ。
【０１９２】
材質変更部６０は、一対の変更板切換部６１、６２を有している。一方の変更板切換部６１は、例えば、複数の三角板の斜辺を順に接合するようにして略笠（すなわち、かぶりがさ）状に形成されている。
【０１９３】
また、一方の変更板切換部６１は、外面（すなわち、全体が凸状になっている面）に所定の間隔で、それぞれ材質の異なる略台形状の複数の材質変更板６３乃至６５が貼着されている。
【０１９４】
すなわち、一方の変更板切換部６１は、これを形成する複数の三角板の平坦な一面を利用して、全ての三角板の一面、又は所定個数おきの三角板の一面にそれぞれ材質変更板６３乃至６５が貼着されている。
【０１９５】
ここで、複数の材質変更板６３乃至６５の材質は、それぞれ現金自動預払機１で扱うことが想定される材質の異なる紙幣４５に応じて、当該材質変更板６３乃至６５に接触する紙幣４５に、繰出用に最適な摩擦力を作用させ得るものに選定されている。
【０１９６】
よって一方の変更板切換部６１を形成する複数の三角板の個数や、これらに貼着される材質変更板６３乃至６５の枚数は、現金自動預払機１で扱うことが想定される各国の紙幣の材質の種類（すなわち、数）に応じて適宜選定されている。
【０１９７】
因みに、複数の材質変更板６３乃至６５は、例えば、表面にニッケルめっきを施した鋼板や、板状のコルク、プラスチック板等であり、何れか１つは、ステージ２５の材質と同一の材質のものである。
【０１９８】
そして、一方の変更板切換部６１は、内面（すなわち、全体が凹状になっている面）の中心に、さしがさの柄のように円柱状の回転軸６６が、当該変更板切換部６１の中心軸に一致させて設けられている。
【０１９９】
また、他方の変更板切換部６２は、一方の変更板切換部６１と同様に形成されている。すなわち、他方の変更板切換部６２は、複数の三角板の斜辺を順に接合するようにして略笠状に形成されている。
【０２００】
また、他方の変更板切換部６２の外面には、一方の変更板切換部６１に貼着された複数の材質変更板６３乃至６５と同一（すなわち、同一の材質及び形状）の複数の材質変更板６３乃至６５が、同一の並び及び間隔で貼着されている。
【０２０１】
さらに、他方の変更板切換部６２にも、内面の中心に図示しない円柱状の回転軸が、当該変更板切換部６２の中心軸に一致させて設けられている。
【０２０２】
ここで、ステージ２５の紙幣載上面２５Ａには、紙幣収納部２２の左側壁２２Ａ側に位置する複数のフィードローラ４７と対向する（すなわち、真下となる）前端部左寄りに、材質変更板６３乃至６５よりも大きい開口部（以下、これを左開口部とも呼ぶ）２５ＡＸが穿設されている。
【０２０３】
またステージ２５の紙幣載上面２５Ａには、紙幣収納部２２の右側壁２２Ｂ側に位置する複数のフィードローラ４７と対向する（すなわち、ほぼ真下となる）前端部右寄りにも、材質変更板６３乃至６５よりも大きい開口部（以下、これを右開口部とも呼ぶ）２５ＡＹが穿設されている。
【０２０４】
そして、一方の変更板切換部６１は、１つの三角板の一面を、ステージ２５の変更部配置面２５Ｄと所定の間隙を介して平行にした状態で左開口部２５ＡＸと対向させることで、後斜上方向と平行になった回転軸６６を介して図示しない軸支持部に、当該回転軸６６を中心にして矢印ｅ１示す変更板切換方向へ回転可能に支持されている。
【０２０５】
また、他方の変更板切換部６２は、１つの三角板の一面を、ステージ２５の変更部配置面２５Ｄと所定の間隙を介して平行にした状態で右開口部２５ＡＹと対向させることで、後斜上方向と平行になった回転軸を介して軸支持部に、当該回転軸を中心にして変更板切換方向へ回転可能に支持されている。
【０２０６】
因みに、以下説明では、材質変更部６０において左側に位置する一方の変更板切換部６１を、左変更板切換部６１とも呼び、右側に位置する他方の変更板切換部６２を、右変更板切換部６２とも呼ぶ。
【０２０７】
このようにして材質変更部６０は、左変更板切換部６１をステージ２５の変更部配置面２５Ｄにおいて中心よりも左半分の部分と対向させている。
【０２０８】
また材質変更部６０は、右変更板切換部６２を、複数の材質変更板６３乃至６５とステージ２５の前後左右の縁との位置関係を、左変更板切換部６１の複数の材質変更板６３乃至６５とステージ２５の前後左右の縁との位置関係と等しくして、当該ステージ２５の変更部配置面２５Ｄにおいて中心よりも右半分の部分と対向させている。
【０２０９】
さらに材質変更部６０は、例えば、上述の図示しない軸支持部の近傍に配置された図示しない変更板切換用モータを有している。
【０２１０】
そして材質変更部６０は、変更板切換用モータの出力軸が複数のギアを介して左変更板切換部６１の回転軸６６の先端部及び右変更板切換部６２の回転軸の先端部に、当該左変更板切換部６１及び右変更板切換部６２を同一の変更板切換方向に同期させて回転させるように連結されている。
【０２１１】
これにより制御部１９は、係る材質変更部６０を制御してステージ２５の紙幣載上面２５Ａの材質を部分的に変更する場合、変更板切換用モータを駆動して左変更板切換部６１及び右変更板切換部６２を共に変更板切換方向へ回転させる。
【０２１２】
これにより制御部１９は、左変更板切換部６１の複数の材質変更板６３乃至６５のうち、何れか１つの材質変更板６３乃至６５をステージ２５の変更部配置面２５Ｄ側から左開口部２５ＡＸに通して、当該材質変更板６３乃至６５の表面を紙幣載上面２５Ａから僅かに突出させる。
【０２１３】
また制御部１９は、この際、右変更板切換部６２の複数の材質変更板６３乃至６５のうち、左開口部２５ＡＸから突出させたものと同一の材質の材質変更板６３乃至６５をステージ２５の変更部配置面２５Ｄ側から右開口部２５ＡＹに通して、当該材質変更板６３乃至６５の表面を紙幣載上面２５Ａから僅かに突出させる。
【０２１４】
このようにして制御部１９は、紙幣収納繰出庫１２で扱う紙幣４５の材質に応じて、材質変更部６０において左変更板切換部６１及び右変更板切換部６２を適宜回転させることにより、ステージ２５の紙幣載上面２５Ａから表面を突出させる材質変更板６３乃至６５を切り換えることができる。
【０２１５】
すなわち、制御部１９は、紙幣収納繰出庫１２で扱う紙幣４５の材質に応じて、材質変更部６０によりステージ２５の紙幣載上面２５Ａから、当該ステージ２５とは材質の異なる材質変更板６３乃至６５の表面を突出させ、又はステージ２５と同一の材質の材質変更板６３乃至６５の表面を突出させることができる。
【０２１６】
ところで、現金自動預払機１では、このような紙幣収納繰出庫１２において最終紙幣４５にステージ２５の紙幣載上面２５Ａとの接触によって作用する摩擦力を、材質変更板６３乃至６５の切り換えによって変更するような摩擦力変更処理を、例えば、制御部１９が、空の状態（すなわち、紙幣４５が全く収納されていない状態）の紙幣収納繰出庫１２に紙幣４５を収納する際に実行している。
【０２１７】
すなわち、制御部１９は、例えば、現金自動預払機１が銀行内や、コンビニエンスストアのような小売店舗等に設置されたとき、作業者により当該現金自動預払機１に補充回収庫１６が装填されたうえで、紙幣収納繰出庫１２への紙幣４５の収納が指示されると、摩擦力変更処理を実行する。
【０２１８】
また制御部１９は、例えば、現金自動預払機１の運用途中に扱う紙幣４５を変更するため、紙幣収納繰出庫１２内の紙幣４５を全て繰り出して補充回収庫１６に移しかえた（すなわち、収納した）うえで、その紙幣収納繰出庫１２への新たな紙幣４５の収納が指示されたときも、摩擦力変更処理を実行する。
【０２１９】
実際に制御部１９は、作業者により例えば、タッチスクリーン４を介して、空の状態の紙幣収納繰出庫１２に対する紙幣４５の収納が指示されると、メモリに予め記憶している摩擦力変更プログラムに従って図７に示す第１摩擦力変更処理手順ＲＴ１を開始する。
【０２２０】
制御部１９は、係る第１摩擦力変更処理手順ＲＴ１を開始すると、ステップＳＰ１においてタッチスクリーン４を介して作業者に、紙幣４５を収納する（すなわち、空の状態の）紙幣収納繰出庫１２と、当該紙幣収納繰出庫１２に収納する紙幣の種類とを指定するように案内する。
【０２２１】
これにより制御部１９は、作業者によりタッチスクリーン４を介して、紙幣４５を収納する紙幣収納繰出庫１２と、当該紙幣収納繰出庫１２に収納する紙幣の種類とが指定されることを待ち受ける。
【０２２２】
そして制御部１９は、作業者によりタッチスクリーン４を介して、紙幣４５を収納する紙幣収納繰出庫１２が指定されると共に、その指定された紙幣収納繰出庫１２に収納する紙幣の種類が例えば、発行国及び金種で指定されると、次のステップＳＰ２に移る。
【０２２３】
ここで、制御部１９は、例えば、メモリに構築した上述の紙幣データベースに、各国の紙幣４５に関する各種情報として、当該紙幣４５の材質や、その材質に対応する（すなわち、紙幣４５が最終紙幣４５の場合に、当該紙幣４５の材質に応じて繰出用に最適な摩擦力を作用させ得る）材質変更板６３乃至６５を示す情報も格納している。
【０２２４】
また制御部１９は、例えば、紙幣収納繰出庫１２乃至１５各々においてステージ２５の紙幣載上面２５Ａから突出させる材質変更板６３乃至６５を切り換える毎に、切換後の材質変更板６３乃至６５を示す情報を生成する。
【０２２５】
そして制御部１９は、その切換後の材質変更板６３乃至６５を示す情報を、この際、材質変更板６３乃至６５を切り換えた紙幣収納繰出庫１２乃至１５を示す情報と対応付けて変更板切換履歴情報を生成し、当該生成した更板切換履歴情報をメモリに記憶している。
【０２２６】
よってステップＳＰ２において制御部１９は、作業者により指定された紙幣収納繰出庫１２及び紙幣４５の種類（以下、これを指定種類とも呼ぶ）をもとに、メモリ内の紙幣データベース、及び当該紙幣収納繰出庫１２に対応する変更板切換履歴情報を参照する。
【０２２７】
そして制御部１９は、その参照結果をもとに、紙幣収納繰出庫１２において、ステージ２５の紙幣載上面２５Ａから突出させる材質変更板６３乃至６５を切り換えるか否かを判別する。
【０２２８】
このステップＳＰ２において肯定結果が得られると、このことは、紙幣収納繰出庫１２において現在、ステージ２５の紙幣載上面２５Ａから突出させている材質変更板６３乃至６５が、当該紙幣収納繰出庫１２に今から収納する紙幣４５に繰出用に最適な摩擦力を作用させ得るものとは異なることを表している。
【０２２９】
すなわち、係る肯定結果は、紙幣収納繰出庫１２において、今から収納する紙幣４５に対し、紙幣繰出時に繰出用に最適な摩擦力を作用させるには、ステージ２５の紙幣載上面２５Ａから突出させている材質変更板６３乃至６５を切り換える必要があることを表している。そしてステップＳＰ２において制御部１９は、係る肯定結果を得ると、次のステップＳＰ３に移る。
【０２３０】
ステップＳＰ３において制御部１９は、紙幣４５の指定種類（すなわち、指定種類の紙幣４５の材質）に応じて紙幣収納繰出庫１２内で材質変更部６０の変更板切換用モータを駆動する。
【０２３１】
これにより制御部１９は、紙幣収納繰出庫１２内の材質変更部６０において左変更板切換部６１及び右変更板切換部６２を回転させて、ステージ２５の紙幣載上面２５Ａから突出させる材質変更板６３乃至６５を切り換える。
【０２３２】
また制御部１９は、紙幣収納繰出庫１２内での材質変更板６３乃至６５の切り換えに応じて、その切換後の材質変更板６３乃至６５を示す変更板切換履歴情報を生成してメモリに記憶した後、次のステップＳＰ４に移る。
【０２３３】
ただし、ステップＳＰ２において否定結果が得られると、このことは、紙幣収納繰出庫１２において現在、ステージ２５の紙幣載上面２５Ａから突出させている材質変更板６３乃至６５が、当該紙幣収納繰出庫１２に今から収納する紙幣４５に対し、紙幣繰出時には繰出用に最適な摩擦力を作用させ得るものであることを表している。
【０２３４】
すなわち、係る否定結果は、紙幣収納繰出庫１２においてステージ２５の紙幣載上面２５Ａから突出させている材質変更板６３乃至６５を切り換えなくても、今から収納する紙幣４５に対し、紙幣繰出時には繰出用に最適な摩擦力を作用させ得ることを表している。
【０２３５】
そしてステップＳＰ２において制御部１９は、係る否定結果を得ると、ステップＳＰ３の処理は実行せずにステップＳＰ４に移る。
【０２３６】
ステップＳＰ４において制御部１９は、紙幣収納繰出庫１２への紙幣４５の収納処理を開始する。これにより制御部１９は、上述した補充回収庫１６を利用する紙幣収納繰出庫１２乃至１５への紙幣４５の補充時と同様に補充回収庫１６、鑑別部１０及び紙幣収納繰出庫１２を動作させて、当該補充回収庫１６から紙幣４５を１枚ずつ繰り出し、次のステップＳＰ５に移る。
【０２３７】
ステップＳＰ５において制御部１９は、鑑別部１０から１枚目の紙幣４５の種類及び状態の鑑別結果が通知されると、その鑑別結果をもとに、当該紙幣４５の種類が、作業者の指定通りであるか（すなわち、指定種類と一致するか）否かを判別する。
【０２３８】
このステップＳＰ５において肯定結果が得られると、このことは、このとき紙幣収納繰出庫１２への収納用に補充回収庫１６から繰り出し始めた紙幣４５の種類が、作業者の指定通りであるため、当該紙幣収納繰出庫１２において材質変更板６３乃至６５を切り換え直す必要がないことを表している。
【０２３９】
そしてステップＳＰ５において制御部１９は、係る肯定結果を得ると、次のステップＳＰ６に移り、当該ステップＳＰ６において、紙幣収納繰出庫１２への紙幣４５の収納を継続しながらも、第１摩擦力変更処理手順ＲＴ１については終了する。
【０２４０】
これに対しステップＳＰ５において否定結果が得られると、このことは、このとき紙幣収納繰出庫１２への収納用に補充回収庫１６から繰り出し始めた紙幣４５の種類を、作業者が誤って指定していたため、当該紙幣収納繰出庫１２において材質変更板６３乃至６５を切り換え直さなければならない可能性があることを表している。そしてステップＳＰ５において制御部１９は、係る否定結果を得ると、ステップＳＰ７に移る。
【０２４１】
この際、ステップＳＰ７において制御部１９は、鑑別部１０から通知された１枚目の紙幣４５の鑑別結果をもとに、メモリ内の紙幣データベース、及び紙幣収納繰出庫１２に対応する変更板切換履歴情報を参照する。
【０２４２】
そして制御部１９は、その参照結果をもとに、紙幣収納繰出庫１２において、ステージ２５の紙幣載上面２５Ａから突出させる材質変更板６３乃至６５を切り換えるか否かを改めて判別する。
【０２４３】
このステップＳＰ７において肯定結果が得られると、このことは、この際、鑑別部１０で鑑別された紙幣４５の材質と、指定種類の紙幣４５の材質とが異なっていたため、紙幣収納繰出庫１２内でステージ２５の紙幣載上面２５Ａから突出させている材質変更板６３乃至６５を切り換える必要があることを表している。そしてステップＳＰ７において制御部１９は、係る肯定結果を得ると、次のステップＳＰ８に移る。
【０２４４】
ステップＳＰ８において制御部１９は、鑑別部１０から通知された１枚目の紙幣４５の鑑別結果をもとに（すなわち、実際に鑑別された紙幣４５の材質に応じて）、紙幣収納繰出庫１２内で材質変更部６０の変更板切換用モータを駆動する。
【０２４５】
これにより制御部１９は、上述と同様に紙幣収納繰出庫１２内の材質変更部６０において左変更板切換部６１及び右変更板切換部６２を回転させて、ステージ２５の紙幣載上面２５Ａから突出させる材質変更板６３乃至６５を切り換える。
【０２４６】
また制御部１９は、紙幣収納繰出庫１２内での材質変更板６３乃至６５の切り換えに応じて、その切換後の材質変更板６３乃至６５を示す変更板切換履歴情報を生成してメモリに記憶した後、次のステップＳＰ６に移る。
【０２４７】
これによりステップＳＰ６において制御部１９は、紙幣収納繰出庫１２への紙幣４５の収納を継続しながらも、第１摩擦力変更処理手順ＲＴ１については終了する。
【０２４８】
ただし、ステップＳＰ７において否定結果が得られると、このことは、この際、鑑別部１０で鑑別された紙幣４５と、指定種類の紙幣４５とは例えば、金種が異なるだけで互いの材質は同一であるため（すなわち、作業者が紙幣４５の金種を誤って指定していただけであるため）、紙幣収納繰出庫１２内でステージ２５の紙幣載上面２５Ａから突出させている材質変更板６３乃至６５を切り換える必要がないことを表している。
【０２４９】
そしてステップＳＰ７において制御部１９は、係る否定結果を得ると、ステップＳＰ８の処理は実行せずにステップＳＰ６に移り、当該ステップＳＰ６において、紙幣収納繰出庫１２への紙幣４５の収納を継続しながらも、第１摩擦力変更処理手順ＲＴ１については終了する。
【０２５０】
このようにして制御部１９は、現金自動預払機１の設置時や運用途中の取扱紙幣の変更に応じて、ステージ２５の紙幣載上面２５Ａから突出させる一対の材質変更板６３乃至６５を適宜切り換えるようにして、当該ステージ２５の紙幣載上面２５Ａの材質を部分的に変更することができる。
【０２５１】
そして図８に示すように、制御部１９は、摩擦力変更処理と共に実行する紙幣収納処理や上述の入金処理及び補充処理における紙幣収納繰出庫１２の紙幣収納時、例えば、ステージ２５を上昇させていた状態からプーリ駆動モータ４０を駆動して左ベルト３７及び右ベルト３８を他回転方向へ回転させることにより、当該ステージ２５を下降させる。
【０２５２】
また制御部１９は、この際、ステージ２５を下降させながら、取込位置センサの受光素子５６から与えられる取込位置到達有無信号の信号レベルの変化を監視する。
【０２５３】
ここで、制御部１９は、ステージ２５の紙幣載上面２５Ａに紙幣４５が１枚も載っていないと、取込位置到達有無信号の信号レベルが、光ビームを受光し得ていない状態から受光し得たことを示すように変化した時点で、当該ステージ２５の紙幣載上面２５Ａが紙幣取込位置に到達したと判断する。
【０２５４】
また制御部１９は、ステージ２５の紙幣載上面２５Ａに１又は複数の紙幣４５が載っていると、取込位置到達有無信号の信号レベルが、光ビームを受光し得ていない状態から受光し得たことを示すように変化した時点で、当該紙幣載上面２５Ａ上の最上位紙幣４５が紙幣取込位置に到達したと判断する。
【０２５５】
そして制御部１９は、このようにステージ２５の紙幣載上面２５Ａ又は最上位紙幣４５が紙幣取込位置に到達したと判断すると、プーリ駆動モータ４０の駆動を停止して左ベルト３７及び右ベルト３８の他回転方向への回転と共に当該ステージ２５の下降を停止させる。
【０２５６】
これにより制御部１９は、複数のピックアップローラ５３と、ステージ２５の紙幣載上面２５Ａ又は最上位紙幣４５との間に、紙幣収納部２２内への紙幣４５の取り込みに最適な、当該紙幣４５の所定枚数分の厚みに相当する高さの紙幣取込空間を形成する。
【０２５７】
この状態で制御部１９は、取込繰出用モータを駆動してフィードローラ４７を一回転方向へ回転させると共に、これに連動させて複数のプレッシャローラ５１を他回転方向へ回転させる。
【０２５８】
また制御部１９は、取込分離用モータを駆動して分離ローラ４９を他回転方向へ回転させる。そして制御部１９は、搬送路１８を介して紙幣４５を紙幣収納繰出庫１２へ搬送する。
【０２５９】
よって紙幣収納繰出庫１２は、搬送路１８を介して搬送された紙幣４５を、紙幣取込繰出口２０ＡＸから紙幣収納部２２の紙幣取込繰出路内に入り込ませて、互いに逆回転しているフィードローラ４７及び複数のプレッシャローラ５１の間と、当該フィードローラ４７及び分離ローラ４９の間とに順次通して紙幣取込空間に取り込む。
【０２６０】
これにより紙幣収納繰出庫１２は、紙幣収納部２２において紙幣取込空間に取り込んだ紙幣４５を、ステージ２５の紙幣載上面２５Ａ又は最上位紙幣４５に載せる。
【０２６１】
このようにして制御部１９は、搬送路１８を介して紙幣４５を紙幣収納繰出庫１２へ順次搬送する毎に、当該紙幣収納繰出庫１２において同様に、その紙幣４５を紙幣収納部２２内に取り込んでステージ２５の紙幣載上面２５Ａに順に積層するようにして収納する。
【０２６２】
ただし、制御部１９は、この際、紙幣収納部２２内に新たに１枚の紙幣４５を取り込む毎に、取込位置到達有無信号の信号レベルの変化に応じてプーリ駆動モータ４０を間欠的に駆動して左ベルト３７及び右ベルト３８を他回転方向へ回転させてステージ２５を僅かに下降させる。
【０２６３】
これにより制御部１９は、紙幣収納繰出庫１２において紙幣収納部２２内に新たに１枚の紙幣４５を取り込む毎に、ステージ２５の紙幣載上面２５Ａ上の新たな最上位紙幣４５（すなわち、このとき取り込んだ紙幣４５）を紙幣取込位置に位置させる。
【０２６４】
このようにして制御部１９は、紙幣収納繰出庫１２の紙幣収納部２２内に複数の紙幣４５を常に同一の取込条件で取り込ませている。
【０２６５】
従って制御部１９は、紙幣収納繰出庫１２の紙幣収納部２２内に複数の紙幣４５を順次、紙幣取込繰出路内や、複数のピックアップローラ５３と最上位紙幣４５との間等で詰まらせることなく取り込んでステージ２５の紙幣載上面２５Ａに順に積層するようにして収納することができる。
【０２６６】
一方、図９に示すように、制御部１９は、上述の出金処理及び回収処理における紙幣収納繰出庫１２の紙幣繰出時、プーリ駆動モータ４０を駆動して左ベルト３７及び右ベルト３８を一回転方向へ回転させることにより、当該ステージ２５を上昇させる。
【０２６７】
また制御部１９は、この際、ステージ２５を上昇させながら、取込位置センサの受光素子５６から与えられる取込位置到達有無信号の信号レベルの変化を監視する。
【０２６８】
そして制御部１９は、取込位置到達有無信号の信号レベルが、光ビームを受光している状態から受光し得ないことを示すように変化すると、その時点からプーリ駆動モータ４０をさらに一定の間、駆動して左ベルト３７及び右ベルト３８を一回転方向へ回転させてステージ２５を上昇させた後、その駆動を停止する。
【０２６９】
これにより制御部１９は、紙幣収納部２２内でステージ２５の紙幣載上面２５Ａ上の最上位紙幣４５（すなわち、最上位紙幣４５の一面）を、複数のピックアップローラ５３の周側面の下側に所定の押圧力で押し付ける。
【０２７０】
そして制御部１９は、取込繰出用モータを駆動してフィードローラ４７を他回転方向に回転させると共に、これに連動させて複数のプレッシャローラ５１を一回転方向へ回転させる。
【０２７１】
また制御部１９は、この際、取込分離用モータは駆動せず、よって分離ローラ４９を、回転を停止させたままにする。この状態で制御部１９は、送出用モータを駆動して、最上位紙幣４５が押し付けられたままの複数のピックアップローラ５３を他回転方向へ回転させる。
【０２７２】
ここで、紙幣収納繰出庫１２では、回転する複数のピックアップローラ５３の周側面に押し付けられる最上位紙幣４５に、当該最上位紙幣４５よりも１枚下の紙幣４５との接触に応じた摩擦力（すなわち、最上位紙幣４５に１枚下の紙幣４５と接触した状態を維持しようとする静止摩擦力）が作用する。
【０２７３】
このため複数のピックアップローラ５３は、他回転方向へ回転しながら最上位紙幣４５に、これに作用する静止摩擦力（すなわち、最大摩擦力）よりも十分に大きい、紙幣取込繰出口２０ＡＸ側への送出用の外力を加えることができるように、材質等が適宜選定されて形成されている。
【０２７４】
また紙幣収納繰出庫１２では、仮に上下に重なった２枚の紙幣４５のうち上側の紙幣４５が、他回転方向へ回転しているフィードローラ４７の周側面に接触すると、当該上側の紙幣４５に、下側の紙幣４５との接触に応じた摩擦力（すなわち、上側の紙幣４５に下側の紙幣４５と接触した状態を維持しようとする静止摩擦力）が作用する。
【０２７５】
このためフィードローラ４７は、このような場合に他回転方向へ回転しながら、上側の紙幣４５に、これに作用する摩擦力（すなわち、静止摩擦力の最大値）よりも十分に大きい、紙幣取込繰出口２０ＡＸ側への送出用の外力を加えることができるように、材質等が適宜選定されて形成されている。
【０２７６】
さらに紙幣収納繰出庫１２では、このようにフィードローラ４７の周側面に、上下に重なった２枚の紙幣４５のうち上側の紙幣４５が接触した場合、回転を停止させたままの分離ローラ４９の周側面には下側の紙幣４５が接触する。
【０２７７】
よって分離ローラ４９は、このような場合には周側面に接触する下側の紙幣４５に対し、フィードローラ４７が上側の紙幣４５に加える外力よりは小さいものの、当該上側の紙幣４５に下側の紙幣４５との接触に応じて作用する摩擦力よりも大きい摩擦力（すなわち、周側面に接触した状態を維持しようとする摩擦力）を作用させ得るように、材質等が適宜選定されて形成されている。
【０２７８】
これにより紙幣収納繰出庫１２は、複数のピックアップローラ５３により、ステージ２５の紙幣載上面２５Ａ上に集積されている複数の紙幣４５を上から順に１枚ずつフィードローラ４７及び分離ローラ４９の間（すなわち、繰出側）へ送り出す。
【０２７９】
また紙幣収納繰出庫１２は、このように複数のピックアップローラ５３によって順次繰出側へ送り出された紙幣４５を、フィードローラ４７及び分離ローラ４９の間と、互いに逆回転している当該フィードローラ４７及び複数のプレッシャローラ５１の間とに順に通すようにして紙幣取込繰出口２０ＡＸから搬送路１８へと繰り出す。
【０２８０】
そして紙幣収納繰出庫１２は、複数のピックアップローラ５３によりステージ２５の紙幣載上面２５Ａから仮に２枚の紙幣４５が上下に重なったまま繰出側へ送り出されても、下側の紙幣４５を分離ローラ４９が作用させる摩擦力によって一旦止めて上側の紙幣４５のみをフィードローラ４７により紙幣取込繰出口２０ＡＸ側へ送る。
【０２８１】
このようにして制御部１９は、紙幣収納繰出庫１２において複数のピックアップローラ５３によりステージ２５の紙幣載上面２５Ａから仮に２枚の紙幣４５が上下に重なったまま繰出側へ送り出されても、これら２枚の紙幣４５をフィードローラ４７及び分離ローラ４９の間で分離して紙幣取込繰出口２０ＡＸから搬送路１８へと繰り出すことができる。
【０２８２】
また紙幣収納部２２には、例えば上端部の所定位置に、ステージ２５の紙幣載上面２５Ａから最上位紙幣４５がフィードローラ４７及び分離ローラ４９側へ送り出されたか否かを検出するための所定の送出センサ（図示せず）が設けられている。
【０２８３】
よって制御部１９は、この際、送出センサから与えられる出力信号により、ステージ２５の紙幣載上面２５Ａ上から最上位紙幣４５がフィードローラ４７及び分離ローラ４９側へ送り出されたか否かを検出する。
【０２８４】
そして制御部１９は、その検出結果をもとに、ステージ２５の紙幣載上面２５Ａ上から１枚の最上位紙幣４５がフィードローラ４７及び分離ローラ４９側へ送り出される毎に、プーリ駆動モータ４０を間欠的に駆動して左ベルト３７及び右ベルト３８を一回転方向へ回転させてステージ２５を僅かに上昇させる。
【０２８５】
これにより制御部１９は、紙幣収納繰出庫１２から紙幣４５を繰り出している間、ステージ２５により、複数のピックアップローラ５３の周側面の下側に最上位紙幣４５を押し付けるようにして、紙幣載上面２５Ａ上の１又は複数の紙幣４５を当該複数のピックアップローラ５３側へ付勢している。
【０２８６】
よって制御部１９は、紙幣収納繰出庫１２において、複数のピックアップローラ５３の周側面の下側に最上位紙幣４５を常に同一の押圧力で押し付けながら、当該複数のピックアップローラ５３の回転によって最上位紙幣４５を繰出側へ送り出すようにして紙幣取込繰出口２０ＡＸから繰り出させることができる。
【０２８７】
これに加えて紙幣収納繰出庫１２は、上述のようにステージ２５の紙幣載上面２５Ａにおいて複数のピックアップローラ５３と対向する部分に、材質変更部６０の複数の材質変更板６３乃至６５のうち、当該紙幣収納繰出庫１２で扱う紙幣４５の材質に応じた材質変更板６３乃至６５を配置している。
【０２８８】
すなわち、紙幣収納繰出庫１２は、ステージ２５の紙幣載上面２５Ａにおいて複数のピックアップローラ５３と対向する部分に、最終紙幣４５に繰出用に最適な摩擦力を作用させるための材質変更板６３乃至６５を配置している。
【０２８９】
よって制御部１９は、紙幣収納繰出庫１２においてステージ２５を上昇させて最上位紙幣４５を複数のピックアップローラ５３に押し付けた場合、当該ステージ２５の紙幣載上面２５Ａに載っている１又は複数の紙幣４５を当該複数のピックアップローラ５３と材質変更板６３乃至６５との間で最も強く挟持させることができる。
【０２９０】
これにより制御部１９は、ステージ２５の紙幣載上面２５Ａ内に配置している材質変更板６３乃至６５に、最終紙幣４５の対向部分を密着させることができる。
【０２９１】
従って制御部１９は、複数のピックアップローラ５３が他回転方向へ回転して発生させる送出用の外力が、最終紙幣４５に上側の１又は複数の紙幣４５を介して伝達され、また直接加えられても、材質変更板６３乃至６５により当該最終紙幣４５に繰出用に最適な摩擦力を効率良く作用させることができる。
【０２９２】
その結果、制御部１９は、紙幣収納繰出庫１２において複数のピックアップローラ５３により、最終紙幣４５よりも１又は複数枚上側の最上位紙幣４５が送り出される際、当該最終紙幣４５がステージ２５の紙幣載上面２５Ａに対して滑り、最上位紙幣４５から最終紙幣４５までが重なったまま一度に繰出側へ送り出されることを防止することができる。
【０２９３】
また制御部１９は、紙幣収納繰出庫１２において複数のピックアップローラ５３により、最終紙幣４５が送り出される際、当該最終紙幣４５がステージ２５の紙幣載上面２５Ａに張り付いて送り出し難くなることも防止することができる。
【０２９４】
このようにして制御部１９は、紙幣収納繰出庫１２からステージ２５の紙幣載上面２５Ａ上の複数の紙幣４５を上から順に最終紙幣４５まで的確に搬送路１８へ繰り出させることができる。
【０２９５】
（１−４）第１の実施の形態の動作及び効果
以上の構成において、現金自動預払機１では、紙幣収納繰出庫１２乃至１５においてステージ２５の変更部配置面２５Ｄに、それぞれ材質の異なる複数の材質変更板６３乃至６５を有する材質変更部６０を配置する。
【０２９６】
そして現金自動預払機１は、紙幣収納繰出庫１２乃至１５において材質変更部６０によりステージ２５の紙幣載上面２５Ａの一部から、当該紙幣収納繰出庫１２乃至１５で扱う紙幣４５の材質に応じた材質変更板６３乃至６５の表面を突出させるようにして、当該紙幣載上面２５Ａの材質を部分的に変更可能にした。
【０２９７】
従って現金自動預払機１は、紙幣収納繰出庫１２乃至１５において、どのような材質の紙幣４５を扱う場合でも、紙幣繰出時、ステージ２５の紙幣載上面２５Ａに載っている複数の紙幣４５のうち最終紙幣４５に、材質変更板６３乃至６５の接触に応じて繰出用に最適な摩擦力を作用させることができる。
【０２９８】
以上の構成によれば、現金自動預払機１は、紙幣収納繰出庫１２乃至１５においてステージ２５の変更部配置面２５Ｄにそれぞれ材質の異なる複数の材質変更板６３乃至６５を有する材質変更部６０を配置し、当該ステージ２５の紙幣載上面２５Ａの一部から、紙幣収納繰出庫１２乃至１５で扱う紙幣４５の材質に応じた材質変更板６３乃至６５の表面を突出させるようにして、当該紙幣載上面２５Ａの材質を部分的に変更し得るようにした。
【０２９９】
これにより現金自動預払機１は、紙幣収納繰出庫１２乃至１５において、どのような材質の紙幣４５を扱う場合でも、紙幣繰出時、ステージ２５の紙幣載上面２５Ａ上の最終紙幣４５に繰出用に最適な摩擦力を作用させることができる。
【０３００】
よって現金自動預払機１は、紙幣収納繰出庫１２乃至１５において、どのような材質の紙幣４５を扱う場合でも、紙幣繰出時に最後の１枚まで的確に繰り出すことができる。
【０３０１】
また現金自動預払機１では、このように紙幣収納繰出庫１２乃至１５において材質変更部６０によりステージ２５の紙幣載上面２５Ａの材質を部分的に変更可能にした。
【０３０２】
従って現金自動預払機１は、扱う紙幣４５の材質に応じて、その紙幣４５に専用の紙幣収納繰出庫１２乃至１５を用意する必要がなく、これら紙幣収納繰出庫１２乃至１５を、材質の異なる紙幣４５の何れの扱いにも兼用することができる。
【０３０３】
よって現金自動預払機１は、各国の紙幣のように異なる材質の紙幣４５の何れをも容易に扱うことができ、また運用途中に材質の異なる紙幣４５を切り換えて扱うような場合でも、紙幣収納繰出庫１２乃至１５自体を交換するようなことなく、容易に対応することができる。
【０３０４】
さらに現金自動預払機１は、ステージ２５の紙幣載上面２５Ａにおいて複数のピックアップローラ５３と対向する部分に、材質変更部６０の複数の材質変更板６３乃至６５のうち、当該紙幣収納繰出庫１２で扱う紙幣４５の材質に応じた材質変更板６３乃至６５を配置するようにした。
【０３０５】
従って現金自動預払機１は、紙幣収納繰出庫１２の紙幣繰出時、ステージ２５を上昇させて最上位紙幣４５を複数のピックアップローラ５３に押し付けた場合、１又は複数の紙幣４５を複数のピックアップローラ５３と材質変更板６３乃至６５との間で最も強く挟持させて、材質変更板６３乃至６５に最終紙幣４５の対向部分を密着させることができる。
【０３０６】
これにより現金自動預払機１は、紙幣収納繰出庫１２の紙幣繰出時、材質変更板６３乃至６５により最終紙幣４５に繰出用に最適な摩擦力を効率良く作用させることができる。
【０３０７】
その結果、現金自動預払機１は、紙幣収納繰出庫１２において複数のピックアップローラ５３により、最終紙幣４５よりも１又は複数枚上の最上位紙幣４５が繰出側へ送り出される際、当該最終紙幣４５がステージ２５の紙幣載上面２５Ａに対して滑り、最上位紙幣４５から最終紙幣４５までが重なったまま一度に繰出側へ送り出されることを防止することができる。
【０３０８】
また現金自動預払機１は、紙幣収納繰出庫１２において複数のピックアップローラ５３により、最終紙幣４５が送り出される際、当該最終紙幣４５がステージ２５の紙幣載上面２５Ａに張り付いて送り出し難くなることも防止することができる。
【０３０９】
さらに現金自動預払機１では、紙幣収納繰出庫１２の紙幣収納部２２において複数のピックアップローラ５３をステージ２５の紙幣載上面２５Ａの中央部よりも紙幣４５の繰出側へ配置し、これに応じてステージ２５の紙幣載上面２５Ａでも中央部によりも紙幣４５の繰出側に材質変更板６３乃至６５を配置するようにした。
【０３１０】
従って現金自動預払機１は、紙幣収納繰出庫１２の紙幣繰出時、複数のピックアップローラ５３により、最終紙幣４５よりも１又は複数枚上の最上位紙幣４５が繰出側へ送り出される際、当該最終紙幣４５が例えば、これに付いた折れ癖によって材質変更板６３乃至６５との密着性が低下していたために、ステージ２５の紙幣載上面２５Ａ上を繰出側へ滑ったとしても、当該最終紙幣４５の一方の短辺近傍から他方の短辺へかけて材質変更板６３乃至６５を相対的に徐々に変位させながら密着させることができる。
【０３１１】
すなわち、現金自動預払機１は、このように最終紙幣４５がステージ２５の紙幣載上面２５Ａ上を繰出側へ滑ったとしても、当該最終紙幣４５に材質変更板６３乃至６５を、順次接触位置を変えて接触させることができると共に、その接触位置の可変範囲を最終紙幣４５の一方の短辺近傍から他方の短辺までと極力長くしている。
【０３１２】
その結果、現金自動預払機１は、このように最終紙幣４５がステージ２５の紙幣載上面２５Ａ上を繰出側へ滑り当該最終紙幣４５に対する材質変更板６３乃至６５の接触位置が変化しても、接触位置の変化途中に密着性を回復させ易くすることができる。
【０３１３】
すなわち、現金自動預払機１は、最終紙幣４５がステージ２５の紙幣載上面２５Ａ上を滑っても、材質変更板６３乃至６５の接触位置を変化させることで、最終紙幣４５が繰出側へ滑っている間に密着性が回復する可能性を高くすることができる。
【０３１４】
また現金自動預払機１は、最終紙幣４５に対する材質変更板６３乃至６５の接触位置の可変範囲を、当該最終紙幣４５の一方の短辺近傍から他方の短辺までと極力長くすることで、最終紙幣４５が繰出側へ滑っている間に密着性が回復する可能性をさらに高くすることができる。
【０３１５】
実際、現金自動預払機１は、最終紙幣４５がステージ２５の紙幣載上面２５Ａ上を繰出側へ滑って材質変更板６３乃至６５との接触位置が変化しても、最終紙幣４５において折れ癖等が無い平坦な部分まで材質変更板６３乃至６５の接触位置が変化すると密着性が回復し、その結果、繰出用に最適な摩擦力を作用させて最終紙幣４５の滑りを停止させることができる。
【０３１６】
これにより現金自動預払機１は、最終紙幣４５が上に１又は複数枚の他の紙幣４５を重ねたままフィードローラ４７及び分離ローラ４９の間に詰まることを防止することができる。
【０３１７】
（２）第２の実施の形態
（２−１）現金自動預払機の外観構成
次いで、第２の実施の形態による現金自動預払機について説明する。第２の実施の形態による現金自動預払機は、第１の実施の形態による現金自動預払機１（図１）と同様の外観構成を有している。よって、第２の実施の形態による現金自動預払機の外観構成については、図１を参照することとし説明を省略する。
【０３１８】
（２−２）現金自動預払機の内部構成
次いで、第２の実施の形態による現金自動預払機の内部構成について説明する。図２との対応部分に同一符号を付した図１０に示すように、第２の実施の形態による現金自動預払機７０は、複数の紙幣収納繰出庫７１乃至７４の構成を除いて上述した第１の実施の形態による現金自動預払機１と同様に構成されている。
【０３１９】
よって、以下には、第２の実施の形態による現金自動預払機７０に設けられた複数の紙幣収納繰出庫７１乃至７４の構成について説明する。
【０３２０】
（２−３）紙幣収納繰出庫の構成
第２の実施の形態による現金自動預払機７０の複数の紙幣収納繰出庫７１乃至７４は、それぞれ材質変更部の構成を除いて、図３乃至図９を用いて上述した第１の実施の形態による現金自動預払機１の複数の紙幣収納繰出庫１２乃至１５と同様に構成されている。
【０３２１】
よって、以下には、複数の紙幣収納繰出庫７１乃至７４に設けられた材質変更部の構成について説明する。ただし、複数の紙幣収納繰出庫７１乃至７４は、同様に構成されているため、１つの紙幣収納繰出庫７１の材質変更部の構成についてのみ説明し、他の紙幣収納繰出庫７２乃至７４の材質変更部の構成については説明を省略する。
【０３２２】
図５及び図６との対応部分に同一符号を付した図１１及び図１２に示すように、紙幣収納繰出庫７１において紙幣収納部２２内には、上述した第１の実施の形態による紙幣収納繰出庫１２乃至１５の場合と同様にステージ２５が上方向及び下方向へ移動可能（昇降可能）に設けられている。
【０３２３】
そしてステージ２５は、変更部配置面２５Ｄに、紙幣載上面２５Ａの材質を部分的に適宜変更して、当該紙幣載上面２５Ａに接触する最終紙幣４５に、その材質の変更部分の接触に応じて繰出用に最適な摩擦力を作用させる材質変更部７７が配置されている。
【０３２４】
材質変更部７７は、例えば、ステージ２５の左開口部２５ＡＸの左縁から右開口部２５ＡＹの右縁までの長さ以上の所定長さの棒状の２本のプーリ駆動軸７８、７９を有している。
【０３２５】
一方のプーリ駆動軸７８は、ステージ２５の左開口部２５ＡＸ及び右開口部２５ＡＹの前斜下で、図示しない軸受部により、左方向と平行にして例えば、一回転方向へ回転可能に支持されている。
【０３２６】
また他方のプーリ駆動軸７９は、ステージ２５の左開口部２５ＡＸ及び右開口部２５ＡＹの後斜下で、図示しない軸受部により、左方向と平行にし、かつ一方のプーリ駆動軸７８の真後で例えば、一回転方向へ回転可能に支持されている。
【０３２７】
因みに、以下の説明では、一対のプーリ駆動軸７８、７９のうち前に位置する一方のプーリ駆動軸７８を、前プーリ駆動軸７８とも呼び、後に位置する他方のプーリ駆動軸７９を、後プーリ駆動軸７９とも呼ぶ。
【０３２８】
そして材質変更部７７は、前プーリ駆動軸７８及び後プーリ駆動軸７９を介して、ステージ２５の左開口部２５ＡＸと対向させるように左変更板切換部８０が設けられている。
【０３２９】
また材質変更部７７は、前プーリ駆動軸７８及び後プーリ駆動軸７９を介して、ステージ２５の右開口部２５ＡＹと対向させるように右変更板切換部８１が設けられている。
【０３３０】
この場合、左変更板切換部８０は、一対のプーリ８２、８３を有し、これら一対のプーリ８２、８３が、その中心に穿設された孔部を介して前プーリ駆動軸７８及び後プーリ駆動軸７９に、前後に並ぶように取り付けられている。
【０３３１】
また左変更板切換部８０には、例えば、四角形状の昇降板８４が、その一面を水平にしてステージ２５の左開口部２５ＡＸと対向させた姿勢で、図示しない昇降板支持部により上方向及び下方向に移動可能に支持されている。
【０３３２】
さらに左変更板切換部８０は、一対のプーリ８２、８３から昇降板８４に亘って無端状の変更板貼着ベルト（以下、これを左変更板貼着ベルトとも呼ぶ）８５がかけられている。
【０３３３】
そして左変更板貼着ベルト８５の外面には、所定の間隔で、それぞれ材質の異なる四角形状の複数の材質変更板８６乃至８８が貼着されている。
【０３３４】
一方、右変更板切換部８１は、左変更板切換部８０と同様に構成されている。すなわち、右変更板切換部８１は、前プーリ駆動軸７８及び後プーリ駆動軸７９に前後に並ぶように取り付けられた一対のプーリ（図示せず）を有している。
【０３３５】
また右変更板切換部８１は、一面を水平にしてステージ２５の右開口部２５ＡＹと対向させた姿勢で、図示しない昇降板支持部により上方向及び下方向に移動可能に支持された、四角形状の昇降板（図示せず）も有している。
【０３３６】
さらに右変更板切換部８１は、一対のプーリから昇降板に亘って無端状の変更板貼着ベルト（以下、これを右変更板貼着ベルトとも呼ぶ）８９がかけられている。
【０３３７】
そして右変更板貼着ベルト８９の外面には、左変更板切換部８０の左変更板貼着ベルト８５に貼着された複数の材質変更板８６乃至８８と同一の複数の材質変更板８６乃至８８が、同一の並び及び間隔で貼着されている。
【０３３８】
すなわち、右変更板貼着ベルト８９は、ステージ２５の変更部配置面２５Ｄ及び前後の縁に対する複数の材質変更板８６乃至８８（すなわち、右変更板貼着ベルト８９の外面に貼着された複数の材質変更板８６乃至８８）の位置関係を、当該ステージ２５の変更部配置面２５Ｄ及び前後の縁に対する左変更板貼着ベルト８５の複数の材質変更板８６乃至８８の位置関係と等しくした状態で、一対のプーリから昇降板に亘ってかけられている。
【０３３９】
また材質変更部７７は、例えば、前プーリ駆動軸７８及び後プーリ駆動軸７９の間に配置された図示しない昇降駆動部を有している。
【０３４０】
そして材質変更部７７は、制御部１９により昇降駆動部が駆動されると、これに応じて左変更板切換部８０の昇降板８４及び右変更板切換部８１の昇降板を、互いの高さ位置を合わせた状態で上昇させ、また下降させることができる。
【０３４１】
また材質変更部７７は、例えば、前プーリ駆動軸７８及び後プーリ駆動軸７９の間に配置された図示しない変更板切換用モータを有している。
【０３４２】
そして材質変更部７７は、変更板切換用モータの出力軸が複数のギアを介して前プーリ駆動軸７８及び後プーリ駆動軸７９の一方に連結されている。
【０３４３】
これにより材質変更部７７は、制御部１９により変更板切換用モータが駆動されると、これに応じて左変更板切換部８０及び右変更板切換部８１において一対のプーリ８２、８３を介して左変更板貼着ベルト８５及び右変更板貼着ベルト８９を同期させて一回転方向へ回転させることができる。
【０３４４】
ところで、左変更板貼着ベルト８５及び右変更板貼着ベルト８９に貼着される複数の材質変更板８６乃至８８の材質は、現金自動預払機７０で扱うことが想定される材質の異なる紙幣４５に応じて、当該材質変更板８６乃至８８に接触する紙幣４５に、繰出用に最適な摩擦力を作用させ得るものに選定されている。
【０３４５】
よって、これら複数の材質変更板８６乃至８８の枚数や、これらが貼着される左変更板貼着ベルト８５及び右変更板貼着ベルト８９の長さは、現金自動預払機７０で扱うことが想定される各国の紙幣の材質の種類（すなわち、数）に応じて適宜選定されている。
【０３４６】
ただし、複数の材質変更板８６乃至８８は、これらが貼着される左変更板貼着ベルト８５及び右変更板貼着ベルト８９が回転によって変形することにより、その変形に合わせて変形可能なように（すなわち、撓むように）形成されている。
【０３４７】
このため複数の材質変更板８６乃至８８は、例えば、ステンレス薄板や、人工皮革シート、プラスチックフィルム等である。
【０３４８】
そして制御部１９は、係る材質変更部７７を制御してステージ２５の紙幣載上面２５Ａの材質を部分的に変更する場合、昇降駆動部を駆動して左変更板切換部８０の昇降板８４及び右変更板切換部８１の昇降板を、ステージ２５の左開口部２５ＡＸ及び右開口部２５ＡＹからある程度離すように下降させる。
【０３４９】
そのうえで制御部１９は、変更板切換用モータを駆動して左変更板切換部８０及び右変更板切換部８１の左変更板貼着ベルト８５及び右変更板貼着ベルト８９を共に一回転方向へ回転させる。
【０３５０】
これにより制御部１９は、左変更板切換部８０の複数の材質変更板８６乃至８８のうち、何れか１つの材質変更板８６乃至８８を昇降板８４の一面上に位置させてステージ２５の左開口部２５ＡＸと対向させる。
【０３５１】
また制御部１９は、この際、右変更板切換部８１の複数の材質変更板８６乃至８８のうち、左開口部２５ＡＸと対向させたものと同一の材質の材質変更板８６乃至８８を昇降板の一面上に位置させてステージ２５の右開口部２５ＡＹと対向させる。
【０３５２】
この状態で、制御部１９は、昇降駆動部を駆動して左変更板切換部８０の昇降板８４及び右変更板切換部８１の昇降板を所定距離だけ上昇させる。
【０３５３】
よって制御部１９は、左変更板切換部８０において昇降板８４をステージ２５の左開口部２５ＡＸに近接させるようにして、当該昇降板８４の一面上に位置させていた１つの材質変更板８６乃至８８を、その左開口部２５ＡＸに通す。
【０３５４】
これにより制御部１９は、材質変更部７７の左変更板切換部８０において、昇降板８４の一面上に位置させていた１つの材質変更板８６乃至８８の表面を、ステージ２５の紙幣載上面２５Ａから僅かに突出させる。
【０３５５】
また制御部１９は、この際、右変更板切換部８１において昇降板をステージ２５の右開口部２５ＡＹに近接させるようにして、当該昇降板の一面上に位置させていた１つの材質変更板８６乃至８８を、その右開口部２５ＡＹに通す。
【０３５６】
これにより制御部１９は、材質変更部７７の右変更板切換部８１において、昇降板の一面上に位置させていた１つの材質変更板８６乃至８８の表面を、ステージ２５の紙幣載上面２５Ａから僅かに突出させる。
【０３５７】
このようにして制御部１９は、紙幣収納繰出庫７１で扱う紙幣４５の材質に応じて、材質変更部７７により左変更板切換部８０及び右変更板切換部８１の左変更板貼着ベルト８５及び右変更板貼着ベルト８９を適宜回転させて、ステージ２５の紙幣載上面２５Ａから表面を突出させる材質変更板８６乃至８８を切り換えることができる。
【０３５８】
すなわち、制御部１９は、紙幣収納繰出庫７１で扱う紙幣４５の材質に応じて、材質変更部７７によりステージ２５の紙幣載上面２５Ａから、当該ステージ２５とは材質の異なる材質変更板８６乃至８８の表面を突出させ、又はステージ２５と同一の材質の材質変更板８６乃至８８の表面を突出させることができる。
【０３５９】
そして制御部１９は、このように材質変更部７７により材質変更板８６乃至８８を切り換えるようにしてステージ２５の紙幣載上面２５Ａの材質を部分的に変更する処理を、上述した第１の実施の形態の場合と同様に、空の状態の紙幣収納繰出庫７１に紙幣４５を収納する際、図７について上述した第１摩擦力変更処理手順ＲＴ１として実行している。
【０３６０】
（２−４）第２の実施の形態の動作及び効果
以上の構成において、現金自動預払機７０では、紙幣収納繰出庫７１乃至７４においてステージ２５の変更部配置面２５Ｄに、それぞれ材質の異なる複数の材質変更板８６乃至８８が貼着された左変更板貼着ベルト８５及び右変更板貼着ベルト８９を有する材質変更部７７を配置する。
【０３６１】
そして現金自動預払機７０は、紙幣収納繰出庫７１乃至７４において材質変更部７７により左変更板貼着ベルト８５及び右変更板貼着ベルト８９を共に適宜回転させる。
【０３６２】
これにより現金自動預払機７０は、紙幣収納繰出庫７１乃至７４において、ステージ２５の紙幣載上面２５Ａの左開口部２５ＡＸ及び右開口部２５ＡＹから、当該紙幣収納繰出庫７１乃至７４で扱う紙幣４５の材質に応じた材質変更板８６乃至８８の表面を突出させるようにして、当該紙幣載上面２５Ａの材質を部分的に変更可能にした。
【０３６３】
従って現金自動預払機７０は、紙幣収納繰出庫７１乃至７４において、どのような材質の紙幣４５を扱う場合でも、紙幣繰出時、ステージ２５の紙幣載上面２５Ａに載っている複数の紙幣４５のうち最終紙幣４５に、材質変更板８６乃至８８の接触に応じて繰出用に最適な摩擦力を作用させることができる。
【０３６４】
以上の構成によれば、現金自動預払機７０は、紙幣収納繰出庫７１乃至７４においてステージ２５の変更部配置面２５Ｄに、それぞれ材質の異なる複数の材質変更板８６乃至８８が貼着された左変更板貼着ベルト８５及び右変更板貼着ベルト８９を有する材質変更部７７を配置し、当該ステージ２５の紙幣載上面２５Ａの一部から、紙幣収納繰出庫７１乃至７４で扱う紙幣４５の材質に応じた材質変更板８６乃至８８の表面を突出させるようにして、当該紙幣載上面２５Ａの材質を部分的に変更するようにした。
【０３６５】
これにより現金自動預払機７０は、上述した第１の実施の形態によって得られる効果と同様の効果を得ることができる。
【０３６６】
また現金自動預払機７０は、係る効果に加えて、材質変更部７７の左変更板切換部８０及び右変更板切換部８１に、複数の材質変更板８６乃至８８が貼着された左変更板貼着ベルト８５及び右変更板貼着ベルト８９を設けることで、当該左変更板切換部８０及び右変更板切換部８１を、上述した第１の実施の形態による材質変更部６０の左変更板切換部６１及び右変更板切換部６２よりも小型化することができる。
【０３６７】
（３）第３の実施の形態
（３−１）現金自動預払機の外観構成
次いで、第３の実施の形態による現金自動預払機について説明する。第３の実施の形態による現金自動預払機は、第１の実施の形態による現金自動預払機１（図１）と同様の外観構成を有している。よって、第３の実施の形態による現金自動預払機の外観構成についても、図１を参照することとし説明を省略する。
【０３６８】
（３−２）現金自動預払機の内部構成
次いで、第３の実施の形態による現金自動預払機の内部構成について説明する。図２との対応部分に同一符号を付した図１３に示すように、第３の実施の形態による現金自動預払機１００は、複数の紙幣収納繰出庫１０１乃至１０４の構成を除いて上述した第１の実施の形態による現金自動預払機１と同様に構成されている。
【０３６９】
よって、以下には、第３の実施の形態による現金自動預払機１００に設けられた複数の紙幣収納繰出庫１０１乃至１０４の構成について説明する。
【０３７０】
（３−３）紙幣収納繰出庫の構成
第３の実施の形態による現金自動預払機１００の複数の紙幣収納繰出庫１０１乃至１０４は、それぞれ材質変更部の構成を除いて、図３乃至図９を用いて上述した第１の実施の形態による現金自動預払機１の複数の紙幣収納繰出庫１２乃至１５と同様に構成されている。
【０３７１】
よって、以下には、複数の紙幣収納繰出庫１０１乃至１０４に設けられた材質変更部の構成について説明する。ただし、複数の紙幣収納繰出庫１０１乃至１０４は、同様に構成されているため、１つの紙幣収納繰出庫１０１の材質変更部の構成についてのみ説明し、他の紙幣収納繰出庫１０２乃至１０４の材質変更部の構成については説明を省略する。
【０３７２】
図５及び図６との対応部分に同一符号を付した図１４及び図１５に示すように、紙幣収納繰出庫１０１において紙幣収納部２２内には、上述した第１の実施の形態による紙幣収納繰出庫１２乃至１５の場合と同様にステージ２５が上方向及び下方向へ移動可能（昇降可能）に設けられている。
【０３７３】
そしてステージ２５は、変更部配置面２５Ｄに、紙幣載上面２５Ａの材質を部分的に変更して、当該紙幣載上面２５Ａに接触する最終紙幣４５に、その材質の変更部分の接触に応じて繰出用に最適な摩擦力を作用させる材質変更部１０７が配置されている。
【０３７４】
材質変更部１０７は、例えば、ステージ２５の左開口部２５ＡＸの左縁から右開口部２５ＡＹの右縁までの長さ以上の所定長さの棒状のローラ駆動軸１０８を有している。
【０３７５】
ローラ駆動軸１０８は、ステージ２５の左開口部２５ＡＸ及び右開口部２５ＡＹの前後の中心の真下で、図示しない軸受部により、左方向と平行にして例えば、一回転方向へ回転可能に支持されている。
【０３７６】
そしてローラ駆動軸１０８は、ステージ２５の左開口部２５ＡＸと対向する一端部に、ゴム製（材質がゴム）の摩擦力変更ローラ１１０が、その中心に穿設された孔部を介して取り付けられ、当該摩擦力変更ローラ１１０の周側面において上側の一部を、左開口部２５ＡＸを介して紙幣載上面２５Ａから僅かに上へ突出させている。
【０３７７】
またローラ駆動軸１０８は、ステージ２５の右開口部２５ＡＹと対向する他端部に、ゴム製（材質がゴム）の摩擦力変更ローラ１１１が、その中心に穿設された孔部を介して取り付けられ、当該摩擦力変更ローラ１１１の周側面において上側の一部を、右開口部２５ＡＹを介して紙幣載上面２５Ａから僅かに上へ突出させている。
【０３７８】
これにより材質変更部１０７は、ステージ２５の紙幣載上面２５Ａに１又は複数の紙幣４５が積層するように重ねられて載せられた場合、最終紙幣４５の一部（すなわち、下面の一部）に、摩擦力変更ローラ１１０、１１１各々の周側面において紙幣載上面２５Ａから突出する範囲の頂上部分（すなわち、摩擦力変更ローラ１１０、１１１の幅方向に沿った線状の頂上部分）を接触させることができる。
【０３７９】
因みに、以下の説明では、摩擦力変更ローラ１１０、１１１の周側面において、ステージ２５の左開口部２５ＡＸ及び右開口部２５ＡＹを介して最終紙幣４５の一部に接触させる線状の頂上部分を、紙幣接触部分とも呼ぶ。
【０３８０】
また、以下の説明では、ローラ駆動軸１０８の一端部に取り付けられた摩擦力変更ローラ１１０を、左摩擦力変更ローラ１１０とも呼び、当該ローラ駆動軸１０８の他端部に取り付けられた摩擦力変更ローラ１１１を、右摩擦力変更ローラ１１１とも呼ぶ。
【０３８１】
ここで、図１６を用いて、接触する２つの物体の間に作用する摩擦力の特性について説明する。因みに図１６には、例えば、縦軸に単位面積当りの摩擦力をとり、横軸に単位面積当りの接触圧力をとって、接触する２つの物体の間に作用する摩擦力の特性を示している。
【０３８２】
なお、以下の説明では、２つの物体の間に作用する摩擦力を、そのまま摩擦力とも呼び、その摩擦力を単位面積当りの値として捉えた、当該単位面積当りの摩擦力を、特に単位面積摩擦力とも呼ぶ。
【０３８３】
また、以下の説明では、２つの物体の接触圧力を、そのまま接触圧力とも呼び、その接触圧力を単位面積当りの値として捉えた、当該単位面積当りの接触圧力を、特に単位面積接触圧力とも呼ぶ。
【０３８４】
この場合、図１６に示す例えば、第１摩擦力特性曲線Ｃ１は、単位面積摩擦力が単位面積接触圧力に対し比例する場合を示しており、ゴム以外の材質で、互いに同一の材質、又は異なる材質の２つの物体が接触した場合の単位面積摩擦力と単位面積接触圧力との関係を示す。
【０３８５】
因みに、以下の説明では、ゴム以外の材質の物体を、非ゴム物体とも呼び、材質がゴムの物体を、ゴム物体とも呼び、これら非ゴム物体及びゴム物体を特に区別する必要のない場合は、まとめて物体とも呼ぶ。
【０３８６】
また図１６に示す例えば、第２摩擦力特性曲線Ｃ２は、単位面積摩擦力が単位面積接触圧力に対し一定の場合を示しており、非ゴム物体とゴム物体、又は２つのゴム物体が接触した場合の単位面積摩擦力と単位面積接触圧力との関係に近似している。
【０３８７】
因みに、図１６に示す例えば、非線形な第３摩擦力特性曲線Ｃ３は、非ゴム物体とゴム物体、又は２つのゴム物体が接触した場合の単位面積摩擦力と単位面積接触圧力との関係を示す。
【０３８８】
例えば、第１摩擦力特性曲線Ｃ１に示すように、２つの非ゴム物体が接触した場合、単位面積接触圧力が変化すると、これに比例して単位面積摩擦力も変化する。
【０３８９】
すなわち、２つの非ゴム物体が接触した場合、単位面積接触圧力の変化に関わらず摩擦係数の値が一定となるため、このように単位面積接触圧力と単位面積摩擦力とが比例して変化するような特性が得られる。
【０３９０】
因みに、摩擦係数は、接触する物体の材質や接触面の状態に応じて決まるものであり、接触圧力（すなわち、接触面積分の単位面積接触圧力全体）に乗算されると、これら２つの物体の間に作用する摩擦力を導き出すことを可能にするものでもある。
【０３９１】
このため２つの非ゴム物体が接触した場合、例えば、互いの接触面積を一定にした状態で接触圧力を変化させると、摩擦係数の値が一定であることから、接触圧力の変化に比例して、これら２つの非ゴム物体の間に作用する摩擦力は変化する。
【０３９２】
また２つの非ゴム物体が接触した場合、例えば、接触圧力を一定にした状態で互いの接触面積を変化させると、摩擦係数の値が一定であり、また単位面積接触圧力が変化しても、その変化分を相殺するように接触面積も変化して接触圧力は何ら変化していないため、これら２つの非ゴム物体の間に作用する摩擦力は一定になる。
【０３９３】
よって２つの非ゴム物体を接触させた場合、互いの接触面積を変化させるか否かに関わらずに接触圧力を変化させることで、これら２つの非ゴム物体の間に作用する摩擦力を変化させることができる。
【０３９４】
また例えば、第２摩擦力特性曲線Ｃ２に示すように、非ゴム物体とゴム物体とが接触した場合、単位面積接触圧力が変化しても単位面積摩擦力はほとんど変化しない（すなわち、単位面積摩擦力はほぼ一定となる）。
【０３９５】
すなわち、非ゴム物体とゴム物体とが接触した場合、摩擦係数の値が、ゴム物体の変形可能な性質に起因して、単位面積接触圧力が大きいほど小さくなり、単位面積接触圧力が小さいほど大きくなるように変化するため、このように単位面積接触圧力が変化しても単位面積摩擦力がほとんど変化しないような特性が得られる。
【０３９６】
このため非ゴム物体とゴム物体とが接触した場合、例えば、互いの接触面積を一定にした状態で接触圧力を変化させると、この際の接触圧力の変化の方向へ単位面積接触圧力も変化するものの、その変化の方向とは逆に摩擦係数の値が変化するため、これら非ゴム物体とゴム物体との間に作用する摩擦力はほとんど変化しない。
【０３９７】
すなわち、非ゴム物体とゴム物体とが接触した場合、例えば、互いの接触面積を一定にした状態で接触圧力を大きくすると、これに応じて単位面積接触圧力が大きくなって摩擦係数は小さくなるため、これら非ゴム物体とゴム物体との間に作用する摩擦力はほとんど変化しない。
【０３９８】
また非ゴム物体とゴム物体とが接触した場合、例えば、互いの接触面積を一定にした状態で接触圧力を小さくすると、これに応じて単位面積接触圧力が小さくなって摩擦係数は大きくなるため、この場合も非ゴム物体とゴム物体との間に作用する摩擦力はほとんど変化しない。
【０３９９】
ただし、非ゴム物体とゴム物体とが接触した場合、例えば、接触圧力を一定にした状態で互いの接触面積を変化させると、単位面積接触圧力が変化し、その変化分を相殺するように接触面積が変化して接触圧力は何ら変化しないものの、単位面積接触圧力の変化に応じて摩擦係数の値が変化するため、これら非ゴム物体とゴム物体との間に作用する摩擦力は変化する。
【０４００】
すなわち、非ゴム物体とゴム物体とが接触した場合、例えば、接触圧力を一定にした状態で互いの接触面積を小さくすると、接触圧力が一定のまま、単位面積接触圧力が大きくなって摩擦係数は小さくなるため、これら非ゴム物体とゴム物体との間に作用する摩擦力は小さくなる。
【０４０１】
また非ゴム物体とゴム物体とが接触した場合、例えば、接触圧力を一定にした状態で互いの接触面積を大きくすると、接触圧力が一定のまま、単位面積接触圧力が小さくなって摩擦係数は大きくなるため、これら非ゴム物体とゴム物体との間に作用する摩擦力は大きくなる。
【０４０２】
よって非ゴム物体とゴム物体とが接触した場合、接触面積を変化させることで、これら非ゴム物体とゴム物体との間に作用する摩擦力を変化させることができる。
【０４０３】
そしてステージ２５の紙幣載上面２５Ａ上で重なるように接触した２枚の紙幣４５の間や、第１及び第２の実施の形態について説明した最終紙幣４５と、これに接触する材質変更板６３乃至６５、８６乃至８８との間には、第１摩擦力特性曲線Ｃ１をもとに説明した場合のように摩擦力が作用する。
【０４０４】
また材質変更部１０７によりゴム製（材質がゴム）の左摩擦力変更ローラ１１０及び右摩擦力変更ローラ１１１の周側面の一部を最終紙幣４５と接触させた場合は、第２摩擦力特性曲線Ｃ２をもとに説明した場合のように摩擦力が作用する。
【０４０５】
よって材質変更部１０７の左摩擦力変更ローラ１１０及び右摩擦力変更ローラ１１１は、周側面の幅が直径方向の一方の部分よりも他方の部分が広くなるように形成されている。
【０４０６】
すなわち、左摩擦力変更ローラ１１０及び右摩擦力変更ローラ１１１は、周側面の幅が直径方向の一方の部分で最も狭くなり、当該一方の部分から他方の部分にかけて徐々に広くなり、当該他方の部分で最も広くなるように形成されている。
【０４０７】
因みに、以下の説明では、左摩擦力変更ローラ１１０及び右摩擦力変更ローラ１１１の周側面において最も幅の狭い部分を、最狭部分とも呼び、最も幅の広い部分を、最広部分とも呼ぶ。
【０４０８】
そして左摩擦力変更ローラ１１０及び右摩擦力変更ローラ１１１は、ステージ２５の変更部配置面２５Ｄ及び前後の縁に対する互いの最狭部分及び最広部分の位置関係を合わせてローラ駆動軸１０８に取り付けられている。
【０４０９】
そのうえで材質変更部１０７は、ローラ駆動軸１０８の近傍に配置された図示しない摩擦力変更用モータの出力軸が、複数のギアを介して当該ローラ駆動軸１０８に連結されている。
【０４１０】
これにより材質変更部１０７は、制御部１９により摩擦力変更用モータが駆動されると、これに応じて左摩擦力変更ローラ１１０及び右摩擦力変更ローラ１１１を同期させて一回転方向へ回転させることができる。
【０４１１】
そして図１５と共に図１７及び図１８に示すように、制御部１９は、係る材質変更部１０７を制御して、最終紙幣４５にステージ２５の紙幣載上面２５Ａとの接触によって作用する摩擦力を、繰出用に最適な摩擦力に変更する場合、摩擦力変更用モータを駆動して左摩擦力変更ローラ１１０及び右摩擦力変更ローラ１１１を共に一回転方向へ回転させる。
【０４１２】
これにより制御部１９は、左摩擦力変更ローラ１１０及び右摩擦力変更ローラ１１１の周側面において、ステージ２５の紙幣載上面２５Ａから突出させる紙幣接触部分の幅を変更することができる。
【０４１３】
すなわち、制御部１９は、左摩擦力変更ローラ１１０及び右摩擦力変更ローラ１１１の周側面において、ステージ２５の左開口部２５ＡＸ及び右開口部２５ＡＹを介して最終紙幣４５（すなわち、最終紙幣４５の下面の一部）に接触させる紙幣接触部分の面積を、当該紙幣接触部分の幅と共に変更することができる。
【０４１４】
このようにして制御部１９は、紙幣収納繰出庫１０１で扱う紙幣４５の材質に応じて、ステージ２５の紙幣載上面２５Ａの一部から突出させる左摩擦力変更ローラ１１０及び右摩擦力変更ローラ１１１の紙幣接触部分の面積を変更して、最終紙幣４５に当該面積を変更した紙幣接触部分の接触に応じて繰出用に最適な摩擦力を作用させることができる。
【０４１５】
すなわち、仮に同一の紙幣４５に左摩擦力変更ローラ１１０及び右摩擦力変更ローラ１１１の紙幣接触部分を、面積を変えて接触させたとすると、例えば、左摩擦力変更ローラ１１０及び右摩擦力変更ローラ１１１の紙幣接触部分の面積を比較的小さくした場合は、紙幣４５に、その紙幣接触部分の接触によって作用させる摩擦力を比較的小さくすることができる。
【０４１６】
また左摩擦力変更ローラ１１０及び右摩擦力変更ローラ１１１の紙幣接触部分の面積を比較的大きくした場合は、紙幣４５に、その紙幣接触部分の接触によって作用させる摩擦力を比較的大きくすることができる。
【０４１７】
よって制御部１９は、ステージ２５の紙幣載上面２５Ａの一部から突出させる左摩擦力変更ローラ１１０及び右摩擦力変更ローラ１１１の紙幣接触部分の面積を、このような左摩擦力変更ローラ１１０及び右摩擦力変更ローラ１１１の紙幣接触部分の面積の変化に応じた摩擦力の変化の特性をもとに、紙幣収納繰出庫１０１で扱う紙幣４５の材質に応じて選定された面積に設定している。
【０４１８】
そして制御部１９は、このように最終紙幣４５にステージ２５の紙幣載上面２５Ａとの接触によって作用する摩擦力を、繰出用に最適な摩擦力に変更するために、材質変更部１０７において左摩擦力変更ローラ１１０及び右摩擦力変更ローラ１１１を回転させて紙幣接触部分の面積を変更する処理を、上述した第１の実施の形態の場合と同様に、空の状態の紙幣収納繰出庫１０１に紙幣４５を収納する際に実行している。
【０４１９】
すなわち、制御部１９は、作業者により例えば、タッチスクリーン４を介して、空の状態の紙幣収納繰出庫１２に対する紙幣４５の収納が指示されると、メモリに予め記憶している摩擦力変更プログラムに従って、図７との対応部分に同一符号を付した図１９に示す第２摩擦力変更処理手順ＲＴ２を開始する。
【０４２０】
制御部１９は、係る第２摩擦力変更処理手順ＲＴ２を開始すると、ステップＳＰ１の処理を実行した後、次のステップＳＰ１１に移る。
【０４２１】
ここで、制御部１９は、例えば、メモリに構築した上述の紙幣データベースに、各国の紙幣４５に関する各種情報として、当該紙幣４５の材質を示す情報を格納している。
【０４２２】
また制御部１９は、例えば、メモリに構築した上述の紙幣データベースに、各国の紙幣４５に関する各種情報として、左摩擦力変更ローラ１１０及び右摩擦力変更ローラ１１１の紙幣接触部分を紙幣４５の材質に対応する（すなわち、最終紙幣４５に繰出用に最適な摩擦力を作用させる）面積にするための当該左摩擦力変更ローラ１１０及び右摩擦力変更ローラ１１１に対する基準位置からの回転角度を示す情報も格納している。
【０４２３】
さらに制御部１９は、例えば、紙幣収納繰出庫１０１乃至１０４各々においてステージ２５の紙幣載上面２５Ａから突出させる左摩擦力変更ローラ１１０及び右摩擦力変更ローラ１１１の紙幣接触部分の面積を変更する毎に、変更後の左摩擦力変更ローラ１１０及び右摩擦力変更ローラ１１１に対する基準位置からの回転角度を示す情報を生成する。
【０４２４】
そして制御部１９は、その回転角度を示す情報を、この際、左摩擦力変更ローラ１１０及び右摩擦力変更ローラ１１１を回転させた紙幣収納繰出庫１０１乃至１０４を示す情報と対応付けて回転履歴情報を生成し、当該生成した回転履歴情報をメモリに記憶している。
【０４２５】
よってステップＳＰ１１において制御部１９は、作業者により指定された紙幣収納繰出庫１０１及び紙幣４５の指定種類をもとに、メモリ内の紙幣データベース、及び当該紙幣収納繰出庫１０１に対応する回転履歴情報を参照する。
【０４２６】
そして制御部１９は、その参照結果をもとに、紙幣収納繰出庫１０１において左摩擦力変更ローラ１１０及び右摩擦力変更ローラ１１１の紙幣接触部分の面積を変更するか否かを判別する。
【０４２７】
このステップＳＰ１１において肯定結果が得られると、このことは、紙幣収納繰出庫１０１における現在の左摩擦力変更ローラ１１０及び右摩擦力変更ローラ１１１の紙幣接触部分の面積が、当該紙幣収納繰出庫１０１に今から収納する紙幣４５に、繰出用に最適な摩擦力を作用させ得る面積とは異なることを表している。
【０４２８】
すなわち、係る肯定結果は、紙幣収納繰出庫１０１において、今から収納する紙幣４５に対し、紙幣繰出時に繰出用に最適な摩擦力を作用させるには、左摩擦力変更ローラ１１０及び右摩擦力変更ローラ１１１を回転させて紙幣接触部分の面積を変更する必要があることを表している。そしてステップＳＰ１１において制御部１９は、係る肯定結果を得ると、次のステップＳＰ１２に移る。
【０４２９】
ステップＳＰ１２において制御部１９は、紙幣４５の指定種類（すなわち、指定種類の紙幣４５の材質）に応じて紙幣収納繰出庫１０１内で材質変更部１０７の摩擦力変更用モータを駆動する。
【０４３０】
これにより制御部１９は、紙幣収納繰出庫１０１内の材質変更部１０７において左摩擦力変更ローラ１１０及び右摩擦力変更ローラ１１１を回転させて、紙幣接触部分の面積を変更する。
【０４３１】
また制御部１９は、紙幣収納繰出庫１０１内での左摩擦力変更ローラ１１０及び右摩擦力変更ローラ１１１の紙幣接触部分の面積の変更に応じて、その面積の変更後の左摩擦力変更ローラ１１０及び右摩擦力変更ローラ１１１に対する基準位置からの回転角度を示す回転履歴情報を生成してメモリに記憶した後、次のステップＳＰ４に移る。
【０４３２】
ただし、ステップＳＰ１１において否定結果が得られると、このことは、紙幣収納繰出庫１０１における現在の左摩擦力変更ローラ１１０及び右摩擦力変更ローラ１１１の紙幣接触部分の面積が、当該紙幣収納繰出庫１０１に今から収納する紙幣４５に対し、紙幣繰出時には繰出用に最適な摩擦力を作用させ得る面積であることを表している。
【０４３３】
すなわち、係る否定結果は、紙幣収納繰出庫１０１において左摩擦力変更ローラ１１０及び右摩擦力変更ローラ１１１を回転させて紙幣接触部分の面積を変更しなくても、今から収納する紙幣４５に対し、紙幣繰出時には繰出用に最適な摩擦力を作用させ得ることを表している。
【０４３４】
そしてステップＳＰ１１において制御部１９は、係る否定結果を得ると、ステップＳＰ１２の処理は実行せずにステップＳＰ４に移る。
【０４３５】
そして制御部１９は、ステップＳＰ４の処理を実行した後、次のステップＳＰ５において、紙幣収納繰出庫１０１への収納用に補充回収庫１６から繰り出し始めた紙幣４５の種類が作業者の指定通りであり、左摩擦力変更ローラ１１０及び右摩擦力変更ローラ１１１の紙幣接触部分の面積を変更し直す必要がないために肯定結果を得ると、次のステップＳＰ１３に移る。
【０４３６】
これによりステップＳＰ１３において制御部１９は、紙幣収納繰出庫１０１への紙幣４５の収納を継続しながらも、第２摩擦力変更処理手順ＲＴ２については終了する。
【０４３７】
これに対しステップＳＰ５において否定結果が得られると、このことは、このとき紙幣収納繰出庫１０１への収納用に補充回収庫１６から繰り出し始めた紙幣４５の種類を作業者が誤って指定していたため、当該紙幣収納繰出庫１０１において左摩擦力変更ローラ１１０及び右摩擦力変更ローラ１１１を回転させて紙幣接触部分の面積を変更し直さなければならない可能性があることを表している。そしてステップＳＰ５において制御部１９は、係る否定結果を得ると、ステップＳＰ１４に移る。
【０４３８】
この際、ステップＳＰ１４において制御部１９は、鑑別部１０から通知された１枚目の紙幣４５の鑑別結果をもとに、メモリ内の紙幣データベース、及び紙幣収納繰出庫１０１に対応する回転履歴情報を参照する。
【０４３９】
そして制御部１９は、その参照結果をもとに、紙幣収納繰出庫１０１において、左摩擦力変更ローラ１１０及び右摩擦力変更ローラ１１１の紙幣接触部分の面積を変更するか否かを改めて判別する。
【０４４０】
このステップＳＰ１４において肯定結果が得られると、このことは、この際、鑑別部１０で鑑別された紙幣４５の材質と、指定種類の紙幣４５の材質とが異なっていたため、紙幣収納繰出庫１０１内で左摩擦力変更ローラ１１０及び右摩擦力変更ローラ１１１を回転させて紙幣接触部分の面積を改めて変更する必要があることを表している。そしてステップＳＰ１４において制御部１９は、係る肯定結果を得ると、次のステップＳＰ１５に移る。
【０４４１】
ステップＳＰ１５において制御部１９は、鑑別部１０から通知された１枚目の紙幣４５の鑑別結果をもとに（すなわち、実際に鑑別された紙幣４５の材質に応じて）、紙幣収納繰出庫１０１内で材質変更部１０７の摩擦力変更用モータを駆動する。
【０４４２】
これにより制御部１９は、上述と同様に紙幣収納繰出庫１０１内の材質変更部１０７において左摩擦力変更ローラ１１０及び右摩擦力変更ローラ１１１を回転させて紙幣接触部分の面積を変更する。
【０４４３】
また制御部１９は、紙幣収納繰出庫１０１内での左摩擦力変更ローラ１１０及び右摩擦力変更ローラ１１１の紙幣接触部分の面積の変更に応じて、その面積の変更後の左摩擦力変更ローラ１１０及び右摩擦力変更ローラ１１１に対する基準位置からの回転角度を示す回転履歴情報を生成してメモリに記憶した後、次のステップＳＰ１３に移る。
【０４４４】
これによりステップＳＰ１３において制御部１９は、紙幣収納繰出庫１０１への紙幣４５の収納を継続しながらも、第２摩擦力変更処理手順ＲＴ２については終了する。
【０４４５】
ただし、ステップＳＰ１４において否定結果が得られると、このことは、この際、鑑別部１０で鑑別された紙幣４５と、指定種類の紙幣４５とは例えば、金種が異なるだけで互いの材質は同一であるため（すなわち、作業者が紙幣４５の金種を誤って指定していただけであるため）、紙幣収納繰出庫１０１内で左摩擦力変更ローラ１１０及び右摩擦力変更ローラ１１１の紙幣接触部分の面積を変更する必要がないことを表している。
【０４４６】
そしてステップＳＰ１４において制御部１９は、係る否定結果を得ると、ステップＳＰ１５の処理は実行せずにステップＳＰ１３に移り、当該ステップＳＰ１３において、紙幣収納繰出庫１０１への紙幣４５の収納を継続しながらも、第２摩擦力変更処理手順ＲＴ２については終了する。
【０４４７】
このようにして制御部１９は、現金自動預払機１００の設置時や運用途中の取扱紙幣の変更に応じて、ステージ２５の紙幣載上面２５Ａの一部から突出させる左摩擦力変更ローラ１１０及び右摩擦力変更ローラ１１１の紙幣接触部分の面積を適宜変更するようにして、最終紙幣４５に当該紙幣接触部分の接触に応じて繰出用に最適な摩擦力を作用させるように設定することができる。
【０４４８】
（３−４）第３の実施の形態の動作及び効果
以上の構成において、現金自動預払機１００では、紙幣収納繰出庫１０１乃至１０４においてステージ２５の変更部配置面２５Ｄに、周側面の幅が部分的に異なるゴム製の左摩擦力変更ローラ１１０及び右摩擦力変更ローラ１１１を有する材質変更部１０７を配置する。
【０４４９】
そして現金自動預払機１００は、紙幣収納繰出庫１０１乃至１０４で扱う紙幣４５の材質に応じて、紙幣収納繰出庫１０１乃至１０４において材質変更部１０７により左摩擦力変更ローラ１１０及び右摩擦力変更ローラ１１１を共に適宜回転させる。
【０４５０】
これにより現金自動預払機１００は、紙幣収納繰出庫１０１乃至１０４において、ステージ２５の紙幣載上面２５Ａから突出させる、左摩擦力変更ローラ１１０及び右摩擦力変更ローラ１１１の紙幣接触部分の面積を変更するようにして、最終紙幣４５に紙幣接触部分を接触させて作用させる摩擦力を、当該最終紙幣４５の材質に応じて変更可能にした。
【０４５１】
従って現金自動預払機１００は、紙幣収納繰出庫１０１乃至１０４において、どのような材質の紙幣４５を扱う場合でも、紙幣繰出時、ステージ２５の紙幣載上面２５Ａに載っている複数の紙幣４５のうち最終紙幣４５に、左摩擦力変更ローラ１１０及び右摩擦力変更ローラ１１１の紙幣接触部分の接触に応じて繰出用に最適な摩擦力を作用させることができる。
【０４５２】
以上の構成によれば、現金自動預払機１００は、紙幣収納繰出庫１０１乃至１０４においてステージ２５の変更部配置面２５Ｄに、周側面の幅が部分的に異なるゴム製の左摩擦力変更ローラ１１０及び右摩擦力変更ローラ１１１を有する材質変更部１０７を配置し、紙幣収納繰出庫１０１乃至１０４で扱う紙幣４５の材質に応じて、左摩擦力変更ローラ１１０及び右摩擦力変更ローラ１１１を回転させて、ステージ２５の紙幣載上面２５Ａの一部から突出させる、当該左摩擦力変更ローラ１１０及び右摩擦力変更ローラ１１１の紙幣接触部分の面積を変更するようにして、最終紙幣４５に紙幣接触部分を接触させて作用させる摩擦力を、当該最終紙幣４５の材質に応じて変更し得るようにした。
【０４５３】
これにより現金自動預払機１００は、上述した第１の実施の形態によって得られる効果と同様の効果を得ることができると共に、これに加えて材質変更部１０７を、上述した第１及び第２の実施の形態による材質変更部６０、７７に比して大幅に簡易化及び小型化することができる。
【０４５４】
（４）第４の実施の形態
（４−１）現金自動預払機の外観構成
次いで、第４の実施の形態による現金自動預払機について説明する。第４の実施の形態による現金自動預払機は、第１の実施の形態による現金自動預払機１（図１）と同様の外観構成を有している。よって、第４の実施の形態による現金自動預払機の外観構成についても、図１を参照することとし説明を省略する。
【０４５５】
（４−２）現金自動預払機の内部構成
次いで、第４の実施の形態による現金自動預払機の内部構成について説明する。図２との対応部分に同一符号を付した図２０に示すように、第４の実施の形態による現金自動預払機１２０は、複数の紙幣収納繰出庫１２１乃至１２４の構成を除いて上述した第１の実施の形態による現金自動預払機１と同様に構成されている。
【０４５６】
よって、以下には、第４の実施の形態による現金自動預払機１２０に設けられた複数の紙幣収納繰出庫１２１乃至１２４の構成について説明する。
【０４５７】
（４−３）紙幣収納繰出庫の構成
第４の実施の形態による現金自動預払機１２０の複数の紙幣収納繰出庫１２１乃至１２４は、それぞれステージ及び材質変更部の構成を除いて、図３乃至図９を用いて上述した第１の実施の形態による現金自動預払機１の複数の紙幣収納繰出庫１２乃至１５と同様に構成されている。
【０４５８】
よって、以下には、複数の紙幣収納繰出庫１２１乃至１２４に設けられたステージ及び材質変更部の構成について説明する。
【０４５９】
ただし、複数の紙幣収納繰出庫１２１乃至１２４は、同様に構成されているため、１つの紙幣収納繰出庫１２１の材質変更部の構成についてのみ説明し、他の紙幣収納繰出庫１２２乃至１２４の材質変更部の構成については説明を省略する。
【０４６０】
図５及び図６との対応部分に同一符号を付した図２１及び図２２に示すように、紙幣収納繰出庫１２１において紙幣収納部２２内には、上述した第１の実施の形態による紙幣収納繰出庫１２乃至１５の場合と材質のみが異なるステージ１２６が上方向及び下方向へ移動可能（昇降可能）に設けられている。
【０４６１】
この場合、ステージ１２６の材質は、現金自動預払機１２０で扱うことが想定される種々の材質の紙幣４５の何れが最終紙幣４５として紙幣載上面１２６Ａに接触した場合でも、比較的小さい摩擦力を作用させるものに選定されている。
【０４６２】
そしてステージ１２６の変更部配置面１２６Ｄには、紙幣載上面１２６Ａの材質を部分的に変更して、当該紙幣載上面１２６Ａに接触する最終紙幣４５に、その材質の変更部分の接触に応じて繰出用に最適な摩擦力を作用させる材質変更部１２７が配置されている。
【０４６３】
材質変更部１２７は、例えば、一対の四角形状の昇降板１２８（１つのみ図示し残りの１つは図示せず）を有している。
【０４６４】
一方の昇降板１２８は、その一面を水平にしてステージ１２６の左開口部１２６ＡＸと対向させた姿勢で、図示しない昇降板支持部により上方向及び下方向に移動可能に支持されている。
【０４６５】
また、他方の昇降板は、その一面を水平にしてステージ１２６の右開口部１２６ＡＹと対向させた姿勢で、図示しない昇降板支持部により上方向及び下方向に移動可能に支持されている。
【０４６６】
因みに、以下の説明では、ステージ１２６の左開口部１２６ＡＸと対向配置された一方の昇降板１２８を、左昇降板１２８とも呼び、当該ステージ１２６の右開口部１２６ＡＹと対向配置された他方の昇降板を、右昇降板とも呼ぶ。
【０４６７】
さらに左昇降板１２８の一面及び右昇降板の一面には、それぞれ同一の材質の摩擦力変更板１２９、１３０が貼着されている。
【０４６８】
因みに、以下の説明では、左昇降板１２８の一面に貼着された摩擦力変更板１２９を、左摩擦力変更板１２９とも呼び、右昇降板の一面に貼着された摩擦力変更板１３０を、右摩擦力変更板１３０とも呼ぶ。
【０４６９】
ここで、左摩擦力変更板１２９及び右摩擦力変更板１３０の材質は、現金自動預払機１２０で扱うことが想定される種々の材質の紙幣４５の何れに接触した場合でも、ステージ１２６野紙幣載上面１２６Ａが当該種々の材質の紙幣４５に接触した場合に作用させる摩擦力よりも大きい摩擦力を作用させるように選定されている。
【０４７０】
そして材質変更部１２７は、図示しない昇降駆動部を有し、制御部１９により当該昇降駆動部が駆動されると、これに応じて左昇降板１２８及び右昇降板を、互いの高さ位置を合わせた状態で上昇させ、また下降させることができる。
【０４７１】
これにより材質変更部１２７は、左摩擦力変更板１２９及び右摩擦力変更板１３０により最終紙幣４５に対し、第３の実施の形態において図１６に示す第１摩擦力特性曲線Ｃ１をもとに説明した場合のように摩擦力を作用させることができるようにしている。
【０４７２】
すなわち、材質変更部１２７は、最終紙幣４５に対する左摩擦力変更板１２９及び右摩擦力変更板１３０の接触圧力を変化させることで、当該最終紙幣４５に繰出用に最適な摩擦力を作用させるように構成されている。
【０４７３】
実際、制御部１９は、係る材質変更部１２７を制御して、最終紙幣４５にステージ１２６の紙幣載上面１２６Ａとの接触によって作用する摩擦力を、繰出用に最適な摩擦力に変更する場合、昇降駆動部を駆動して左昇降板１２８及び右昇降板を共に上昇させる。
【０４７４】
これにより制御部１９は、左摩擦力変更板１２９及び右摩擦力変更板１３０の表面を、ステージ１２６の左開口部１２６ＡＸ及び右開口部１２６ＡＹを介して紙幣載上面１２６Ａから突出させるようにして、当該左摩擦力変更板１２９及び右摩擦力変更板１３０に対する紙幣載上面１２６Ａからの突出量を変更することができる。
【０４７５】
そして制御部１９は、このように左摩擦力変更板１２９及び右摩擦力変更板１３０に対するステージ１２６の紙幣載上面１２６Ａからの突出量を変更することで、当該左摩擦力変更板１２９及び右摩擦力変更板１３０の表面を最終紙幣４５の一部（すなわち、下面の一部）に押し付ける際の接触圧力を設定することができる。
【０４７６】
すなわち、仮に同一の紙幣４５に左摩擦力変更板１２９及び右摩擦力変更板１３０を、接触圧力を変更して接触させたとすると、紙幣４５に対する左摩擦力変更板１２９及び右摩擦力変更板１３０の表面の接触圧力を比較的小さくした場合は、当該紙幣４５に左摩擦力変更板１２９及び右摩擦力変更板１３０の接触によって作用させる摩擦力を比較的小さくすることができる。
【０４７７】
また紙幣４５に対する左摩擦力変更板１２９及び右摩擦力変更板１３０の表面の接触圧力を比較的大きくした場合は、当該紙幣４５に左摩擦力変更板１２９及び右摩擦力変更板１３０の接触によって作用させる摩擦力を比較的大きくすることができる。
【０４７８】
よって制御部１９は、ステージ１２６の紙幣載上面１２６Ａの一部から突出させる左摩擦力変更板１２９及び右摩擦力変更板１３０の突出量を、このような左摩擦力変更板１２９及び右摩擦力変更板１３０の接触圧力の変化に応じた摩擦力の変化の特性をもとに、紙幣収納繰出庫１０１で扱う紙幣４５の材質に応じて選定された突出量に設定している。
【０４７９】
このようにして制御部１９は、紙幣収納繰出庫１２１で扱う紙幣４５の材質に応じて、ステージ１２６の紙幣載上面１２６Ａの一部から突出させる左摩擦力変更板１２９及び右摩擦力変更板１３０の突出量と共に最終紙幣４５に対する接触圧力を設定して、最終紙幣４５に当該設定した接触圧力での左摩擦力変更板１２９及び右摩擦力変更板１３０の接触に応じて繰出用に最適な摩擦力を作用させることができる。
【０４８０】
そして制御部１９は、このように最終紙幣４５にステージ１２６の紙幣載上面１２６Ａとの接触によって作用する摩擦力を、繰出用に最適な摩擦力に変更するために、材質変更部１２７において左摩擦力変更板１２９及び右摩擦力変更板１３０を昇降させて最終紙幣４５に対する接触圧力を変更する処理を、上述した第１の実施の形態の場合と同様に、空の状態の紙幣収納繰出庫１２１に紙幣４５を収納する際に実行している。
【０４８１】
すなわち、制御部１９は、作業者により例えば、タッチスクリーン４を介して、空の状態の紙幣収納繰出庫１２に対する紙幣４５の収納が指示されると、メモリに予め記憶している摩擦力変更プログラムに従って、図７との対応部分に同一符号を付した図２３に示す第３摩擦力変更処理手順ＲＴ３を開始する。
【０４８２】
制御部１９は、係る第３摩擦力変更処理手順ＲＴ３を開始すると、ステップＳＰ１の処理を実行した後、次のステップＳＰ２１に移る。
【０４８３】
ここで、制御部１９は、例えば、メモリに構築した上述の紙幣データベースに、各国の紙幣４５に関する各種情報として、当該紙幣４５の材質を示す情報を格納している。
【０４８４】
また制御部１９は、例えば、メモリに構築した上述の紙幣データベースに、各国の紙幣４５に関する各種情報として、左摩擦力変更板１２９及び右摩擦力変更板１３０をステージ１２６の紙幣載上面１２６Ａから突出させて紙幣４５の材質に対応する（すなわち、最終紙幣４５に繰出用に最適な摩擦力を作用させる）接触圧力を得るための左昇降板１２８及び右昇降板の基準位置からの上昇距離を示す情報も格納している。
【０４８５】
さらに制御部１９は、例えば、紙幣収納繰出庫１２１乃至１２４各々において左昇降板１２８及び右昇降板を昇降させるようにして、ステージ１２６の紙幣載上面１２６Ａから突出させる左摩擦力変更板１２９及び右摩擦力変更板１３０の突出量を変更する毎に、その変更後の左昇降板１２８及び右昇降板に対する基準位置からの上昇距離を示す情報を生成する。
【０４８６】
そして制御部１９は、その上昇距離を示す情報を、この際、左昇降板１２８及び右昇降板を昇降させた紙幣収納繰出庫１２１乃至１２４を示す情報と対応付けて昇降履歴情報を生成し、当該生成した昇降履歴情報をメモリに記憶している。
【０４８７】
よってステップＳＰ２１において制御部１９は、作業者により指定された紙幣収納繰出庫１２１及び紙幣４５の指定種類をもとに、メモリ内の紙幣データベース、及び当該紙幣収納繰出庫１２１に対応する昇降履歴情報を参照する。
【０４８８】
そして制御部１９は、その参照結果をもとに、紙幣収納繰出庫１２１においてステージ１２６の紙幣載上面１２６Ａから突出させる左摩擦力変更板１２９及び右摩擦力変更板１３０の突出量を変更するか否かを判別する。
【０４８９】
このステップＳＰ２１において肯定結果が得られると、このことは、紙幣収納繰出庫１２１において現在、ステージ１２６の紙幣載上面１２６Ａから突出させている左摩擦力変更板１２９及び右摩擦力変更板１３０の突出量が、当該紙幣収納繰出庫１２１に今から収納する紙幣４５に繰出用に最適な摩擦力を作用させ得る突出量とは異なることを表している。
【０４９０】
すなわち、係る肯定結果は、紙幣収納繰出庫１２１において、今から収納する紙幣４５に対し、紙幣繰出時に繰出用に最適な摩擦力を作用させるには、左昇降板１２８及び右昇降板を昇降させてステージ１２６の紙幣載上面１２６Ａからの左摩擦力変更板１２９及び右摩擦力変更板１３０の突出量を変更する必要があることを表している。そしてステップＳＰ２１において制御部１９は、係る肯定結果を得ると、次のステップＳＰ２２に移る。
【０４９１】
ステップＳＰ２２において制御部１９は、紙幣４５の指定種類（すなわち、指定種類の紙幣４５の材質）に応じて紙幣収納繰出庫１２１内で材質変更部１２７の昇降駆動部を駆動する。
【０４９２】
これにより制御部１９は、紙幣収納繰出庫１２１内の材質変更部１２７において左昇降板１２８及び右昇降板を昇降させて、ステージ１２６の紙幣載上面１２６Ａからの左摩擦力変更板１２９及び右摩擦力変更板１３０の突出量を変更する。
【０４９３】
また制御部１９は、紙幣収納繰出庫１２１内で左摩擦力変更板１２９及び右摩擦力変更板１３０の突出量を変更するために左昇降板１２８及び右昇降板を昇降させたことに応じて、昇降後の左昇降板１２８及び右昇降板の基準位置からの上昇距離を示す昇降履歴情報を生成してメモリに記憶した後、次のステップＳＰ４に移る。
【０４９４】
ただし、ステップＳＰ２１において否定結果が得られると、このことは、紙幣収納繰出庫１２１におせる現在のステージ１２６の紙幣載上面１２６Ａからの左摩擦力変更板１２９及び右摩擦力変更板１３０の突出量が、当該紙幣収納繰出庫１２１に今から収納する紙幣４５に紙幣繰出時には繰出用に最適な摩擦力を作用させ得る突出量であることを表している。
【０４９５】
すなわち、係る否定結果は、紙幣収納繰出庫１２１において左昇降板１２８及び右昇降板を昇降させて、ステージ１２６の紙幣載上面１２６Ａからの左摩擦力変更板１２９及び右摩擦力変更板１３０の突出量を変更しなくても、今から収納する紙幣４５に対し、紙幣繰出時には繰出用に最適な摩擦力を作用させ得ることを表している。
【０４９６】
そしてステップＳＰ２１において制御部１９は、係る否定結果を得ると、ステップＳＰ２２の処理は実行せずにステップＳＰ４に移る。
【０４９７】
そして制御部１９は、ステップＳＰ４の処理を実行した後、次のステップＳＰ５において、紙幣収納繰出庫１２１への収納用に補充回収庫１６から繰り出し始めた紙幣４５の種類が作業者の指定通りであり、ステージ１２６の紙幣載上面１２６Ａからの左摩擦力変更板１２９及び右摩擦力変更板１３０の突出量を変更し直す必要がないために肯定結果を得ると、次のステップＳＰ２３に移る。
【０４９８】
これによりステップＳＰ２３において制御部１９は、紙幣収納繰出庫１２１への紙幣４５の収納を継続しながらも、第３摩擦力変更処理手順ＲＴ３については終了する。
【０４９９】
これに対しステップＳＰ５において否定結果が得られると、このことは、このとき紙幣収納繰出庫１２１への収納用に補充回収庫１６から繰り出し始めた紙幣４５の種類を作業者が誤って指定していたため、当該紙幣収納繰出庫１２１においてステージ１２６の紙幣載上面１２６Ａからの左摩擦力変更板１２９及び右摩擦力変更板１３０の突出量を変更し直さなければならない可能性があることを表している。そしてステップＳＰ５において制御部１９は、係る否定結果を得ると、ステップＳＰ２４に移る。
【０５００】
この際、ステップＳＰ２４において制御部１９は、鑑別部１０から通知された１枚目の紙幣４５の鑑別結果をもとに、メモリ内の紙幣データベース、及び紙幣収納繰出庫１２１に対応する昇降履歴情報を参照する。
【０５０１】
そして制御部１９は、その参照結果をもとに、紙幣収納繰出庫１２１において、ステージ１２６の紙幣載上面１２６Ａからの左摩擦力変更板１２９及び右摩擦力変更板１３０の突出量を変更するか否かを改めて判別する。
【０５０２】
このステップＳＰ２４において肯定結果が得られると、このことは、この際、鑑別部１０で鑑別された紙幣４５の材質と、指定種類の紙幣４５の材質とが異なっていたため、紙幣収納繰出庫１２１内でステージ１２６の紙幣載上面１２６Ａからの左摩擦力変更板１２９及び右摩擦力変更板１３０の突出量を改めて変更する必要があることを表している。そしてステップＳＰ２４において制御部１９は、係る肯定結果を得ると、次のステップＳＰ２５に移る。
【０５０３】
ステップＳＰ２５において制御部１９は、鑑別部１０から通知された１枚目の紙幣４５の鑑別結果をもとに（すなわち、実際に鑑別された紙幣４５の材質に応じて）、紙幣収納繰出庫１２１内で材質変更部１２７の昇降駆動部を駆動する。
【０５０４】
これにより制御部１９は、上述と同様に紙幣収納繰出庫１２１内の材質変更部１２７において左昇降板１２８及び右昇降板を昇降させて、ステージ１２６の紙幣載上面１２６Ａからの左摩擦力変更板１２９及び右摩擦力変更板１３０の突出量を変更する。
【０５０５】
また制御部１９は、紙幣収納繰出庫１２１内で左摩擦力変更板１２９及び右摩擦力変更板１３０の突出量を変更するために左昇降板１２８及び右昇降板を昇降させたことに応じて、昇降後の左昇降板１２８及び右昇降板の基準位置からの上昇距離を示す昇降履歴情報を生成してメモリに記憶した後、次のステップＳＰ２３に移る。
【０５０６】
これによりステップＳＰ２３において制御部１９は、紙幣収納繰出庫１２１への紙幣４５の収納を継続しながらも、第３摩擦力変更処理手順ＲＴ３については終了する。
【０５０７】
ただし、ステップＳＰ２４において否定結果が得られると、このことは、この際、鑑別部１０で鑑別された紙幣４５と、指定種類の紙幣４５とは例えば、金種が異なるだけで互いの材質は同一であるため（すなわち、作業者が紙幣４５の金種を誤って指定していただけであるため）、紙幣収納繰出庫１２１内でステージ１２６の紙幣載上面１２６Ａからの左摩擦力変更板１２９及び右摩擦力変更板１３０の突出量を変更する必要がないことを表している。
【０５０８】
そしてステップＳＰ２４において制御部１９は、係る否定結果を得ると、ステップＳＰ２５の処理は実行せずにステップＳＰ２３に移り、当該ステップＳＰ２３において、紙幣収納繰出庫１２１への紙幣４５の収納を継続しながらも、第３摩擦力変更処理手順ＲＴ３については終了する。
【０５０９】
このようにして制御部１９は、現金自動預払機１００の設置時や運用途中の取扱紙幣の変更に応じて、ステージ１２６の紙幣載上面１２６Ａの一部から突出させる左摩擦力変更板１２９及び右摩擦力変更板１３０の突出量を適宜変更するようにして、最終紙幣４５に繰出用に最適な摩擦力を作用させるように、当該左摩擦力変更板１２９及び右摩擦力変更板１３０を最終紙幣４５に押し付ける際の接触圧力を設定することができる。
【０５１０】
（４−４）第４の実施の形態の動作及び効果
以上の構成において、現金自動預払機１２０では、紙幣収納繰出庫１２１乃至１２４においてステージ１２６の変更部配置面１２６Ｄに、左昇降板１２８及び右昇降板を介して左摩擦力変更板１２９及び右摩擦力変更板１３０を昇降させる材質変更部１２７を配置する。
【０５１１】
そして現金自動預払機１２０は、紙幣収納繰出庫１２１乃至１２４で扱う紙幣４５の材質に応じて、紙幣収納繰出庫１２１乃至１２４において材質変更部１２７により左摩擦力変更板１２９及び右摩擦力変更板１３０を昇降させるようにした。
【０５１２】
これにより現金自動預払機１２０は、紙幣収納繰出庫１２１乃至１２４において、ステージ１２６の紙幣載上面１２６Ａの一部から突出させる左摩擦力変更板１２９及び右摩擦力変更板１３０の突出量を変更するようにして、最終紙幣４５に繰出用に最適な摩擦力を作用させるように、当該左摩擦力変更板１２９及び右摩擦力変更板１３０を最終紙幣４５に押し付ける際の接触圧力を設定する。
【０５１３】
従って現金自動預払機１２０は、紙幣収納繰出庫１２１乃至１２４において、どのような材質の紙幣４５を扱う場合でも、紙幣繰出時、ステージ１２６の紙幣載上面１２６Ａに載っている複数の紙幣４５のうち最終紙幣４５に、左摩擦力変更板１２９及び右摩擦力変更板１３０の接触圧力に応じて繰出用に最適な摩擦力を作用させることができる。
【０５１４】
以上の構成によれば、現金自動預払機１２０は、紙幣収納繰出庫１２１乃至１２４においてステージ１２６の変更部配置面１２６Ｄに、左摩擦力変更板１２９及び右摩擦力変更板１３０を昇降させる材質変更部１２７を配置し、紙幣収納繰出庫１２１乃至１２４で扱う紙幣４５の材質に応じて、左摩擦力変更板１２９及び右摩擦力変更板１３０を昇降させてステージ１２６の紙幣載上面１２６Ａの一部から突出させる当該左摩擦力変更板１２９及び右摩擦力変更板１３０の突出量を変更して、最終紙幣４５に対し、左摩擦力変更板１２９及び右摩擦力変更板１３０を繰出用に最適な摩擦力を作用させる接触圧力で接触させ得るようにした。
【０５１５】
これにより現金自動預払機１２０は、上述した第１の実施の形態によって得られる効果と同様の効果を得ることができると共に、これに加えて材質変更部１２７を、上述した第１及び第２の実施の形態による材質変更部６０、７７に比して大幅に簡易化及び小型化することができる。
【０５１６】
（５）第５の実施の形態
（５−１）現金自動預払機の外観構成
次いで、第５の実施の形態による現金自動預払機について説明する。第５の実施の形態による現金自動預払機は、第１の実施の形態による現金自動預払機１（図１）と同様の外観構成を有している。よって、第５の実施の形態による現金自動預払機の外観構成についても、図１を参照することとし説明を省略する。
【０５１７】
（５−２）現金自動預払機の内部構成
次いで、第５の実施の形態による現金自動預払機の内部構成について説明する。図２との対応部分に同一符号を付した図２４に示すように、第５の実施の形態による現金自動預払機１４０は、複数の紙幣収納繰出庫１４１乃至１４４の構成を除いて上述した第１の実施の形態による現金自動預払機１と同様に構成されている。
【０５１８】
よって、以下には、第５の実施の形態による現金自動預払機１４０に設けられた複数の紙幣収納繰出庫１４１乃至１４４の構成について説明する。
【０５１９】
（５−３）紙幣収納繰出庫の構成
第５の実施の形態による現金自動預払機１４０の複数の紙幣収納繰出庫１４１乃至１４４は、それぞれ材質変更部の構成を除いて、図３乃至図９を用いて上述した第１の実施の形態による現金自動預払機１の複数の紙幣収納繰出庫１２乃至１５と同様に構成されている。
【０５２０】
よって、以下には、複数の紙幣収納繰出庫１４１乃至１４４に設けられた材質変更部の構成について説明する。ただし、複数の紙幣収納繰出庫１４１乃至１４４は、同様に構成されているため、１つの紙幣収納繰出庫１４１の材質変更部の構成についてのみ説明し、他の紙幣収納繰出庫１４２乃至１４４の材質変更部の構成については説明を省略する。
【０５２１】
図５及び図６との対応部分に同一符号を付した図２５及び図２６に示すように、紙幣収納繰出庫１４１において紙幣収納部２２内には、上述した第１の実施の形態による紙幣収納繰出庫１２乃至１５の場合と同様にステージ２５が上方向及び下方向へ移動可能（昇降可能）に設けられている。
【０５２２】
そしてステージ２５の変更部配置面２５Ｄには、紙幣載上面２５Ａの材質を部分的に変更して、当該紙幣載上面２５Ａに接触する最終紙幣４５に、その材質の変更部分の接触に応じて繰出用に最適な摩擦力を作用させる材質変更部１４７が配置されている。
【０５２３】
材質変更部１４７は、例えば、ステージ２５の左開口部２５ＡＸの左縁から右開口部２５ＡＹの右縁までの長さ以上の所定長さの棒状のローラ駆動軸１４８を有している。
【０５２４】
ローラ駆動軸１４８は、ステージ２５の左開口部２５ＡＸ及び右開口部２５ＡＹの前後の中心の真下で、図示しない軸受部により、左方向と平行にして例えば、一回転方向及び他回転方向へ回転可能に支持されている。
【０５２５】
そしてローラ駆動軸１４８は、ステージ２５の左開口部２５ＡＸと対向する一端部に、摩擦力変更ローラ１５０が、その中心に穿設された孔部を介して取り付けられ、当該摩擦力変更ローラ１５０の周側面において上側の一部を、左開口部２５ＡＸを介して紙幣載上面２５Ａから僅かに上へ突出させている。
【０５２６】
ここで、摩擦力変更ローラ１５０は、現金自動預払機１４０で扱うことが想定される種々の材質の紙幣（すなわち、各国の紙幣）の何れが周側面に接触した場合でも、当該周側面に対し紙幣４５が滑らないような材質に選定されている。
【０５２７】
またローラ駆動軸１４８は、ステージ２５の右開口部２５ＡＹと対向する他端部に、摩擦力変更ローラ１５０と同一の材質の摩擦力変更ローラ１５１が、その中心に穿設された孔部を介して取り付けられ、当該摩擦力変更ローラ１５１の周側面において上側の一部を、右開口部２５ＡＹを介して紙幣載上面２５Ａから僅かに上へ突出させている。
【０５２８】
これにより材質変更部１４７は、ステージ２５の紙幣載上面２５Ａに１又は複数の紙幣４５が積層するように重ねられて載せられた場合、最終紙幣４５の一部（すなわち、下面の一部）に、摩擦力変更ローラ１５０、１５１各々の周側面において紙幣載上面２５Ａから突出する範囲の頂上部分を接触させることができる。
【０５２９】
因みに、以下の説明では、ローラ駆動軸１４８の一端部に取り付けられた摩擦力変更ローラ１５０を、左摩擦力変更ローラ１５０とも呼び、当該ローラ駆動軸１４８の他端部に取り付けられた摩擦力変更ローラ１５１を、右摩擦力変更ローラ１５１とも呼ぶ。
【０５３０】
さらに材質変更部１４７は、ローラ駆動軸１４８の近傍に配置された図示しない摩擦力変更用モータの出力軸が、複数のギアを介して当該ローラ駆動軸１４８に連結されている。
【０５３１】
これにより材質変更部１４７は、制御部１９により摩擦力変更用モータが駆動されると、これに応じて左摩擦力変更ローラ１５０及び右摩擦力変更ローラ１５１を同期させて一回転方向及び他回転方向へ回転させることができる。
【０５３２】
また材質変更部１４７は、例えば、摩擦力変更用モータの出力軸に、当該出力軸の回転の有無と共に回転方向を検出するための図示しないエンコーダが取り付けられている。
【０５３３】
そして材質変更部１４７のエンコーダは、紙幣収納繰出庫１４１の紙幣繰出時、摩擦力変更用モータの回転の有無及び回転方向を示す回転信号を制御部１９に送出する。
【０５３４】
これにより制御部１９は、紙幣収納繰出庫１４１の紙幣繰出時、エンコーダから与えられる回転信号に基づき、摩擦力変更用モータの回転軸と共に、左摩擦力変更ローラ１５０及び右摩擦力変更ローラ１５１が回転したか否か、及び回転した場合は回転方向（すなわち、一回転方向及び他回転方向）を検出する。
【０５３５】
また制御部１９は、例えば、紙幣４５の入金処理や出金処理、補充処理、回収処理の際、鑑別部１０の鑑別結果に基づき、紙幣収納繰出庫１４１において収納した紙幣４５及び繰り出した紙幣４５の枚数を係数するようにして、紙幣収納繰出庫１４１に対する紙幣４５の収納枚数を常に管理している。
【０５３６】
さらに制御部１９は、紙幣繰出時、紙幣収納繰出庫１４１について管理している紙幣４５の収納枚数と共に、上述の送出センサから与えられる出力信号に基づき、紙幣収納部２２内で繰出側に送り出される最上位紙幣４５が、最終紙幣４５以外（すなわち、最終紙幣４５よりも上側の紙幣４５）であるか否かを検出している。
【０５３７】
かかる構成のもと、制御部１９は、紙幣収納繰出庫１４１の紙幣繰出時、材質変更部１４７の摩擦力変更用モータを何ら駆動せずに左摩擦力変更ローラ１５０及び右摩擦力変更ローラ１５１を自由に回転可能な状態にして、複数のピックアップローラ５３によりステージ２５の紙幣載上面２５Ａ上の複数の紙幣４５を上から順次に繰出側へ送り出す。
【０５３８】
また材質変更部１４７の左摩擦力変更ローラ１５０及び右摩擦力変更ローラ１５１は、上述のように周側面の頂上部分が最終紙幣４５に接触していると、当該周側面が最終紙幣４５に対して滑らないような材質に選定されている。
【０５３９】
このため材質変更部１４７では、複数のピックアップローラ５３によりステージ２５の紙幣載上面２５Ａ上から最終紙幣４５よりも１又は複数枚上の最上位紙幣４５を繰出側へ送り出す際、仮に最上位紙幣４５から最終紙幣４５までが重なったまま繰出側に移動すると、当該最終紙幣４５の繰出側への移動に伴い左摩擦力変更ローラ１５０及び右摩擦力変更ローラ１５１が一回転方向へ回転することになる。
【０５４０】
すなわち、材質変更部１４７では、この際、左摩擦力変更ローラ１５０及び右摩擦力変更ローラ１５１が、繰出側へ移動する最終紙幣４５に接触したまま、その繰出側への移動に従い一回転方向へ連れ回ることになる。
【０５４１】
ただし、制御部１９は、紙幣繰出時に左摩擦力変更ローラ１５０及び右摩擦力変更ローラ１５１が一回転方向へ回転すると、その回転を、エンコーダを介して検出する。
【０５４２】
そして制御部１９は、最終紙幣４５よりも上側の紙幣４５（最上位紙幣４５）が繰出側に送り出されることを検出している状態で、左摩擦力変更ローラ１５０及び右摩擦力変更ローラ１５１が一回転方向へ回転し始めたことを検出すると、摩擦力変更用モータに対し例えば、左摩擦力変更ローラ１５０及び右摩擦力変更ローラ１５１に一回転転方向への回転を停止させるようなトルクをかけるための制動信号（電流）を送出する。
【０５４３】
これにより制御部１９は、制動信号により摩擦力変更用モータを介して左摩擦力変更ローラ１５０及び右摩擦力変更ローラ１５１の一回転方向への回転を停止させる。
【０５４４】
また制御部１９は、このようにして左摩擦力変更ローラ１５０及び右摩擦力変更ローラ１５１に一回転転方向への回転を停止させるようなトルクをかけても、最終紙幣４５の繰出側への移動に応じて当該左摩擦力変更ローラ１５０及び右摩擦力変更ローラ１５１が再び一回転方向へ回転し始めると、摩擦力変更用モータに与える制動信号の値（すなわち、電流値）を調整する。
【０５４５】
従って制御部１９は、制動信号により摩擦力変更用モータを介して左摩擦力変更ローラ１５０及び右摩擦力変更ローラ１５１の一回転方向への回転を再び停止させる。
【０５４６】
このようにして制御部１９は、紙幣繰出時、紙幣収納部２２において最終紙幣４５と共に１又は複数枚の紙幣４５が重なったまま繰出側へ送り出されそうになっても、最終紙幣４５に接触している左摩擦力変更ローラ１５０及び右摩擦力変更ローラ１５１に所定のトルクをかけて回転を停止させる。
【０５４７】
よって制御部１９は、紙幣繰出時、複数のピックアップローラ５３によりステージ２５の紙幣載上面２５Ａ上から最終紙幣４５よりも上側の紙幣４５が繰出側へ送り出される際には、当該最終紙幣４５に対し、回転を停止させるようにトルクをかけた左摩擦力変更ローラ１５０及び右摩擦力変更ローラ１５１の接触に応じて、ステージ２５の紙幣載上面２５Ａに留まらせるような繰出用に最適な摩擦力を作用させることができる。
【０５４８】
そして制御部１９は、複数のピックアップローラ５３によりステージ２５の紙幣載上面２５Ａ上から最終紙幣４５が繰出側へ送り出される際には、摩擦力変更用モータの駆動を停止して、再び左摩擦力変更ローラ１５０及び右摩擦力変更ローラ１５１を一回転方向へ自由に回転可能な状態にする。
【０５４９】
これにより制御部１９は、紙幣収納部２２内で最終紙幣４５が繰出側へ移動すると、その移動に応じて左摩擦力変更ローラ１５０及び右摩擦力変更ローラ１５１を一回転方向へ回転させることで、当該最終紙幣４５をスムーズに繰出側へ送り出すことができる。
【０５５０】
実際に制御部１９は、紙幣収納繰出庫１４１の紙幣繰出時、メモリに予め記憶している摩擦力変更プログラムに従って、図２７に示す第４摩擦力変更処理手順ＲＴ４を開始する。
【０５５１】
制御部１９は、係る第４摩擦力変更処理手順ＲＴ４を開始すると、ステップＳＰ３１において材質変更部１４７の摩擦力変更用モータを何ら駆動せずに左摩擦力変更ローラ１５０及び右摩擦力変更ローラ１５１を自由に回転可能な状態にして、次のステップＳＰ３２に移る。
【０５５２】
ステップＳＰ３２において制御部１９は、紙幣収納部２２においてステージ２５の紙幣載上面２５Ａ上から繰出側へ送り出す紙幣４５（すなわち、最上位紙幣４５）が最終紙幣４５以外であるか否かを判別する。
【０５５３】
このステップＳＰ３２において肯定結果が得られると、このことは、このときステージ２５の紙幣載上面２５Ａ上から繰出側へ送り出す紙幣４５が最終紙幣４５以外であるため、その紙幣４５が最終紙幣４５と共に（すなわち、最終紙幣４５に重なったまま）繰出側へ送り出される可能性があることを表している。ステップＳＰ３２において制御部１９は、係る肯定結果を得ると、次のステップＳＰ３３に移る。
【０５５４】
ステップＳＰ３３において制御部１９は、紙幣４５の繰出側への送り出しにより、左摩擦力変更ローラ１５０及び右摩擦力変更ローラ１５１が一回転方向へ回転し始めたか否かを判別する。
【０５５５】
このステップＳＰ３３において肯定結果が得られると、このことはステージ２５の紙幣載上面２５Ａ上から繰出側へ送り出される紙幣４５と共に最終紙幣４５も繰出側へ移動し始めたことを表している。ステップＳＰ３３において制御部１９は、係る肯定結果を得ると、次のステップＳＰ３４に移る。
【０５５６】
ステップＳＰ３４において制御部１９は、摩擦力変更用モータを介して左摩擦力変更ローラ１５０及び右摩擦力変更ローラ１５１に一回転転方向への回転を停止させるようなトルクをかけて、その一回転方向への回転を停止させることにより、最終紙幣４５をステージ２５の紙幣載上面２５Ａ上に留まらせる。
【０５５７】
そして制御部１９は、このようにして最終紙幣４５をステージ２５の紙幣載上面２５Ａ上に留まらせながら、当該最終紙幣４５よりも上側の紙幣４５を繰出側へ送り出し終えると、ステップＳＰ３１に戻る。
【０５５８】
ところで、上述のステップＳＰ３３において否定結果が得られると、このことは、左摩擦力変更ローラ１５０及び右摩擦力変更ローラ１５１に特にはトルクをかけなくても、ステージ２５の紙幣載上面２５Ａ上から最終紙幣４５以外の紙幣４５のみが繰出側へ送り出されて、当該最終紙幣４５は何ら移動せずに紙幣載上面２５Ａ上に留まっていることを表している。
【０５５９】
ステップＳＰ３３において制御部１９は、係る否定結果を得ると、ステップＳＰ３４の処理は実行せずに、ステップＳＰ３１に戻る。
【０５６０】
このようにして制御部１９は、ステップＳＰ３１において否定結果が得られるまでの間は、ステップＳＰ３１乃至ステップＳＰ３４の処理を循環的に繰り返し実行する。
【０５６１】
これにより制御部１９は、左摩擦力変更ローラ１５０及び右摩擦力変更ローラ１５１を自由に回転可能な状態してステージ２５の紙幣載上面２５Ａ上から最終紙幣４５以外の紙幣４５を繰出側へ順次送り出しながら、最終紙幣４５に接触している左摩擦力変更ローラ１５０及び右摩擦力変更ローラ１５１が回転したか否かを監視する。
【０５６２】
そして制御部１９は、このように繰出側へ送り出す紙幣４５と共に最終紙幣４５も繰出側へ移動して左摩擦力変更ローラ１５０及び右摩擦力変更ローラ１５１が回転し始めたときには、その都度、最終紙幣４５に接触している左摩擦力変更ローラ１５０及び右摩擦力変更ローラ１５１に回転を停止させるようなトルクをかけて、当該最終紙幣４５に、紙幣載上面２５Ａに留まらせるような繰出用に最適な摩擦力を作用させる。
【０５６３】
そして上述のステップＳＰ３２において否定結果が得られると、このことは、ステージ２５の紙幣載上面２５Ａ上から最終紙幣４５以外の紙幣４５を全て繰出側へ送り出し終えたこと、すなわち、紙幣載上面２５Ａ上から次に繰出側へ送り出すのは最終紙幣４５であることを表している。ステップＳＰ３２において制御部１９は、係る否定結果を得ると、ステップＳＰ３５に移る。
【０５６４】
ステップＳＰ３５において制御部１９は、左摩擦力変更ローラ１５０及び右摩擦力変更ローラ１５１を自由に回転可能な状態にしたまま、ステージ２５の紙幣載上面２５Ａ上から最終紙幣４５を繰出側へ送り出した後、次のステップＳＰ３６に移る。
【０５６５】
これによりステップＳＰ３６において制御部１９は、紙幣収納繰出庫１４１からの紙幣４５の繰り出しと共に、第４摩擦力変更処理手順ＲＴ４を終了する。
【０５６６】
（５−４）第５の実施の形態の動作及び効果
以上の構成において、現金自動預払機１４０では、紙幣収納繰出庫１４１乃至１４４においてステージ２５の変更部配置面２５Ｄに、何れの材質の紙幣４５と接触しても滑らないような材質の左摩擦力変更ローラ１５０及び右摩擦力変更ローラ１５１を有する材質変更部１４７を配置する。
【０５６７】
また現金自動預払機１４０は、材質変更部１４７において左摩擦力変更ローラ１５０及び右摩擦力変更ローラ１５１の周側面の一部をステージ２５の紙幣載上面２５Ａから突出させて最終紙幣４５に接触させる。
【０５６８】
そのうえで、現金自動預払機１４０は、紙幣収納繰出庫１４１乃至１４４の紙幣繰出時、左摩擦力変更ローラ１５０及び右摩擦力変更ローラ１５１を自由に回転可能な状態にしてステージ２５の紙幣載上面２５Ａ上から紙幣４５を繰出側へ順次送り出す。
【０５６９】
そして現金自動預払機１４０は、ステージ２５の紙幣載上面２５Ａ上から繰出側へ送り出す紙幣４５と共に最終紙幣４５も繰出側へ移動して、当該最終紙幣４５に接触している左摩擦力変更ローラ１５０及び右摩擦力変更ローラ１５１が回転し始めたときには、その都度、左摩擦力変更ローラ１５０及び右摩擦力変更ローラ１５１に回転を停止させるようなトルクをかける。
【０５７０】
従って現金自動預払機１４０は、紙幣収納繰出庫１４１乃至１４４において、どのような材質の紙幣４５を扱う場合でも、紙幣繰出時、ステージ２５の紙幣載上面２５Ａ上から最終紙幣４５以外の紙幣４５を繰出側へ送り出そうとして最終紙幣４５も一緒に繰出側へ移動し始めたときには、回転を停止させるようにトルクをかけた左摩擦力変更ローラ１５０及び右摩擦力変更ローラ１５１によって最終紙幣４５に、紙幣載上面２５Ａ上に留まらせるような繰出用に最適な摩擦力を作用させることができる。
【０５７１】
以上の構成によれば、現金自動預払機１４０は、紙幣収納繰出庫１４１乃至１４４においてステージ２５の変更部配置面２５Ｄに、何れの材質の紙幣４５と接触しても滑らないような材質の左摩擦力変更ローラ１５０及び右摩擦力変更ローラ１５１を有する材質変更部１４７を配置して、当該左摩擦力変更ローラ１５０及び右摩擦力変更ローラ１５１の周側面の一部をステージ２５の紙幣載上面２５Ａから突出させて最終紙幣４５に接触させておき、左摩擦力変更ローラ１５０及び右摩擦力変更ローラ１５１を自由に回転可能な状態にしてステージ２５の紙幣載上面２５Ａ上から紙幣４５を繰出側へ送り出すようにして、繰出側へ送り出す紙幣４５と共に最終紙幣４５も繰出側へ移動して左摩擦力変更ローラ１５０及び右摩擦力変更ローラ１５１が回転し始めたときには、当該左摩擦力変更ローラ１５０及び右摩擦力変更ローラ１５１に回転を停止させるようなトルクをかけて、最終紙幣４５に、紙幣載上面２５Ａに留まらせるような摩擦力を作用させるようにした。
【０５７２】
これにより現金自動預払機１４０は、上述した第１の実施の形態によって得られる効果と同様の効果を得ることができると共に、これに加えて材質変更部１４７を、上述した第１及び第２の実施の形態による材質変更部６０、７７に比して大幅に簡易化及び小型化することができる。
【０５７３】
また現金自動預払機１４０は、最終紙幣４５にステージ２５の紙幣載上面２５Ａとの接触によって作用する摩擦力を変更するために、事前に、その変更用の設定や切り換え等を何ら行うことなく、ステージ２５の紙幣載上面２５Ａ上から複数の紙幣４５を繰出側へ順次繰り出しながら、当該最終紙幣４５にステージ２５の紙幣載上面２５Ａとの接触によって作用する摩擦力を、繰出用に最適な摩擦力に調整することができる。
【０５７４】
（６）他の実施の形態
（６−１）他の実施の形態１
なお上述した第４の実施の形態においては、紙幣収納繰出庫１２１乃至１２４で扱う紙幣４５の材質に応じて、ステージ１２６の紙幣載上面１２６Ａから突出させる左摩擦力変更板１２９及び右摩擦力変更板１３０の突出量を変更して、当該左摩擦力変更板１２９及び右摩擦力変更板１３０の表面を最終紙幣４５の一部に押し付ける際の接触圧力を設定するようにした場合について述べた。
【０５７５】
しかしながら本発明は、これに限らず、紙幣収納繰出庫１２１乃至１２４で、どのような材質の紙幣４５を扱う場合でも、紙幣繰出時、ステージ１２６の紙幣載上面１２６Ａ上から最終紙幣４５以外の紙幣４５を繰出側へ送り出す間は、当該ステージ１２６の紙幣載上面１２６Ａから突出させる左摩擦力変更板１２９及び右摩擦力変更板１３０の突出量を比較的大きな一定量にする。
【０５７６】
これにより本発明は、ステージ１２６の紙幣載上面１２６Ａ上から最終紙幣４５以外の紙幣４５を繰出側へ送り出す間は、左摩擦力変更板１２９及び右摩擦力変更板１３０の表面を最終紙幣４５の一部に比較的大きな接触圧力で押し付けるようにして、当該最終紙幣４５を紙幣載上面１２６Ａと左摩擦力変更板１２９及び右摩擦力変更板１３０とに対して滑らせないようにする。
【０５７７】
そして本発明は、ステージ１２６の紙幣載上面１２６Ａ上から最終紙幣４５を繰出側へ送り出すときのみ、左摩擦力変更板１２９及び右摩擦力変更板１３０を当該最終紙幣４５から離隔させる。
【０５７８】
本発明は、係る構成によっても、ステージ１２６の紙幣載上面１２６Ａ上から最終紙幣４５以外の紙幣４５を繰出側へ送り出す間は、当該最終紙幣４５にステージ１２６の紙幣載上面１２６Ａに対して滑らないように摩擦力を作用させて、最終紙幣４５が他の紙幣４５と重なったまま繰出側へ送り出されることを防止することができる。
【０５７９】
また本発明は、ステージ１２６の紙幣載上面１２６Ａ上から最終紙幣４５を繰出側へ送り出す際には、左摩擦力変更板１２９及び右摩擦力変更板１３０を離隔させることで、当該最終紙幣４５をステージ１２６の紙幣載上面１２６Ａ上からスムーズに繰出側へ送り出すことができる。
【０５８０】
ところで、本発明は、係る構成を、制御部１９が実行する摩擦力変更処理によって実現することができる。すなわち、係る構成の場合、制御部１９は、上述した第５の実施の形態の場合と同様に、紙幣収納繰出庫１２１乃至１２４に対する紙幣４５の収納枚数を常に管理する。
【０５８１】
そのうえで制御部１９は、紙幣収納繰出庫１２１乃至１２４の紙幣繰出時、メモリに予め記憶している摩擦力変更プログラムに従って、図２８に示す第５摩擦力変更処理手順ＲＴ５を開始する。
【０５８２】
制御部１９は、係る第５摩擦力変更処理手順ＲＴ５を開始すると、ステップＳＰ４１において左摩擦力変更板１２９及び右摩擦力変更板１３０を上昇させてステージ１２６の紙幣載上面１２６Ａから突出させて最終紙幣４５の一部に比較的大きな接触圧力で押し付けて、次のステップＳＰ４２に移る。
【０５８３】
ステップＳＰ４２において制御部１９は、紙幣収納繰出庫１２１乃至１２４について管理している紙幣４５の収納枚数と共に、送出センサから与えられる出力信号に基づき、紙幣収納部２２においてステージ１２６の紙幣載上面１２６Ａ上から繰出側へ送り出す紙幣４５（すなわち、最上位紙幣４５）が最終紙幣４５以外であるか否かを判別する。
【０５８４】
このステップＳＰ４２において肯定結果が得られると、このことは、このときステージ１２６の紙幣載上面１２６Ａ上から繰出側へ送り出す紙幣４５が最終紙幣４５以外であるため、左摩擦力変更板１２９及び右摩擦力変更板１３０の下降させる必要がないことを表している。ステップＳＰ４２において制御部１９は、係る肯定結果を得ると、次のステップＳＰ４３に移る。
【０５８５】
よってステップＳＰ４３において制御部１９は、左摩擦力変更板１２９及び右摩擦力変更板１３０に接触している最終紙幣４５はステージ１２６の紙幣載上面１２６Ａ上に留まらせたまま、当該最終紙幣４５よりも上側の紙幣４５を繰出側へ送り出した後、ステップＳＰ４２に戻る。
【０５８６】
このようにして制御部１９は、ステップＳＰ４２において否定結果が得られるまでの間は、ステップＳＰ４２及びステップＳＰ４３の処理を循環的に繰り返し実行する。
【０５８７】
これにより制御部１９は、左摩擦力変更板１２９及び右摩擦力変更板１３０を最終紙幣４５に所定の接触圧力で接触させたまま、当該最終紙幣４５よりも上側の紙幣４５を繰出側へ順次送り出す。
【０５８８】
そして上述のステップＳＰ４２において否定結果が得られると、このことは、ステージ１２６の紙幣載上面１２６Ａ上から最終紙幣４５以外の紙幣４５を全て繰出側へ送り出し終えたこと、すなわち、紙幣載上面１２６Ａ上から次に繰出側へ送り出すのは最終紙幣４５であることを表している。ステップＳＰ４２において制御部１９は、係る否定結果を得ると、ステップＳＰ４４に移る。
【０５８９】
ステップＳＰ４４において制御部１９は、左摩擦力変更板１２９及び右摩擦力変更板１３０を下降させて（すなわち、ステージ１２６の紙幣載上面１２６Ａよりも下げて）最終紙幣４５から離隔させた後、次のステップＳＰ４５に移る。
【０５９０】
そしてステップＳＰ４５において制御部１９は、この状態でステージ１２６の紙幣載上面１２６Ａ上から最終紙幣４５を繰出側へ送り出した後、次のステップＳＰ４６に移る。
【０５９１】
これによりステップＳＰ４６において制御部１９は、紙幣収納繰出庫１２１乃至１２４からの紙幣４５の繰り出しと共に、第５摩擦力変更処理手順ＲＴ５を終了する。
【０５９２】
このようにして本発明は、係る構成を容易に実現することができる。ただし、本発明は、最終紙幣４５を繰り出すときには、左摩擦力変更板１２９及び右摩擦力変更板１３０を必ず最終紙幣４５から離隔させるのではなく、この際、左摩擦力変更板１２９及び右摩擦力変更板１３０を、例えば、最終紙幣４５以外の紙幣４５を送り出すときと同じ接触圧力で最終紙幣４５に接触させたままにする。
【０５９３】
この状態で本発明は、複数のピックアップローラ５３の回転に応じて最終紙幣４５を繰出側へ送り出せたか否かを検出する。
【０５９４】
そして本発明は、複数のピックアップローラ５３を回転させても最終紙幣４５が左摩擦力変更板１２９及び右摩擦力変更板１３０から離れずに繰出側へ送り出すことができず送出エラーが発生した場合のみ、左摩擦力変更板１２９及び右摩擦力変更板１３０を下降させて最終紙幣４５から離隔させ、そのうえで最終紙幣４５の繰出側への送り出しをリトライする（すなわち、改めて繰出側へ送り出す）ようにしても良い。
【０５９５】
また本発明は、このように最終紙幣４５の繰出側への送り出しのリトライを、当該最終紙幣４５から左摩擦力変更板１２９及び右摩擦力変更板１３０を離隔させて実行するのではなく、左摩擦力変更板１２９及び右摩擦力変更板１３０を下降させるものの接触させたままにして、最終紙幣４５との接触圧力を小さくしたうえで実行するようにしても良い。
【０５９６】
ところで、本発明は、このように複数のピックアップローラ５３の回転に応じて最終紙幣４５を繰出側へ送り出したか否かを検出するようにして、最終紙幣４５の送出エラーが発生したときに、送り出しをリトライするような手法を例えば、上述した第１乃至第３の実施の形態に適用することもできる。
【０５９７】
すなわち、本発明は、係るリトライの手法を第１及び第２の実施の形態に適用する場合、複数のピックアップローラ５３を回転させても最終紙幣４５を繰出側へ送り出すことができずに送出エラーが発生すると、ステージ２５の左開口部２５ＡＸ及び右開口部２５ＡＹから材質変更板６３乃至６５、８６乃至８８を引き抜くようにして当該最終紙幣４５から離隔させたうえで、送り出しをリトライすることができる。
【０５９８】
また本発明は、係るリトライの手法を第１及び第２の実施の形態に適用する場合、送出エラーの発生に応じて、最終紙幣４５に接触させる材質変更板６３乃至６５、８６乃至８８を、それまでよりも小さい摩擦力を作用させるものに切り換えたうえで送り出しをリトライすることもできる。
【０５９９】
さらに本発明は、係るリトライの手法を第３の実施の形態に適用する場合、複数のピックアップローラ５３を回転させても最終紙幣４５を繰出側へ送り出すことができずに送出エラーが発生すると、左摩擦力変更ローラ１１０及び右摩擦力変更ローラ１１１を回転させて紙幣接触部分の面積を小さくしたうえで送り出しをリトライすることができる。
【０６００】
また本発明は、係るリトライの手法を第３の実施の形態に適用する場合、左摩擦力変更ローラ１１０及び右摩擦力変更ローラ１１１を昇降可能に支持し、複数のピックアップローラ５３を回転させても最終紙幣４５を繰出側へ送り出すことができずに送出エラーが発生すると、左摩擦力変更ローラ１１０及び右摩擦力変更ローラ１１１を下降させて最終紙幣４５から離隔させたうえで、送り出しをリトライすることもできる。
【０６０１】
（６−２）他の実施の形態２
また上述した第１及び第２の実施の形態においては、材質変更部６０、７７によりステージ２５の紙幣載上面２５Ａの一部から突出させる材質変更板６３乃至６５、８６乃至８８を自動的に切り換えるようにした場合について述べた。
【０６０２】
しかしながら本発明は、これに限らず、図２９及び図３０に示すように、ステージ１６０の紙幣載上面１６０Ａに、複数のピックアップローラ５３と対向させて凹部１６０ＡＸ、１６０ＡＹを形成する。
【０６０３】
また本発明は、ステージ１６０の凹部１６０ＡＸ、１６０ＡＹに嵌合可能な、それぞれ材質の異なる複数の材質変更板１６１乃至１６３を用意する。
【０６０４】
そして本発明は、例えば、作業者に紙幣収納繰出庫で扱う紙幣４５の材質に応じて、ステージ１６０の凹部１６０ＡＸ、１６０ＡＹに嵌合させる材質変更板１６１乃至１６３を選定させて、当該選定された材質変更板１６１乃至１６３をステージ１６０の凹部１６０ＡＸ、１６０ＡＹに嵌合させるようにしても良い。
【０６０５】
本発明は、係る構成によっても、上述した第１の実施の形態によって得られる効果と同様の効果を得ることができる。
【０６０６】
また本発明は、上述した第１及び第２の実施の形態において例えば、材質変更部６０、７７に、左変更板切換部６１及び右変更板切換部６２や、左変更板切換部８０及び右変更板切換部８１の左変更板貼着ベルト８５及び右変更板貼着ベルト８９を手動で回転させるための操作ノブを設ける。
【０６０７】
そして本発明は、作業者に、その操作ノブを操作させて、ステージ２５の紙幣載上面２５Ａの一部から突出させる材質変更板６３乃至６５、８６乃至８８を手動で切り換えさせるようにしても良い。
【０６０８】
これに加え本発明は、上述した第３の実施の形態において例えば、材質変更部１０７に、左摩擦力変更ローラ１１０及び右摩擦力変更ローラ１１１を手動で回転させるための操作ノブを設ける。
【０６０９】
そして本発明は、作業者に、その操作ノブを操作させることで、左摩擦力変更ローラ１１０及び右摩擦力変更ローラ１１１を回転させて、左摩擦力変更ローラ１１０及び右摩擦力変更ローラ１１１の紙幣接触部分の面積を変更させるようにしても良い。
【０６１０】
また本発明は、上述した第４の実施の形態において例えば、材質変更部１２７に、左昇降板１２８及び右昇降板を手動で昇降させるための操作ノブを設ける。
【０６１１】
そして本発明は、作業者に、その操作ノブを操作させることで、左昇降板１２８及び右昇降板を昇降させて、ステージ１２６の紙幣載上面１２６Ａからの左摩擦力変更板１２９及び右摩擦力変更板１３０の突出量を変更させるようにしても良い。
【０６１２】
本発明は、第１乃至第４の実施の形態の構成に操作ノブを追加するようにしても、当該第１乃至第４の実施の形態と同様の効果を得ることができる。
【０６１３】
（６−３）他の実施の形態３
さらに上述した第４の実施の形態においては、材質変更部１２７において左昇降板１２８及び右昇降板を昇降させて、ステージ１２６の紙幣載上面１２６Ａからの左摩擦力変更板１２９及び右摩擦力変更板１３０の突出量を変更して、当該左摩擦力変更板１２９及び右摩擦力変更板１３０が最終紙幣４５に接触する際の接触圧力を設定することで、紙幣繰出時、最終紙幣４５に繰出用に最適な摩擦力を作用させるようにした場合について述べた。
【０６１４】
しかしながら本発明は、これに限らず、材質変更部において、ゴム製の左摩擦力変更板及び右摩擦力変更板を、その表面が最終紙幣４５に接触可能となるようにステージ１２６の紙幣載上面１２６Ａから僅かに突出させて固定する。
【０６１５】
また本発明は、ステージ１２６の紙幣載上面１２６Ａに、左摩擦力変更板及び右摩擦力変更板の表面を露出及び隠蔽可能なシャッタを設ける。
【０６１６】
そして本発明は、シャッタにより左摩擦力変更板及び右摩擦力変更板の表面の露出部分（すなわち、最終紙幣４５の接触部分）の面積を可変して最終紙幣４５に作用させる摩擦力を、繰出用に最適な摩擦力に変更するようにしても良い。本発明は、係る構成によっても、上述した第４の実施の形態と同様の効果を得ることができる。
【０６１７】
（６−４）他の実施の形態４
さらに上述した第１乃至第３並びに第５の実施の形態においては、ステージ２５の材質を、現金自動預払機１、７０、１００、１４０で扱うことが想定される、種々の材質の紙幣（すなわち、各国の紙幣）のうち、任意に選定された選定紙幣の材質に応じて選定するようにした場合について述べた。
【０６１８】
しかしながら本発明は、これに限らず、ステージの材質を、現金自動預払機で扱うことが想定される種々の材質の紙幣４５の何れが最終紙幣４５として紙幣載上面に接触した場合でも、比較的小さい摩擦力を作用させるように選定するようにしても良い。
【０６１９】
（６−５）他の実施の形態５
さらに上述した第１乃至第５の実施の形態においては、現金自動預払機１、７０、１００、１２０、１４０の預払機筐体２内に設けられた紙幣収納繰出庫１２乃至１５、７１乃至７４、１２１乃至１２４、１４１乃至１４４に、材質変更部６０、７７、１０７、１２７、１４７を設けるようにした場合について述べた。
【０６２０】
しかしながら本発明は、これに限らず、例えば、現金自動預払機１、７０、１００、１２０、１４０の預払機筐体２に着脱可能に装着される紙幣収納繰出庫に材質変更部６０、７７、１０７、１２７、１４７を設けるようにしても良い。
【０６２１】
本発明は、係る構成によれば、紙幣収納繰出庫を、それぞれ異なる材質の紙幣を固定的に扱う複数の現金自動預払機に兼用することができる。
【０６２２】
（６−６）他の実施の形態６
さらに上述した第１乃至第５の実施の形態においては、紙幣４５を収納し、また繰り出す紙幣収納繰出庫１２乃至１５、７１乃至７４、１２１乃至１２４、１４１乃至１４４に、材質変更部６０、７７、１０７、１２７、１４７を設けるようにした場合について述べた。
【０６２３】
しかしながら本発明は、これに限らず、紙幣４５を手作業で収納し、当該紙幣４５の繰り出しを自動的に行う繰出専用の紙幣収納繰出庫に、材質変更部６０、７７、１０７、１２７、１４７を設けるようにしても良い。
【０６２４】
（６−７）他の実施の形態７
さらに上述した第１乃至第５の実施の形態においては、紙幣収納繰出庫１２乃至１５、７１乃至７４、１２１乃至１２４、１４１乃至１４４で扱う紙幣４５の材質に応じて、材質変更部６０、７７、１０７、１２７、１４７によりステージ２５、１２６の紙幣載上面２５Ａ、１２６Ａの材質を部分的に変更するようにした場合について述べた。
【０６２５】
しかしながら本発明は、これに限らず、例えば、紙幣収納繰出庫１２乃至１５、７１乃至７４、１２１乃至１２４、１４１乃至１４４で新券（すなわち、新札）と流通券（市場ですでに使用されている紙幣）とのように材質が同一でも状態が異なる紙幣４５を扱う場合、その状態に応じても、材質変更部６０、７７、１０７、１２７、１４７によりステージ２５、１２６の紙幣載上面２５Ａ、１２６Ａの材質を部分的に変更するようにしても良い。
【０６２６】
すなわち、本発明は、新券の状態に比して、流通券の状態が折れ癖や曲がり癖がついて、また表面のすり減り等によってわるいと、ステージ２５、１２６の紙幣載上面２５Ａ、１２６Ａに新券が接触している場合と、流通券が接触している場合とでは、これらが同一の材質であっても作用する摩擦力が異なるため、その状態に応じてステージ２５、１２６の紙幣載上面２５Ａ、１２６Ａの材質を部分的に変更するようにしても良い。
【０６２７】
本発明は、係る構成によれば、紙幣収納繰出庫において、どのような状態の紙幣４５を扱う場合でも最後の１枚まで的確に繰り出すことができる。そして本発明は、係る構成を、上述した他の実施の形態１乃至５の構成に適用することもできる。
【０６２８】
（６−８）他の実施の形態８
さらに上述した第１乃至第５の実施の形態においては、現金自動預払機１、７０、１００、１２０、１４０内で搬送路１８を介して長方形の紙幣を、紙幣長手方向を左方向とほぼ平行にして一方の長辺を搬送方向に向けた搬送姿勢で搬送して、紙幣収納繰出庫１２乃至１５、７１乃至７４、１２１乃至１２４、１４１乃至１４４でも紙幣４５を、その搬送姿勢に準じて紙幣長手方向を左方向とほぼ平行にして扱うようにした場合について述べた。
【０６２９】
しかしながら本発明は、これに限らず、現金自動預払機１、７０、１００、１２０、１４０内で搬送路１８を介して長方形の紙幣を、紙幣短手方向を左方向とほぼ平行にして一方の短辺を搬送方向に向けた搬送姿勢で搬送して、紙幣収納繰出庫１２乃至１５、７１乃至７４、１２１乃至１２４、１４１乃至１４４でも紙幣４５を、その搬送姿勢に準じて紙幣短手方向を左方向とほぼ平行にして扱うようにしても良い。
【０６３０】
（６−９）他の実施の形態９
さらに上述した第１乃至第５の実施の形態においては、本発明による紙葉類収納繰出装置を、図１乃至図３０について上述した現金自動預払機１、７０、１００、１２０、１４０に設けられた紙幣収納繰出庫１２乃至１５、７１乃至７４、１２１乃至１２４、１４１乃至１４４に適用するようにした場合について述べた。
【０６３１】
しかしながら本発明は、これに限らず、現金自動支払機（CD：Cash  Dispenser）に固定的又は着脱可能に設けられた紙幣収納繰出庫や、切符、チケット、コピー用紙、葉書及び有価証券等の紙葉類を収納し、繰り出す紙葉類収納繰出庫等のように、この他種々の紙葉類収納繰出装置に広く適用することができる。
【０６３２】
（６−１０）他の実施の形態１０
さらに上述した第１乃至第５の実施の形態においては、本発明による紙葉類取扱装置を、図１乃至図３０について上述した現金自動預払機１、７０、１００、１２０、１４０に適用するようにした場合について述べた。
【０６３３】
しかしながら本発明は、これに限らず、現金自動支払機や両替機、電車の切符や観劇のチケット等を販売する券売機、精算機、自動販売機、パチンコ台やスロット台のような遊戯機、コピー機、葉書搬送装置等のように、この他種々の構成の紙葉類取扱装置に広く適用することができる。
【０６３４】
（６−１１）他の実施の形態１１
さらに上述した第１乃至第５の実施の形態においては、紙幣類収納部に積層するように重ねて収納する複数の紙葉類として、図１乃至図３０について上述した紙幣４５を適用するようにした場合について述べた。
【０６３５】
しかしながら本発明は、これに限らず、切符、チケット、コピー用紙、葉書、有価証券等のように、この他種々の紙葉類を広く適用することができる。
【０６３６】
（６−１２）他の実施の形態１２
さらに上述した第１乃至第５の実施の形態においては、複数の紙葉類を積層するように重ねて収納する紙幣類収納部として、図１乃至図３０について上述した略箱型の紙幣収納部２２を適用するようにした場合について述べた。
【０６３７】
しかしながら本発明は、これに限らず、収納する紙葉類の種類に応じて、トレイ状の紙葉類収納部のように、この他種々の紙葉類収納部を広く適用することができる。
【０６３８】
（６−１３）他の実施の形態１３
さらに上述した第１乃至第５の実施の形態においては、紙葉類繰出時、紙葉類収納部に重ねて収納された複数の紙葉類を一方の端に位置する紙葉類から順に１枚ずつ繰出側へ送り出すための送出ローラとして、図１乃至図３０について上述した複数のピックアップローラ５３を適用するようにした場合について述べた。
【０６３９】
しかしながら本発明は、これに限らず、幅広な周側面の１又は複数の所定位置に一周に亘る凹部分が形成された送出ローラのように、この他種々の構成及び形状の送出ローラを広く適用することができる。
【０６４０】
（６−１４）他の実施の形態１４
さらに上述した第１乃至第５の実施の形態においては、重ねられた複数の紙葉類の他方の端側から一方の端側へ移動可能に設けられ、紙葉類繰出時、一面に複数の紙葉類のうち他方の端の１枚の他端紙葉類を接触させて一方の端側へ移動することにより当該一方の端の１枚の紙葉類を送出ローラに押し付けるようにして複数の紙葉類を付勢する付勢部として、図１乃至図３０について上述した紙幣載上面２５Ａ、１２６Ａ、１６０Ａに複数の紙幣４５を積層するように重ねて載上されるステージ２５、１２６、１６０を適用するようにした場合について述べた。
【０６４１】
しかしながら本発明は、これに限らず、紙幣収納部に積層するように重ねて収納された複数の紙幣を上から押さえ付けるようにして付勢するビルプレスのように、この他種々の構成の付勢部を広く適用することができる。
【０６４２】
（６−１５）他の実施の形態１５
さらに上述した第１乃至第５の実施の形態においては、付勢部の一面の材質を部分的に変更する材質変更部として、図１乃至図３０について上述した材質変更部６０、７７、１０７、１２７、１４７及び材質変更板１６１乃至１６３を適用するようにした場合について述べた。
【０６４３】
しかしながら本発明は、これに限らず、付勢部の一面の材質を部分的に変更することができれば、この他種々の構成の材質変更部を広く適用することができる。
【産業上の利用可能性】
【０６４４】
本発明は、切符、チケット、コピー用紙、葉書、有価証券等の紙葉類を収納して繰り出す紙葉類収納繰出装置と、当該切符、チケット、コピー用紙、葉書、有価証券等の紙葉類を紙葉類収納繰出装置に収納し、また繰り出すようにして取り扱う紙葉類取扱装置とに利用することができる。
【符号の説明】
【０６４５】
１、７０、１００、１２０、１４０……現金自動預払機、１２乃至１５、７１乃至７４、１２１乃至１２４、１４１乃至１４４……紙幣収納繰出庫、２２……紙幣収納部、２５、１２６、１６０……ステージ、２５Ａ、１２６Ａ、１６０Ａ……紙幣載上面、２５ＡＸ、１２６ＡＸ……左開口部、２５ＡＹ、１２６ＡＹ……左開口部、４５……紙幣、４７……フィードローラ、４９……分離ローラ、５３……ピックアップローラ、６０、７７、１０７、１２７、１４７……材質変更部、６１、８０……左変更板切換部、６２、８１……右変更板切換部、６３乃至６５、８６乃至８８、１６１乃至１６３……材質変更板、８５……左変更板貼着ベルト、８９……右変更板貼着ベルト、１１０、１５０……左摩擦力変更ローラ、１１１、１５１……右摩擦力変更ローラ、１２８……左昇降板、１２９……左摩擦力変更板、１３０……右摩擦力変更板、１６０ＡＸ、１６０ＡＹ……凹部、ＲＴ１……第１摩擦力変更処理手順、ＲＴ２……第２摩擦力変更処理手順、ＲＴ３……第３摩擦力変更処理手順、ＲＴ４……第４摩擦力変更処理手順、ＲＴ５……第５摩擦力変更処理手順。
【図１】
2013189261.tif 000003
【図２】
2013189261.tif 000004
【図３】
2013189261.tif 000005
【図４】
2013189261.tif 000006
【図５】
2013189261.tif 000007
【図６】
2013189261.tif 000008
【図７】
2013189261.tif 000009
【図８】
2013189261.tif 000010
【図９】
2013189261.tif 000011
【図１０】
2013189261.tif 000012
【図１１】
2013189261.tif 000013
【図１２】
2013189261.tif 000014
【図１３】
2013189261.tif 000015
【図１４】
2013189261.tif 000016
【図１５】
2013189261.tif 000017
【図１６】
2013189261.tif 000018
【図１７】
2013189261.tif 000019
【図１８】
2013189261.tif 000020
【図１９】
2013189261.tif 000021
【図２０】
2013189261.tif 000022
【図２１】
2013189261.tif 000023
【図２２】
2013189261.tif 000024
【図２３】
2013189261.tif 000025
【図２４】
2013189261.tif 000026
【図２５】
2013189261.tif 000027
【図２６】
2013189261.tif 000028
【図２７】
2013189261.tif 000029
【図２８】
2013189261.tif 000030
【図２９】
2013189261.tif 000031
【図３０】
2013189261.tif 000032
【図３１】
2013189261.tif 000033